(57)【要約】  ガスの流れを送達する装置のためのフィルタにおいて、フィルタ本体であって、主コンパートメントおよび少なくとも部分的に主コンパートメントの中にある副コンパートメントを有し、主コンパートメントが主コンパートメントガス入口と流体連通し、副コンパートメントは副コンパートメントガス入口と流体連通するフィルタ本体と、主コンパートメントと副コンパートメントの両方に関連し、主コンパートメントおよび副コンパートメント内の、またはそこから出るガスを濾過するように配置される濾材と、を含むフィルタ。
2019531152.tif 000002
【特許請求の範囲】
【請求項１】
ガスの流れを送達する装置のためのフィルタにおいて、
フィルタ本体であって、主コンパートメントと、少なくとも部分的に前記主コンパートメントの中にある副コンパートメントを有し、前記主コンパートメントは主コンパートメントガス入口と流体連通し、前記副コンパートメントは副コンパートメントガス入口と流体連通するフィルタ本体と、
前記主コンパートメントと前記副コンパートメントの両方に関連し、前記主コンパートメントおよび前記副コンパートメント内の、またはそこから出るガスを濾過するように配置された濾材と、
を含むフィルタ。
【請求項２】
前記フィルタは、ガスの流れを送達する装置のハウジングと取外し可能かつ封止可能に係合可能なフィルタモジュールである、請求項１に記載のフィルタ。
【請求項３】
前記フィルタの外周に沿って、前記装置の前記ハウジングの中の前記フィルタと封止係合するシールを含む、請求項２に記載のフィルタ。
【請求項４】
前記シールはＯリングまたは、一体形成された「ワイパ」シールを含む、請求項３に記載のフィルタ。
【請求項５】
前記主コンパートメントは、主コンパートメント体積の境界を定める少なくとも１つの主コンパートメント壁により画定される、請求項１〜４のいずれか一項に記載のフィルタ。
【請求項６】
前記副コンパートメントは、少なくとも部分的に前記主コンパートメント体積内にある副コンパートメント体積の境界を定める少なくとも１つの副コンパートメント壁により画定される、請求項５に記載のフィルタ。
【請求項７】
少なくとも部分的に前記主コンパートメントの中にある第２副コンパートメントを含み、前記第２副コンパートメントは第２副コンパートメントガス入口からのガスを受け取るように配置される、請求項１〜６のいずれか一項に記載のフィルタ。
【請求項８】
前記濾材は前記フィルタ本体と実質的に同じ材料を含む、請求項１〜７のいずれか一項に記載のフィルタ。
【請求項９】
前記フィルタ本体はポリプロピレン材料または他の好適なポリマ材料を含み、前記濾材は紡績ポリプロピレン、その他の好適なポリマまたは合成材料、および／または羊毛繊維を含む、請求項８に記載のフィルタ。
【請求項１０】
前記濾材は前記少なくとも１つの主コンパートメント壁および前記少なくとも１つの副コンパートメント壁に超音波溶接される、請求項１または２に従属する場合の請求項６〜９のいずれか一項に記載のフィルタ。
【請求項１１】
前記フィルタ本体に取り付けられた、または取付可能なフィルタ上パネルを含む、請求項１〜１０のいずれか一項に記載のフィルタ。
【請求項１２】
前記フィルタ上パネルは、前記フィルタ本体にスナップフィットにより取付可能である、請求項１１に記載のフィルタ。
【請求項１３】
前記フィルタ上パネルは、前記フィルタが前記ハウジングと係合したときに、前記ガスの流れを送達する装置のハウジングと実質的に同一平面になるように配置される、請求項１１または１２に記載のフィルタ。
【請求項１４】
少なくとも部分的に前記主コンパートメントの中にある第２副コンパートメントを含み、前記第２副コンパートメントは、第２副コンパートメントガス入口からガスを受け取るように配置され、ダクトが前記第２副コンパートメントと流体連通状態に提供される、請求項１〜１３のいずれか一項に記載のフィルタ。
【請求項１５】
前記ダクトは前記フィルタ本体と一体に形成されるか、前記フィルタ本体とは別に形成される、請求項１４に記載のフィルタ。
【請求項１６】
ガスの流れを送達する装置のためのフィルタにおいて、
フィルタ本体を含み、前記フィルタ本体は、主コンパートメントガス入口および主コンパートメントガス出口と流体連通する主コンパートメントを有し、前記主コンパートメントガス出口は実質的に平らで、その上に濾材が広がり、前記主コンパートメントガス入口および主コンパートメントガス出口は、前記入口を通るガス流方向が前記出口を通るガス流方向と角度をなすように配置されるフィルタ。
【請求項１７】
前記主コンパートメントガス入口を通る前記ガス流方向は、前記主コンパートメントガス出口を通る前記ガス流方向に対して実質的に垂直である、請求項１６に記載のフィルタ。
【請求項１８】
前記主コンパートメントは実質的に長方形の輪郭である、請求項１６または１７に記載のフィルタ。
【請求項１９】
前記主コンパートメントの少なくとも一部は、前記主コンパートメントの、前記主コンパートメントガス入口からより離れた部分が、前記主コンパートメントの、前記主コンパートメントガス入口に隣接する部分より小さくなるように、内側にテーパ状である、請求項１６〜１８のいずれか一項に記載のフィルタ。
【請求項２０】
前記主コンパートメントの少なくとも一部は、前記主コンパートメントの、前記主コンパートメントガス入口からより離れた部分が、前記主コンパートメントの、前記主コンパートメントガス入口に隣接する部分より大きくなるように、外側にテーパ状である、請求項１６〜１９のいずれか一項に記載のフィルタ。
【請求項２１】
前記フィルタ本体は、少なくとも部分的に前記主コンパートメントの中にあり、副コンパートメントガス入口と流体連通する副コンパートメントを含む、請求項１６〜２０のいずれか一項に記載のフィルタ。
【請求項２２】
前記副コンパートメントは副コンパートメントガス出口を含み、前記濾材は前記副コンパートメントガス出口に広がる、請求項２１に記載のフィルタ。
【請求項２３】
前記副コンパートメントガス入口を通る前記ガス流方向は、前記副コンパートメントガス出口を通る前記ガス流方向に対して実質的に垂直である、請求項１６に記載の方法。
【請求項２４】
前記副コンパートメントの少なくとも一部は内側にテーパ状である、請求項２１〜２３のいずれか一項に記載のフィルタ。
【請求項２５】
少なくとも部分的に前記主コンパートメントの中にある第２副コンパートメントを含み、前記第２副コンパートメントは、第２副コンパートメントガス入口からのガスを受け取るように配置される、請求項２１〜２４のいずれか一項に記載のフィルタ。
【請求項２６】
前記第２副コンパートメントは第２副コンパートメントガス出口を含み、前記濾材は前記第２副コンパートメントガス出口に広がる、請求項２５に記載のフィルタ。
【請求項２７】
前記第２副コンパートメントガス入口を通る前記ガス流方向は、前記第２副コンパートメントガス出口を通る前記ガス流方向に対して実質的に垂直である、請求項２５に記載のフィルタ。
【請求項２８】
前記第２副コンパートメントの少なくとも一部は、前記第２副コンパートメントの、前記第２副コンパートメントガス入口からより離れた部分が、前記主コンパートメントの、前記第２副コンパートメントガス入口に隣接する部分より小さくなるように、内側にテーパ状である、請求項２５〜２７のいずれか一項に記載のフィルタ。
【請求項２９】
ガスの流れを送達する装置において、
フィルタ本体であって、コンパートメントと、前記コンパートメントに関連する、前記コンパートメント内の、またはそこから出るガスを濾過するように配置されたコンパートメント濾材を有するフィルタ本体と、
ガス出口に関連して、粒子が前記出口から前記フィルタに予期せず入るのを防止するか、少なくとも実質的に阻止する出口濾材と、
を含み、
前記コンパートメント濾材と前記出口濾材の一方が前記コンパートメント濾材と前記出口濾材の他方の下流にある装置。
【請求項３０】
ガスの流れを送達する装置において、
ガスの流れを患者に送達するガス出口を有するハウジングと、第１ガス入口と、第２ガス入口と、周囲空気入口と、を含む装置。
【請求項３１】
前記第１ガス入口、前記第２ガス入口、および前記周囲空気入口から受け取ったガスを濾過するフィルタを含む、請求項３０に記載の装置。
【請求項３２】
前記フィルタからガスを受け取り、前記ガスをガス出口に送達するように配置されたブロワを含む、請求項３１に記載の装置。
【請求項３３】
前記第１ガス入口からガスを受け取り、前記ガスを前記フィルタに送達するように配置されたフローコントロールバルブを含む、請求項３１または３２に記載の装置。
【請求項３４】
前記ハウジングと取外し可能に係合可能なバルブモジュールを含み、前記バルブモジュールは、バルブと、前記バルブからのガスを受け取るバルブマニホルドと、を含み、前記バルブマニホルドは、前記ガスを前記フローコントロールバルブから前記フィルタに送達するように配置されたバルブマニホルドガス出口を有する、請求項３３に記載の装置。
【請求項３５】
前記バルブモジュールは、前記バルブと前記バルブマニホルドを実質的に収容し、支持するバルブキャリアを含む、請求項３４に記載の装置。
【請求項３６】
前記周囲空気入口は前記バルブキャリアの中に設けられる、請求項３５に記載の装置。
【請求項３７】
前記バルブモジュールは、前記フィルタに直接結合されて、前記バルブモジュールから前記フィルタへのガス流路を提供するように配置される、請求項３４〜３６のいずれか一項に記載の装置。
【請求項３８】
前記第１ガス入口は、前記ハウジングに対して移動するように配置される、請求項３４〜３７のいずれか一項に記載の装置。
【請求項３９】
前記フィルタは前記ハウジングと取外し可能に係合可能である、請求項３１〜３８のいずれか一項に記載の装置。
【請求項４０】
前記装置はネーザルハイフローセラピー装置である、請求項３０〜３９のいずれか一項に記載の装置。
【請求項４１】
ガスの流れを送達する装置のためのバルブモジュールにおいて、
ガスの流れを制御するように配置されたフローコントロールバルブと、
前記バルブモジュールの中を通る周囲空気流路と、
を含むバルブモジュール。
【請求項４２】
前記周囲空気流路は周囲空気を前記ガスの流れを送達する装置の他の構成要素に送達するための周囲空気出口を有する、請求項４１に記載のバルブモジュール。
【請求項４３】
前記周囲空気出口は、周囲空気をフィルタモジュールに送達するように適合される、請求項４２に記載のバルブモジュール。
【請求項４４】
前記周囲空気流路は、周囲空気をそれが前記ガスの流れを送達する装置の１つまたは複数のセンサを通過するように送達するように適合される、請求項４２または４３に記載のバルブモジュール。
【請求項４５】
前記周囲空気流路は前記バルブの付近または隣接部を通過する、請求項４１〜４４のいずれか一項に記載のバルブモジュール。
【請求項４６】
バルブマニホルドガス入口とバルブマニホルドガス出口を有するバルブマニホルドを含む、請求項４１〜４５のいずれか一項に記載のバルブモジュール。
【請求項４７】
前記バルブは前記バルブマニホルドと封止係合する、請求項４６に記載のバルブモジュール。
【請求項４８】
前記バルブは、前記バルブマニホルドガス入口から前記バルブマニホルドガス出口へのガスの流れを制御するように配置される、請求項４６または４７に記載のバルブモジュール。
【請求項４９】
前記バルブマニホルドは、前記バルブの形状と相補的な形状を有する、請求項４６〜４８のいずれか一項に記載のバルブモジュール。
【請求項５０】
前記バルブマニホルドは実質的に円筒形の本体を有し、前記バルブは実質的に円筒形の本体を有する、請求項４９に記載のバルブモジュール。
【請求項５１】
前記バルブマニホルドガス出口は、前記バルブマニホルド上に半径方向に配置される、請求項４６〜５０のいずれか一項に記載のバルブモジュール。
【請求項５２】
前記バルブマニホルドバルブマニホルドは、前記バルブマニホルドの周囲に半径方向に配置された複数のガス出口を含む、請求項５１に記載のバルブモジュール。
【請求項５３】
前記バルブおよび前記バルブマニホルドを実質的に収容し、支持するバルブキャリアを含む、請求項４６〜５２のいずれか一項に記載のバルブモジュール。
【請求項５４】
前記バルブキャリアは、前記バルブおよび前記バルブマニホルドを支持する支持構造を含む、請求項５３に記載のバルブモジュール。
【請求項５５】
前記バルブキャリアは、スピーカハウジングと、前記スピーカハウジング内に配置された音声スピーカと、を含む、請求項５３または５４に記載のバルブモジュール。
【請求項５６】
前記バルブキャリア上またはその中の１つまたは複数のセンサを含む、請求項５３〜５５のいずれか一項に記載のバルブモジュール。
【請求項５７】
前記バルブキャリアは、第１バルブキャリア部分と第２バルブキャリア部分を含み、前記バルブと前記バルブマニホルドは、少なくとも部分的に前記第１バルブキャリア部分と前記第２バルブキャリア部分との間に位置するように所定の位置に固定される、請求項５３〜５６のいずれか一項に記載のバルブモジュール。
【請求項５８】
前記バルブキャリアは１つまたは複数のガードを含む、請求項５３〜５７のいずれか一項に記載のバルブモジュール。
【請求項５９】
前記バルブモジュールと、前記ガスの流れを送達する装置の他の構成要素のうちの１つまたは複数との間の電気接続を提供するための電気コネクタを含む、請求項４１〜５８のいずれか一項に記載のバルブモジュール。
【請求項６０】
前記電気コネクタはフレキシブルプリント回路基板を含む、請求項５９に記載のバルブモジュール。
【請求項６１】
前記バルブキャリアは流れ案内構造を含み、前記流れ案内構造は、前記バルブモジュールが前記ハウジングと取外し可能に係合したときに、前記バルブマニホルドガス出口からのガスの流れをフィルタへと案内するように配置される、請求項５３〜６０のいずれか一項に記載のバルブモジュール。
【請求項６２】
ガス入口を有するコネクタを含み、前記コネクタの前記ガス入口はガス供給ラインに流体接続可能であり、前記コネクタは前記ガス供給ラインと前記バルブマニホルドの前記ガス入口との間の流体接続を提供するように配置され、前記ガス入口は前記バルブマニホルドに対して移動可能である、請求項４６〜６１のいずれか一項に記載のバルブモジュール。
【請求項６３】
前記コネクタはスイベルコネクタであり、前記ガス入口は、前記バルブマニホルドの長手方向軸に対して実質的に横切るように向けられ、前記スイベルコネクタの前記ガス入口は前記バルブマニホルドの長手方向軸の周囲で回転するように配置される、請求項６２に記載のバルブモジュール。
【請求項６４】
前記コネクタはスイベルコネクタであり、前記ガス入口は、前記バルブマニホルドの長手方向軸に対して実質的に横切るように向けられ、前記スイベルコネクタの前記ガス入口は、玉継ぎ手機構を介して前記バルブマニホルドに対して実質的にいずれの方向にも回転するように配置される、請求項６２に記載のバルブモジュール。
【請求項６５】
前記スイベルコネクタの前記ガス入口は、前記バルブマニホルドの前記長手方向軸に対して実質的に垂直方向に延びる、請求項６３〜６７のいずれか一項に記載のバルブモジュール。
【請求項６６】
前記バルブマニホルドの前記ガス入口は、前記バルブマニホルドの端に、またはそれに向かって軸方向に位置する、請求項６３〜６５のいずれか一項に記載のバルブモジュール。
【請求項６７】
前記スイベルコネクタの前記ガス入口は前記バルブマニホルドの前記長手方向軸の周囲で最大約１９０度まで、または前記バルブマニホルドの前記長手方向軸の周囲で最大約１８０度まで、または前記バルブマニホルドの前記長手方向軸の周囲で最大約１６０度まで、または前記バルブマニホルドの前記長手方向軸の周囲で最大約１２０度まで、または前記バルブマニホルドの長手方向軸の周囲で最大約９０度まで、または前記バルブマニホルドの長手方向軸の周囲で最大約６０度まで、または前記バルブマニホルドの長手方向軸の周囲で最大約４５度まで回転可能である、請求項６３〜６６のいずれか一項に記載のバルブモジュール。
【請求項６８】
前記バルブマニホルドガス入口は、前記バルブマニホルドの長手方向軸に対して実質的に横切るように延び、ガス供給ラインに流体接続され、前記バルブおよび前記バルブマニホルドは、前記バルブキャリアに対して前記バルブマニホルドの前記長手方向軸の周囲で回転可能である、請求項５３〜６１のいずれか一項に記載のバルブモジュール。
【請求項６９】
前記バルブマニホルドガス入口は、前記バルブマニホルドの前記長手方向軸に対して実質的に垂直方向に延びる、請求項６８に記載のバルブモジュール。
【請求項７０】
前記バルブおよび前記バルブマニホルドは前記バルブキャリアに対して、前記バルブマニホルドの前記長手方向軸の周囲で最大約１９０度まで、または前記バルブマニホルドの前記長手方向軸の周囲で最大約１８０度まで、または前記バルブマニホルドの前記長手方向軸の周囲で最大約１６０度まで、または前記バルブマニホルドの前記長手方向軸の周囲で最大約１２０度まで、または前記バルブマニホルドの前記長手方向軸の周囲で最大約９０度まで、または前記バルブマニホルドの前記長手方向軸の周囲で最大約６０度まで、または前記バルブマニホルドの前記長手方向軸の周囲で最大約４５度まで回転可能である、請求項６８または６９に記載のバルブモジュール。
【請求項７１】
前記バルブモジュールは、フィルタモジュールに直接結合されて前記バルブモジュールから前記フィルタモジュールまでのガス流路を提供するように配置される、請求項４１〜７０のいずれか一項に記載のバルブモジュール。
【請求項７２】
ガスの流れを送達する装置において、
ガスの流れを患者に送達するためのガス出口を有するハウジングであって、凹部を画定するハウジングと、
前記凹部と係合する請求項１〜２８のいずれか一項に記載のフィルタモジュールと、
を含む装置。
【請求項７３】
請求項４１〜７１のいずれか一項に記載のバルブモジュールをさらに含む、請求項７２に記載の装置。
【請求項７４】
前記バルブモジュールは前記フィルタに直接結合されて、前記バルブモジュールから前記フィルタへのガス流路を提供する、請求項７３に記載の装置。
【請求項７５】
ガスの流れを送達する装置において、
凹部を画定するハウジングと、
前記ハウジングの前記凹部に取外し可能に受けられる請求項４１〜７１のいずれか一項に記載のバルブモジュールと、
を含む装置。
【請求項７６】
前記バルブモジュールは、前記ハウジングの前記凹部の中に、締結具、スナップフィット、解除可能なスナップフィットなどにより保持される、請求項７５に記載の装置。
【請求項７７】
前記バルブモジュールは請求項６７〜７０のいずれか一項に記載のとおりであり、前記ガス供給ラインに流体接続可能な前記ガス入口は、実質的に水平な位置と実質的に垂直な位置との間で前記ハウジングに対して移動可能である、請求項７５または７６に記載の装置。
【請求項７８】
ガスの流れを送達する装置において、
ガスの流れを患者に送達するためのガス出口を有するハウジングと、
ガス供給ラインからのガスの流れを受け取るためのガス入口を含むコネクタと、を含み、前記ガス入口はガス供給ラインに流体接続可能で、前記ガス供給ラインからのガスを受け取り、前記コネクタの前記ガス入口は、前記ハウジングに対して移動するように配置される装置。
【請求項７９】
前記コネクタの前記ガス入口は、前記ハウジングに対して回転するように配置される、請求項７８に記載の装置。
【請求項８０】
前記コネクタの前記ガス入口は、前記ハウジングに対して最大約１９０度まで、前記ハウジングに対して最大約１８０度まで、または前記ハウジングに対して最大約１６０度まで、または前記ハウジングに対して最大約１２０度まで、または前記ハウジングに対して最大約９０度まで、または前記ハウジングに対して最大約６０度まで、または前記ハウジングに対して最大約４５度まで回転可能である、請求項７９に記載の装置。
【請求項８１】
前記ガス入口は、前記ガス入口の回転軸に対して実質的に横切るように延びる、請求項７９または８０に記載の装置。
【請求項８２】
前記ガス入口は、前記ガス入口の前記回転軸に対して実質的に垂直に延びる、請求項８１に記載の装置。
【請求項８３】
前記ガス入口は、前記ハウジングの側壁に対して実質的に垂直に延びる、請求項８１に記載の装置。
【請求項８４】
前記回転軸は前記コネクタの前記ガス入口の第１回転軸であり、前記コネクタの前記ガス入口はさらに、前記第１回転軸に対して横切る第２軸の周囲で回転するように配置される、請求項８１または８２に記載の装置。
【請求項８５】
前記コネクタの前記ガス入口は、玉継ぎ手機構を介して前記バルブマニホルドに対して実質的にいずれの方向にも回転するように配置される、請求項７８〜８４のいずれか一項に記載の装置。
【請求項８６】
前記コネクタの前記ガス入口は前記ハウジングに対して横切るように配置される、請求項７８〜８５のいずれか一項に記載の装置。
【請求項８７】
前記装置は前記ガス入口からのガスと周囲空気とを同時に受け取るように配置される、請求項７８〜８６のいずれか一項に記載の装置。
【請求項８８】
前記装置は、前記ガス入口からの前記ガスと前記周囲空気とが、前記ガス出口に送達される前に前記装置内で動的に閉じ込められ／混合されるように構成される、請求項８７に記載の装置。
【請求項８９】
バルブモジュールを含み、前記コネクタは前記バルブモジュールの一部である、請求項７８〜８８のいずれか一項に記載の装置。
【請求項９０】
前記バルブモジュールは、前記ガス入口から前記装置へのガスの流れを制御するように配置される、請求項８９に記載の装置。
【請求項９１】
前記コネクタは、ガス供給ライン接続を介してガス供給ラインを受けるように配置される、請求項７８〜９０のいずれか一項に記載の装置。
【請求項９２】
前記ガス供給ライン接続は、前記ハウジングに対して、実質的に水平な位置と実質的に垂直な位置との間で移動可能である、請求項９１に記載の装置。
【請求項９３】
バルブモジュールであって、フローコントロールバルブを含み、前記バルブはガスの流れを制御するように配置され、ガスの流れを送達する装置のハウジングと取外し可能に係合可能なバルブモジュールと、
フィルタモジュールであって、ガスの流れを送達する装置の前記ハウジングと、前記フィルタモジュールが前記ハウジングの外からアクセス可能となるように取外し可能に係合可能であり、前記バルブモジュールからのガスを受け取るように配置されたフィルタモジュールと、
の組合せ。
【請求項９４】
前記バルブモジュールは前記フィルタモジュールと直接結合されて、前記バルブモジュールから前記フィルタモジュールまでのガス流路を提供するように配置される、請求項９３に記載の組合せ。
【請求項９５】
前記バルブモジュールは、前記バルブと、前記バルブからのガスを受け取るバルブマニホルドと、を含み、前記バルブマニホルドは、前記ガスを前記フローコントロールバルブから前記フィルタモジュールに送達するように配置されたバルブマニホルドガス出口を有する、請求項９３または９４に記載の組合せ。
【請求項９６】
前記バルブモジュールは、前記バルブおよび前記バルブマニホルドを実質的に収容し、支持するバルブキャリアを含む、請求項９５に記載の組合せ。
【請求項９７】
前記バルブキャリアは周囲空気入口を含む、請求項９６に記載の組合せ。
【請求項９８】
前記バルブモジュールは、ガスを前記バルブに送達するためのガス入口を有するコネクタを含む、請求項９３〜９７のいずれか一項に記載の組合せ。
【請求項９９】
前記フィルタモジュールはフィルタ本体を含み、前記フィルタ本体は、主コンパートメントと、少なくとも部分的に前記主コンパートメントの中にある少なくとも１つの副コンパートメントを有し、前記主コンパートメントと前記少なくとも１つの副コンパートメントはそれぞれのガス入口からガスを受け取るように配置され、それぞれのガス出口を通じてガスを送達するように配置される、請求項９３〜９８のいずれか一項に記載の組合せ。
【請求項１００】
前記フィルタモジュールは、前記主コンパートメントおよび前記副コンパートメントに関連する濾材を含み、前記濾材は、前記主コンパートメントおよび前記副コンパートメント内の、またはそこから出るガスを濾過するように配置される、請求項９９に記載の組合せ。
【請求項１０１】
前記濾材は前記主コンパートメントガス出口と第１副コンパートメントガス出口に広がる、請求項１００に記載の組合せ。
【請求項１０２】
前記バルブモジュールは、前記ハウジング内に実質的に受けられ、前記ハウジングの外からアクセス可能である、請求項９３〜１０１のいずれか一項に記載の組合せ。
【請求項１０３】
ガスを送達する装置において、
ガスの流れを患者に送達するためのガス出口と、ガス入口と、前記ガス入口と前記ガス出口との間の封止ガス経路を有するハウジングを含み、前記封止ガス経路は、第１ガス入口から受け取ったガスを濾過するためのフィルタを含み、前記フィルタはフィルタ本体と、ガス入口と、ガス出口と、前記フィルタ本体内の、またはそこから出るガスを濾過するように配置される濾材と、を含む装置。
【請求項１０４】
前記フィルタは、前記ハウジングと取外し可能かつ封止可能に係合可能なフィルタモジュールである、請求項１０３に記載のフィルタ。
【請求項１０５】
前記フィルタモジュールは、前記フィルタモジュールが取り外されたときに前記封止経路が封止状態ではなくなるように、前記ハウジングから取外し可能である、請求項１０３に記載の装置。
【請求項１０６】
ガスの流れを送達する装置において、
バルブモジュールであって、フローコントロールバルブを含み、前記バルブはガスの流れを制御するように配置されたバルブモジュールと、
前記バルブモジュールからのガスを受け取るように配置されたフィルタモジュールと、
を含む装置。
【請求項１０７】
前記バルブモジュールは、前記フィルタモジュールと直接結合されて、前記バルブモジュールから前記フィルタモジュールまでのガス流路を提供するように配置される、請求項１０６に記載の装置。
【請求項１０８】
前記バルブモジュールは、前記バルブと、前記バルブからのガスを受け取るためのバルブマニホルドと、を含み、前記バルブマニホルドは、前記フローコントロールバルブから前記フィルタモジュールにガスを送達するように配置されたバルブマニホルドガス出口を有する、請求項１０６または１０７に記載の装置。
【請求項１０９】
前記バルブモジュールは、前記バルブおよび前記バルブマニホルドを実質的に収容し、支持するバルブキャリアを含む、請求項１０８に記載の装置。
【請求項１１０】
前記バルブキャリアは周囲空気入口を含む、請求項１０９に記載の装置。
【請求項１１１】
前記バルブモジュールは、ガスを前記バルブに送達するためのガス入口を有するコネクタを含む、請求項１０６〜１１０のいずれか一項に記載の装置。
【請求項１１２】
前記フィルタモジュールはフィルタ本体を含み、前記フィルタ本体は、主コンパートメントと、少なくとも部分的に前記主コンパートメントの中にある少なくとも１つの副コンパートメントと、を有し、前記主コンパートメントおよび前記少なくとも１つの副コンパートメントは、それぞれのガス入口からガスを受け取るように配置され、それぞれのガス出口を通じてガスを送達するように配置される、請求項１０６〜１１１のいずれか一項に記載の装置。
【請求項１１３】
前記フィルタモジュールは、前記主コンパートメントおよび前記副コンパートメントに関連する濾材を含み、前記濾材は、前記主コンパートメントおよび前記副コンパートメント内の、またはそこから出るガスを濾過するように配置される、請求項１１２に記載の装置。
【請求項１１４】
前記濾材は前記主コンパートメントガス出口と第１副コンパートメントガス出口に広がる、請求項１１３に記載の装置。
【発明の詳細な説明】
【技術分野】
【０００１】
本発明は、ガスの流れを送達する装置で使用するためのバルブモジュールおよびフィルタに関する。
【背景技術】
【０００２】
呼吸補助装置は、病院、医療施設、在宅介護または家庭環境等のさまざまな環境において、使用者または患者にガスの流れを送達するために使用される。
【発明の概要】
【発明が解決しようとする課題】
【０００３】
本出願人は、呼吸補助装置のバルブの交換やその他の構成要素の点検修理が困難であるという可能性を確認しており、これは、そのためには典型的に呼吸補助装置のハウジングを実質的に分解する必要があり、それによって装置のシールが損なわれる危険性があるからである。その結果、装置に液体、気体、または固体粒子が入り込みやすくなり得る。酸素が装置内に入った場合、これは安全上のリスクとなり得る。液体が装置に入れば、ショートや腐食等によって、電子部品の絶縁耐力が低下し得る。固体粒子が入り込むことは、その個体粒子がガスの流路に入った場合、問題となり得る。
【０００４】
本出願人はまた、ガスラインが接続された状態の装置の位置決めが困難であるかもしれないことを確認しており、このガスラインは、装置を正しく位置決めする妨げとなる可能性があり、および／または装置の位置決め中に損傷を受ける可能性がある。
【０００５】
本出願人はまた、フィルタ内のガスの閉じ込めで起こり得る問題も確認しており、それによってガスはフィルタ内で混ざり合い、および／またはガスがガス入口を通って逆流することになり得る。
【０００６】
本出願人はまた、フィルタとバルブを利用する装置内の圧力降下も確認しており、その原因は、異なる構成要素に異なる材料を使用することによる、構成要素内を流れるガスに作用する方向転換、制限、収束、発散、濾材、および異なる摩擦特性からの流体抵抗である。
【０００７】
したがって、容易に交換可能なバルブモジュールを提供することが望ましいであろう。
【０００８】
さらにまたは別法として、装置の容易な位置決めを可能にするために選択的に位置決めできるガス入口を有する装置を提供することが望ましいであろう。
【０００９】
さらにまたは別法として、ガスの流れを送達する装置におけるガスの閉じ込めを援助するフィルタを提供することが望ましいであろう。
【００１０】
さらにまたは別法として、圧力降下を最小限にするバルブモジュールまたはフィルタを提供することが望ましいであろう。
【００１１】
開示されている実施形態の１つまたは複数の目的は、上述の望ましい結果のうちの１つの達成に少なくとも近付き、または少なくとも一般の人々や医療専門家に有益な選択肢を提供するフィルタ、バルブモジュール、またはガスの流れを送達する装置を提供することである。
【課題を解決するための手段】
【００１２】
それゆえ、本明細書に開示する実施形態のうちの少なくとも１つのいくつかの特徴、態様および利点によれば、ガスの流れを送達する装置のためのバルブモジュールが開示され、バルブモジュールは、ガスの流れを送達する装置のためのフィルタを含み、フィルタは、フィルタ本体であって、主コンパートメントと、少なくとも部分的に主コンパートメントの中にある副コンパートメントを有し、主コンパートメントは主コンパートメントガス入口と流体連通し、副コンパートメントは副コンパートメントガス入口と流体連通するフィルタ本体と、主コンパートメントと副コンパートメントの両方に関連し、主コンパートメントおよび副コンパートメント内の、またはそこから出るガスを濾過するように配置された濾材と、を含む。
【００１３】
いくつかの構成では、フィルタは、ガスの流れを送達する装置のハウジングと取外し可能かつ封止可能に係合可能なフィルタモジュールである。
【００１４】
いくつかの構成では、フィルタはフィルタの外周に沿って、装置のハウジングの中のフィルタと封止係合するシールを含む。
【００１５】
いくつかの構成では、シールはＯリングまたは、一体形成された「ワイパ」シールを含む。
【００１６】
いくつかの構成では、主コンパートメントは、主コンパートメント体積の境界を定める少なくとも１つの主コンパートメント壁により画定される。
【００１７】
いくつかの構成では、副コンパートメントは、少なくとも部分的に主コンパートメント体積内にある副コンパートメント体積の境界を定める少なくとも１つの副コンパートメント壁により画定される。
【００１８】
いくつかの構成では、フィルタは少なくとも部分的に主コンパートメント内にある第２副コンパートメントを含み、第２副コンパートメントは第２副コンパートメントガス入口からのガスを受け取るように配置される。
【００１９】
いくつかの構成では、濾材はフィルタ本体と実質的に同じ材料を含む。
【００２０】
いくつかの構成では、フィルタ本体はポリプロピレン材料または他の適当なポリマ材料を含み、濾材は紡績ポリプロピレン、その他の適当なポリマまたは合成材料、および／または羊毛繊維を含む。
【００２１】
いくつかの構成では、濾材は、少なくとも１つの主コンパートメント壁および少なくとも１つの副コンパートメント壁に超音波溶接される。
【００２２】
いくつかの構成では、少なくとも１つの主コンパートメント壁と少なくとも１つの副コンパートメント壁とは、大きい超音波溶接面積を提供するような形状である。
【００２３】
いくつかの構成では、主コンパートメントは実質的に長方形の輪郭である。
【００２４】
いくつかの構成では、フィルタは、フィルタ本体に取り付けられた、または取付可能なフィルタ上パネルを含む。
【００２５】
いくつかの構成では、フィルタ上パネルは、フィルタ本体にスナップフィットにより取付可能である。
【００２６】
いくつかの構成では、フィルタ上パネルは、フィルタがハウジングと係合したときに、ガスの流れを送達する装置のハウジングと実質的に同一平面になるように配置される。
【００２７】
いくつかの構成では、フィルタ上パネルは、ガスの流れを送達する装置のハウジングへのフィルタの抜き差しを助けるためのハンドリング機構を含む。
【００２８】
いくつかの構成では、フィルタ本体は、副コンパートメントと流体連通するガス供給ラインコネクタを含む。
【００２９】
いくつかの構成では、ガス供給ラインコネクタは、ガス供給ラインコネクタの上端に、またはその付近にあるガス供給ライン保持機構を含む。
【００３０】
いくつかの構成では、フィルタ上パネルは、ガス供給ラインコネクタを露出させ、保護するように取り囲む開口部を含む。
【００３１】
いくつかの構成では、フィルタは、少なくとも部分的に主コンパートメントの中にある第２副コンパートメントを含み、第２副コンパートメントは、第２副コンパートメントガス入口からガスを受け取るように配置され、ダクトが第２副コンパートメントと流体連通状態に提供される。
【００３２】
いくつかの構成では、ダクトはフィルタ本体と一体に形成されるか、フィルタ本体とは別に形成される。
【００３３】
さらに、本明細書に開示する実施形態のうちの少なくとも１つのいくつかの特徴、態様および利点によれば、ガスの流れを送達する装置のためのフィルタが開示され、フィルタは、フィルタ本体を含み、フィルタ本体は、主コンパートメントガス入口および主コンパートメントガス出口と流体連通する主コンパートメントを有し、主コンパートメントガス出口は実質的に平らで、その上に濾材が広がり、主コンパートメントガス入口と主コンパートメントガス出口は、入口を通るガス流方向が出口を通るガス流方向と角度をなすように配置される。
【００３４】
いくつかの構成では、主コンパートメントガス入口を通るガス流方向は、主コンパートメントガス出口を通るガス流方向に対して約３０°〜約１５０°の角度である。
【００３５】
いくつかの構成では、主コンパートメントガス入口を通るガス流方向は、主コンパートメントガス出口を通るガス流方向に対して約６０°〜１２０°の角度である。
【００３６】
いくつかの構成では、主コンパートメントガス入口を通るガス流方向は、主コンパートメントガス出口を通るガス流方向に対して実質的に垂直である。
【００３７】
いくつかの構成では、主コンパートメントは実質的に長方形の輪郭である。
【００３８】
いくつかの構成では、主コンパートメントの少なくとも一部は、主コンパートメントの、主コンパートメントガス入口からより離れた部分が、主コンパートメントの、主コンパートメントガス入口に隣接する部分より小さくなるように、内側にテーパ状である。
【００３９】
いくつかの構成では、主コンパートメントの少なくとも一部は、主コンパートメントの、主コンパートメントガス入口からより離れた部分が、主コンパートメントの、主コンパートメントガス入口に隣接する部分より大きくなるように、外側にテーパ状である。
【００４０】
いくつかの構成では、フィルタ本体は、少なくとも部分的に主コンパートメントの中にあり、副コンパートメントガス入口と流体連通する副コンパートメントを含む。
【００４１】
いくつかの構成では、副コンパートメントは副コンパートメントガス出口を含み、濾材は副コンパートメントガス出口に広がる。
【００４２】
いくつかの構成では、副コンパートメントガス入口を通るガス流方向は、副コンパートメントガス出口を通るガス流方向に対して約３０°〜１５０°の角度である。
【００４３】
いくつかの構成では、副コンパートメントガス入口を通るガス流方向は、副コンパートメントガス出口を通るガス流方向に対して約６０°〜１２０°の角度である。
【００４４】
いくつかの構成では、副コンパートメントガス入口を通るガス流方向は、副コンパートメントガス出口を通るガス流方向に対して実質的に垂直である。
【００４５】
いくつかの構成では、副コンパートメントガス入口の面積と副コンパートメントガス出口との比は約１：５〜約１：８０の間、または約１：１〜約１：４０の間、または約１：２０である。
【００４６】
いくつかの構成では、副コンパートメントの少なくとも一部は内側にテーパ状である。
【００４７】
いくつかの構成では、フィルタは、少なくとも部分的に主コンパートメントの中にある第２副コンパートメントを含み、第２副コンパートメントは、第２副コンパートメントガス入口からのガスを受け取るように配置される。
【００４８】
いくつかの構成では、第２副コンパートメントは第２副コンパートメントガス出口を含み、濾材は第２副コンパートメントガス出口に広がる。
【００４９】
いくつかの構成では、第２副コンパートメントガス入口を通るガス流方向は、副コンパートメントガス出口を通るガス流方向に対して約３０°〜１５０°の角度である。
【００５０】
いくつかの構成では、第２副コンパートメントガス入口を通るガス流方向は、副コンパートメントガス出口を通るガス流方向に対して約６０°〜１２０°の角度である。
【００５１】
いくつかの構成では、第２副コンパートメントガス入口を通るガス流方向は、第２副コンパートメントガス出口を通るガス流方向に対して実質的に垂直である。
【００５２】
いくつかの構成では、第２副コンパートメントガス入口の面積と第２副コンパートメントガス出口との比は約１：５〜約１：８０の間、または約１：１０〜約１：４０の間、または約１：２０〜約１：２５の間である。
【００５３】
いくつかの構成では、第２副コンパートメントの少なくとも一部は、第２副コンパートメントの、第２副コンパートメントガス入口からより離れた部分が、主コンパートメントの、第２副コンパートメントガス入口に隣接する部分より小さくなるように、内側にテーパ状である。
【００５４】
いくつかの構成では、主コンパートメントガス入口の面積と主コンパートメントガス出口の面積との比は約１：１０〜約１：４０の間、または約１：１５〜約１：３０の間、または約１：２０〜約１：２５の間である。
【００５５】
いくつかの構成では、フィルタは、第一に記載された態様に関して上述された特徴のいずれかの１つまたは複数を含む。
【００５６】
さらに、本明細書に開示する実施形態のうちの少なくとも１つのいくつかの特徴、態様および利点によれば、ガスの流れを送達する装置が開示され、装置は、フィルタ本体であって、コンパートメントと、コンパートメントに関連する、コンパートメントの中にある、またはそこから出るガスを濾過するように配置されたコンパートメント濾材とを有するフィルタ本体と、ガス出口に関連して、粒子が出口からフィルタに予期せず入るのを防止するか、少なくとも実質的に阻止する出口濾材と、を含み、コンパートメント濾材と出口濾材の一方がコンパートメント濾材と出口濾材の他方の下流にある。
【００５７】
いくつかの構成では、出口濾材は焼結金属フィルタとすることができるか、それを含むことができる。適当な焼結金属の例としては、銅、青銅、または鋼鉄が含まれる。
【００５８】
いくつかの構成では、装置は、出口濾材に関連して、出口フィルタを封止するＯリングを含む。Ｏリングは、フィルタ延長ダクトとフィルタおよび／またはマニホルド出口との間にあり得る。他の適当なシール、たとえばグロメットシール、または面シール等が使用できる。さらにまたは別法として、フィルタ延長ダクトは、締まり嵌めまたはきつい隙間嵌めを通じてマニホルドと封止できる。
【００５９】
いくつかの構成では、フィルタは、Ｏリングシール、グロメットシール、面シール、および／または他のいずれの適当なシールでもマニホルド出口に封止できる。別法として、下側シールはなくてもよい。
【００６０】
さらに、本明細書に開示する実施形態のうちの少なくとも１つのいくつかの特徴、態様および利点によれば、ガスの流れを送達する装置が開示され、装置は、ガスの流れを患者に送達するガス出口を有するハウジングと、第１ガス入口と、第２ガス入口と、周囲空気入口と、を含む。
【００６１】
いくつかの構成では、装置は、第１ガス入口、第２ガス入口、および周囲空気入口から受け取ったガスを濾過するフィルタを含む。
【００６２】
いくつかの構成では、装置は、フィルタからガスを受け取り、ガスをガス出口に送達するように配置されたブロワを含む。
【００６３】
いくつかの構成では、装置は、第１ガス入口からガスを受け取り、ガスをフィルタに送達するように配置されたフローコントロールバルブを含む。
【００６４】
いくつかの構成では、装置は、ハウジングと取外し可能に係合可能なバルブモジュールを含み、バルブモジュールは、バルブと、バルブからのガスを受け取るバルブマニホルドと、を含み、バルブマニホルドは、ガスをフローコントロールバルブからフィルタに送達するように配置されたバルブマニホルドガス出口を有する。
【００６５】
いくつかの構成では、バルブモジュールは、バルブとバルブマニホルドを実質的に収容し、支持するバルブキャリアを含む。
【００６６】
いくつかの構成では、周囲空気入口はバルブキャリアの中に設けられる。
【００６７】
いくつかの構成では、バルブモジュールは、フィルタに直接結合されて、バルブモジュールからフィルタへのガス流路を提供するように配置される。
【００６８】
いくつかの構成では、第１ガス入口は、ハウジングに対して移動するように配置される。
【００６９】
いくつかの構成では、フィルタはフィルタ本体を含み、フィルタ本体は、主コンパートメントと、少なくとも部分的に主コンパートメントの中にある第１副コンパートメントと、少なくとも部分的に主コンパートメントの中にある第２コンパートメントと、を含み、第１ガス入口、第２ガス入口、および周囲空気入口は各々、主コンパートメント、第１副コンパートメント、および第２副コンパートメントのうちのそれぞれの１つと流体連通する。
【００７０】
いくつかの構成では、フィルタは、主コンパートメント、第１副コンパートメント、および第２副コンパートメントの全部に関連する濾材を含み、濾材は主コンパートメント、第１副コンパートメント、および第２副コンパートメント内の、またはそこから出るガスを濾過するように配置される。
【００７１】
いくつかの構成では、フィルタは、主コンパートメントガス出口、第１副コンパートメントガス出口、および第２副コンパートメントガス出口を含み、濾材は主コンパートメントガス出口、第１副コンパートメントガス出口、よび第２副コンパートメントガス出口に広がる。
【００７２】
いくつかの構成では、フィルタはハウジングと取外し可能に係合可能である。
【００７３】
いくつかの構成では、装置はネーザルハイフローセラピー用装置である。
【００７４】
さらに、本明細書に開示する実施形態のうちの少なくとも１つのいくつかの特徴、態様および利点によれば、ガスの流れを送達する装置のためのバルブモジュールが開示され、バルブモジュールは、ガスの流れを制御するように配置されたフローコントロールバルブと、バルブモジュールの中を通る周囲空気流路と、を含む。
【００７５】
いくつかの構成では、周囲空気流路は周囲空気をガスの流れを送達する装置の他の構成要素に送達するための周囲空気出口を有する。
【００７６】
いくつかの構成では、周囲空気出口は、周囲空気をフィルタモジュールに送達するように適合される。
【００７７】
いくつかの構成では、周囲空気流路は、周囲空気をそれがガスの流れを送達する装置の１つまたは複数の温度センサを通過するように送達するように適合される。
【００７８】
いくつかの構成では、周囲空気流路はバルブの付近または隣接部を通過する。
【００７９】
いくつかの構成では、バルブモジュールは、バルブマニホルドガス入口とバルブマニホルドガス出口を有するバルブマニホルドを含む。
【００８０】
いくつかの構成では、バルブはバルブマニホルドと封止係合する。
【００８１】
いくつかの構成では、バルブは、バルブマニホルドガス入口からバルブマニホルドガス出口へのガスの流れを制御するように配置される。
【００８２】
いくつかの構成では、バルブマニホルドは、バルブの形状と相補的な形状を有する。
【００８３】
いくつかの構成では、バルブマニホルドは実質的に円筒形の本体を有し、バルブは実質的に円筒形の本体を有する。
【００８４】
いくつかの構成では、バルブマニホルドガス出口は、バルブマニホルド上に半径方向に配置される。
【００８５】
いくつかの構成では、バルブマニホルドバルブマニホルドは、バルブマニホルドの周囲に半径方向に配置された複数のガス出口を含む。
【００８６】
いくつかの構成では、バルブモジュールは、バルブおよびバルブマニホルドを実質的に収容し、支持するバルブキャリアである。
【００８７】
いくつかの構成では、バルブキャリアは、バルブおよびバルブマニホルドを支持する支持構造を含む。
【００８８】
いくつかの構成では、バルブキャリアは、スピーカハウジングと、スピーカハウジング内に位置する音声スピーカと、を含む。
【００８９】
いくつかの構成では、バルブモジュールはバルブキャリア上またはその中の１つまたは複数のセンサを含む。いくつかの構成では、１つまたは複数のセンサは周囲湿度センサを含む。いくつかの構成では、１つまたは複数のセンサは周囲圧力センサを含む。いくつかの構成では、１つまたは複数のセンサは周囲温度センサを含む。
【００９０】
いくつかの構成では、バルブキャリアは第１バルブキャリア部分と第２バルブキャリア部分を含み、バルブとバルブマニホルドは、少なくとも部分的に第１バルブキャリア部分と第２バルブキャリア部分との間に位置するような所定の位置に固定される。
【００９１】
いくつかの構成では、バルブキャリアは１つまたは複数のガードを含む。
【００９２】
いくつかの構成では、バルブモジュールは、バルブモジュールと、ガスの流れを送達する装置の他の構成要素のうちの１つまたは複数との間の電気接続を提供するための電気コネクタを含む。
【００９３】
いくつかの構成では、電気コネクタはプリント回路基板エッジコネクタまたはワイヤを含む。
【００９４】
いくつかの構成では、電気コネクタはフレキシブルプリント回路基板を含む。
【００９５】
いくつかの構成では、バルブキャリアは流れ案内構造を含み、流れ案内構造は、バルブモジュールがハウジングと取外し可能に係合したときに、バルブマニホルドガス出口からのガスの流れをフィルタへと案内するように配置される。
【００９６】
いくつかの構成では、バルブモジュールは、ガス入口を有するコネクタを含み、コネクタのガス入口はガス供給ラインに流体接続可能であり、コネクタはガス供給ラインとバルブマニホルドのガス入口との間の流体接続を提供するように配置され、ガス入口はバルブマニホルドに対して移動可能である。
【００９７】
いくつかの構成では、コネクタはスイベルコネクタであり、ガス入口は、バルブマニホルドの長手方向軸に対して実質的に横切るように向けられ、スイベルコネクタのガス入口はバルブマニホルドの長手方向軸の周囲で回転するように配置される。
【００９８】
いくつかの構成では、コネクタはスイベルコネクタであり、ガス入口は、バルブマニホルドの長手方向軸に対して実質的に横切るように向けられ、スイベルコネクタのガス入口は、玉継ぎ手機構を介してバルブマニホルドに対して実質的にいずれの方向にも回転するように配置される。
【００９９】
いくつかの構成では、スイベルコネクタのガス入口は、バルブマニホルドの長手方向軸に対して実質的に垂直方向に延びる。
【０１００】
いくつかの構成では、バルブマニホルドのガス入口は、バルブマニホルドの端に、またはそれに向かって軸方向に位置する。
【０１０１】
いくつかの構成では、スイベルコネクタのガス入口はバルブマニホルドの長手方向軸の周囲で最大約１９０度まで、またはバルブマニホルドの長手方向軸の周囲で最大約１８０度まで、またはバルブマニホルドの長手方向軸の周囲で最大約１６０度まで、またはバルブマニホルドの長手方向軸の周囲で最大約１２０度まで、またはバルブマニホルドの長手方向軸の周囲で最大約９０度まで、またはバルブマニホルドの長手方向軸の周囲で最大約６０度まで、またはバルブマニホルドの長手方向軸の周囲で最大約４５度まで回転可能である。
【０１０２】
いくつかの構成では、バルブマニホルドガス入口は、バルブマニホルドの長手方向軸に対して実質的に横切るように延び、ガス供給ラインに流体接続され、バルブおよびバルブマニホルドは、バルブキャリアに対してバルブマニホルドの長手方向軸の周囲で回転可能である。
【０１０３】
いくつかの構成では、バルブマニホルドガス入口は、バルブマニホルドの長手方向軸に対して実質的に垂直方向に延びる。
【０１０４】
いくつかの構成では、バルブおよびバルブマニホルドはバルブキャリアに対して、バルブマニホルドの長手方向軸の周囲で最大約１９０度まで、またはバルブマニホルドの長手方向軸の周囲で最大約１８０度まで、またはバルブマニホルドの長手方向軸の周囲で最大約１６０度まで、またはバルブマニホルドの長手方向軸の周囲で最大約１２０度まで、またはバルブマニホルドの長手方向軸の周囲で最大約９０度まで、またはバルブマニホルドの長手方向軸の周囲で最大約６０度まで、またはバルブマニホルドの長手方向軸の周囲で最大約４５度まで回転可能である。
【０１０５】
いくつかの構成では、バルブモジュールは、フィルタモジュールに直接結合されてバルブモジュールからフィルタモジュールまでのガス流路を提供するように配置される。
【０１０６】
いくつかの構成では、バルブモジュールはガスの流れを送達する装置のハウジングと取外し可能に係合可能であり、それによってバルブモジュールはハウジング内に実質的に受けられ、ハウジングの外からアクセス可能である。
【０１０７】
さらに、本明細書に開示する実施形態のうちの少なくとも１つのいくつかの特徴、態様および利点によれば、ガスの流れを送達する装置が開示され、装置は、ガスの流れを患者に送達するためのガス出口を有するハウジングであって、凹部を画定するハウジングと、凹部と係合する上述のフィルタモジュールと、を含む。
【０１０８】
いくつかの構成では、装置は上述のバルブモジュールをさらに含む。
【０１０９】
いくつかの構成では、バルブモジュールはフィルタに直接結合されて、バルブモジュールからフィルタへのガス流路を提供する。
【０１１０】
さらに、本明細書に開示する実施形態のうちの少なくとも１つのいくつかの特徴、態様および利点によれば、ガスの流れを送達する装置が開示され、装置は、凹部を画定するハウジングと、ハウジングの凹部に取外し可能に受けられる上述のバルブモジュールと、を含む。
【０１１１】
いくつかの構成では、バルブモジュールは、ハウジングの凹部の中に、締結具、スナップフィット、解除可能なスナップフィットなどにより保持される。
【０１１２】
いくつかの構成では、バルブモジュールは前述のとおりであり、ガス供給ラインに流体接続可能なガス入口は、実質的に水平な位置と実質的に垂直な位置との間でハウジングに対して移動可能である。
【０１１３】
さらに、本明細書に開示する実施形態のうちの少なくとも１つのいくつかの特徴、態様および利点によれば、ガスの流れを送達する装置が開示され、装置は、ガスの流れを患者に送達するためのガス出口を有するハウジングと、ガス供給ラインからのガスの流れを受け取るためのガス入口を含むコネクタと、を含み、ガス入口はガス供給ラインに流体接続可能であり、ガス供給ラインからのガスを受け、コネクタのガス入口は、ハウジングに対して移動するように配置される。
【０１１４】
いくつかの構成では、コネクタのガス入口は、ハウジングに対して回転するように配置される。
【０１１５】
いくつかの構成では、コネクタのガス入口は、ハウジングに対して最大約１９０度まで、またはハウジングに対して最大約１８０度まで、またはハウジングに対して最大約１６０度まで、またはハウジングに対して最大約１２０度まで、またはハウジングに対して最大約９０度まで、またはハウジングに対して最大約６０度まで、またはハウジングに対して最大約４５度まで回転可能である。
【０１１６】
いくつかの構成では、ガス入口は、ガス入口の回転軸に対して実質的に横切るように延びる。
【０１１７】
いくつかの構成では、ガス入口は、ガス入口の回転軸に対して実質的に垂直に延びる。
【０１１８】
いくつかの構成では、ガス入口は、ハウジングの側壁に対して実質的に垂直に延びる。
【０１１９】
いくつかの構成では、回転軸はコネクタのガス入口の第１回転軸であり、コネクタのガス入口はさらに、第１回転軸に対して横切る第２軸の周囲で回転するように配置される。
【０１２０】
いくつかの構成では、コネクタのガス入口は、玉継ぎ手機構を介してバルブマニホルドに対して実質的にいずれの方向にも回転するように配置される。
【０１２１】
いくつかの構成では、コネクタのガス入口はハウジングに対して横切るように配置される。
【０１２２】
いくつかの構成では、装置はガス入口からのガスと周囲空気とを同時に受け取るように配置される。
【０１２３】
いくつかの構成では、装置は、ガス入口からのガスと周囲空気とが、ガス出口に送達される前に装置内で動的に閉じ込められ／混合されるように構成される。
【０１２４】
いくつかの構成では、装置はバルブモジュールを含み、コネクタはバルブモジュールの一部である。
【０１２５】
いくつかの構成では、バルブモジュールは、ガス入口から装置へのガスの流れを制御するように配置される。
【０１２６】
いくつかの構成では、コネクタは、ガス供給ライン接続を介してガス供給ラインを受けるように配置される。
【０１２７】
いくつかの構成では、ガス供給ライン接続は、実質的に水平な位置と実質的に垂直な位置との間でハウジングに対して移動可能である。
【０１２８】
さらに、本明細書に開示する実施形態のうちの少なくとも１つのいくつかの特徴、態様および利点によれば、組合せが開示され、組合せは、バルブモジュールであって、フローコントロールバルブを含み、バルブはガスの流れを制御するように配置され、ガスの流れを送達する装置のハウジングと取外し可能に係合可能なバルブモジュールと、フィルタモジュールであって、ガスの流れを送達する装置のハウジングと、フィルタモジュールがハウジングの外からアクセス可能となるように取外し可能に係合可能であり、バルブモジュールからのガスを受け取るように配置されたフィルタモジュールと、を含む。
【０１２９】
いくつかの構成では、バルブモジュールはフィルタモジュールと直接結合されて、バルブモジュールからフィルタモジュールまでのガス流路を提供するように配置される。
【０１３０】
いくつかの構成では、バルブモジュールは、バルブと、バルブからのガスを受け取るバルブマニホルドと、を含み、バルブマニホルドは、ガスをフローコントロールバルブからフィルタモジュールに送達するように配置されたバルブマニホルドガス出口を有する。
【０１３１】
いくつかの構成では、バルブモジュールは、バルブおよびバルブマニホルドを実質的に収容し、支持するバルブキャリアを含む。
【０１３２】
いくつかの構成では、バルブキャリアは周囲空気入口を含む。
【０１３３】
いくつかの構成では、バルブモジュールは、ガスをバルブに送達するためのガス入口を有するコネクタを含む。
【０１３４】
いくつかの構成では、フィルタモジュールはフィルタ本体を含み、フィルタ本体は、主コンパートメントと、少なくとも部分的に主コンパートメントの中にある少なくとも１つの副コンパートメントとを有し、主コンパートメントと少なくとも１つの副コンパートメントとはそれぞれのガス入口からガスを受け取るように配置され、それぞれのガス出口を通じてガスを送達するように配置される。
【０１３５】
いくつかの構成では、フィルタモジュールは、主コンパートメントおよび副コンパートメントに関連する濾材を含み、濾材は、主コンパートメントおよび副コンパートメントの中にある、またはそこから出るガスを濾過するように配置される。
【０１３６】
いくつかの構成では、濾材は主コンパートメントガス出口と第１副コンパートメントガス出口に広がる。
【０１３７】
いくつかの構成では、バルブモジュールは、ハウジング内に実質的に受けられ、ハウジングの外からアクセス可能である。
【０１３８】
さらに、本明細書に開示する実施形態のうちの少なくとも１つのいくつかの特徴、態様および利点によれば、ガスを送達する装置が開示され、装置は、ガスの流れを患者に送達するためのガス出口と、ガス入口と、ガス入口とガス出口との間の封止ガス経路とを有するハウジングを含み、封止ガス経路は、第１ガス入口から受け取ったガスを濾過するためのフィルタを含み、フィルタはフィルタ本体と、ガス入口と、ガス出口と、フィルタ本体の中にある、またはそこから出るガスを濾過するように配置される濾材と、を含む。
【０１３９】
いくつかの構成では、フィルタは、ハウジングと取外し可能かつ封止可能に係合可能なフィルタモジュールである。
【０１４０】
いくつかの構成では、フィルタモジュールは、フィルタモジュールが取り外されたときに封止経路が封止状態ではなくなるように、ハウジングから取外し可能である。
【０１４１】
さらに、本明細書に開示する実施形態のうちの少なくとも１つのいくつかの特徴、態様および利点によれば、ガスの流れを送達する装置が開示され、装置は、
バルブモジュールであって、フローコントロールバルブを含み、バルブはガスの流れを制御するように配置されたバルブモジュールと、
バルブモジュールからのガスを受け取るように配置されたフィルタモジュールと、
を含む。
【０１４２】
いくつかの構成では、バルブモジュールは、フィルタモジュールと直接結合され、バルブモジュールからフィルタモジュールまでのガス流路を提供するように配置される。
【０１４３】
いくつかの構成では、バルブモジュールは、バルブと、バルブからのガスを受け取るためのバルブマニホルドと、を含み、バルブマニホルドは、フローコントロールバルブからフィルタモジュールにガスを送達するように配置されたバルブマニホルドガス出口を有する。
【０１４４】
いくつかの構成では、バルブモジュールは、バルブおよびバルブマニホルドを実質的に収容し、支持するバルブキャリアを含む。
【０１４５】
いくつかの構成では、バルブキャリアは周囲空気入口を含む。
【０１４６】
いくつかの構成では、バルブモジュールは、ガスをバルブに送達するためのガス入口を有するコネクタを含む。
【０１４７】
いくつかの構成では、フィルタモジュールはフィルタ本体を含み、フィルタ本体は、主コンパートメントと、少なくとも部分的に主コンパートメントの中にある少なくとも１つの副コンパートメントと、を有し、主コンパートメントおよび少なくとも１つの副コンパートメントは、それぞれのガス入口からガスを受け取るように配置され、それぞれのガス出口を通じてガスを送達するように配置される。
【０１４８】
いくつかの構成では、フィルタモジュールは、主コンパートメントおよび副コンパートメントに関連する濾材を含み、濾材は、主コンパートメントおよび副コンパートメント内の、またはそこから出るガスを濾過するように配置される。
【０１４９】
いくつかの構成では、濾材は主コンパートメントガス出口と第１副コンパートメントガス出口に広がる。
【０１５０】
さらに、本明細書に開示する実施形態のうちの少なくとも１つのいくつかの特徴、態様および利点によれば、ガスの流れを送達する装置のためのバルブモジュールが開示され、バルブモジュールは、フローコントロールバルブを含み、バルブはガスの流れを制御するように配置され、バルブモジュールは、ガスの流れを送達する装置のハウジングと取外し可能に係合可能であり、それによってバルブモジュールはハウジング内に実質的に受けられ、ハウジングの外からアクセス可能である。
【０１５１】
いくつかの構成では、バルブは装置の一部に入るガスの流れを制御するように配置される。たとえば、バルブはフィルタへのガスの流れを制御するように配置することもできる。別法として、バルブは、装置の他の部分へのガスの流れを制御するように配置することもできる。バルブとフィルタは、装置のブロワの上流に配置することもできる。バルブとフィルタは、装置のブロワの下流に配置することもできる。
【０１５２】
いくつかの構成では、バルブモジュールの一部は、バルブモジュールがハウジングと取外し可能に係合したときに、ハウジングの外壁と実質的に同一平面になるように配置される。
【０１５３】
いくつかの構成では、バルブモジュールは、バルブマニホルドガス入口とバルブマニホルドガス出口を有するバルブマニホルドを含む。いくつかの構成では、バルブマニホルドは複数のバルブマニホルドガス出口を有する。
【０１５４】
いくつかの構成では、バルブはバルブマニホルドと封止係合する。
【０１５５】
いくつかの構成では、バルブは、バルブマニホルドガス入口からバルブマニホルドガス出口へのガスの流れを制御するように配置される。
【０１５６】
いくつかの構成では、バルブはソレノイドバルブ、モータ式バルブ、または圧電式バルブである。
【０１５７】
いくつかの構成では、バルブは比例ソレノイドバルブである。いくつかの構成では、バルブ（すなわち、バルブ開口）を通るガスの流れの範囲は、バルブに供給される電流の量と相対である。いくつかの構成では、バルブは異なる種類の電動バルブ、たとえば電動ソレノイドバルブとすることができる。
【０１５８】
いくつかの構成では、バルブマニホルドは、バルブの形状と相補的な形状を有する。いくつかの構成では、バルブマニホルドは実質的に円筒形の本体を有し、バルブは実質的に円筒形の本体を有する。別法として、バルブマニホルドとバルブは異なる形状を有することができる。
【０１５９】
いくつかの構成では、バルブマニホルドガス出口はバルブマニホルド上に半径方向に位置する。いくつかの構成では、バルブマニホルドは、バルブマニホルドの周囲に半径方向に位置する複数のバルブマニホルドガス出口を含む。
【０１６０】
いくつかの構成では、バルブマニホルドガス出口は、ノイズを減少させるために空力音響学的な形状である。バルブマニホルドガス出口は、スルーホール、円錐台形、またはフレア形のうちの１つ、またはそれらの組合せとすることができる。
【０１６１】
いくつかの構成では、バルブモジュールは、バルブおよびバルブマニホルドを実質的に収容し、支持するバルブキャリアを含む。いくつかの構成では、バルブキャリアは、装置のハウジングと取外し可能に係合可能である。
【０１６２】
いくつかの構成では、バルブキャリアはバルブおよびバルブマニホルドを支持する支持構造を含む。いくつかの構成では、支持構造はバルブおよびバルブマニホルドを支持するための１つ、２つ、またはそれ以上の支持体を含む。
【０１６３】
いくつかの構成では、バルブキャリアは、スピーカハウジングと、スピーカハウジング内に位置する音声スピーカと、を含む。
【０１６４】
いくつかの構成では、温度センサはバルブキャリアの上または中に設けられる。いくつかの構成では、温度センサはサーミスタ、デジタル温度センサ、または他のいずれかの適切な種類の温度センサを含む。いくつかの構成では、温度センサは、周囲温度のフィードバックを装置のコントローラに提供するように構成される。
【０１６５】
いくつかの構成では、バルブキャリアは第１バルブキャリア部分と第２バルブキャリア部分を含み、バルブおよびバルブマニホルドは、少なくとも一部が第１バルブキャリア部分と第２バルブキャリア部分との間に位置する所定の位置に固定される。いくつかの構成では、第１バルブキャリア部分は下側バルブキャリア部分を含み、第２バルブキャリア部分は上側バルブキャリア部分を含む。別法として、第１バルブキャリア部分は第１側方部分を含むことができ、第２バルブキャリア部分は第２側方部分を含むことができる。いくつかの構成では、バルブャリアは１つまたは複数のガードを含む。
【０１６６】
いくつかの構成では、バルブモジュールは、バルブモジュールとガスの流れを送達する装置との間の電気接続を提供するための電気コネクタを含む。いくつかの構成では、電気コネクタはバルブと電気／電子通信しており、電気コネクタは、ガスの流れを送達する装置の中の相補的コネクタと、たとえば相補的コネクタにプラグ接続することにより、係合するように配置または適合される。いくつかの構成では、電気コネクタは、バルブと電気コネクタとの間の電気／電子通信を提供するワイヤを含む。いくつかの構成では、電気コネクタはフレキシブルプリント回路基板を含む。いくつかの構成では、電気コネクタはさらに、グロメットを含むことができる。いくつかの代替的構成では、プリント回路基板（ＰＣＢ）は、ガスの流れを送達する装置のハウジングの中に配置され、バルブモジュール内の電気コネクタは、プリント回路基板と係合するエッジコネクタを含む。いくつかの構成では、ＰＣＢは、温度センサとスピーカが提供されていればそれらと電気／電子通信する。
【０１６７】
いくつかの構成では、電気コネクタは、バルブキャリアの上、側面、または基部から突出し、またはそこに配置される。いくつかの構成では、相補的コネクタは、ガスの流れを送達する装置のバルブモジュール受け穴の中に提供される。
【０１６８】
いくつかの構成では、バルブキャリアは流れ案内構造を含み、流れ案内構造は、バルブモジュールがハウジングと取外し可能に係合したときに、ガスの流れをバルブマニホルドガス出口からフィルタへと案内するように配置される。いくつかの構成では、流れ案内構造は、複数のバルブマニホルドガス出口を取り囲む環状ハウジングを含み、流れ案内構造は、フィルタのガス入口と流体連通するガス出口を含む。
【０１６９】
いくつかの構成では、バルブモジュールは、ガス入口を有するコネクタを含み、コネクタのガス入口はガス供給ラインと流体接続可能であり、コネクタは、ガス供給ラインとバルブマニホルドのガス入口との間の流体接続を提供するように配置され、コネクタのガス入口はバルブマニホルドに対して移動可能である。いくつかの構成では、コネクタはスイベルコネクタであり、ガス入口は、バルブマニホルドの長手方向軸に対して実質的に横切るように向けられ、スイベルコネクタのガス入口は、バルブマニホルドの長手方向軸の周囲で回転するように配置される。いくつかの構成では、スイベルコネクタのガス入口はさらに、バルブマニホルドの長手方向軸に対して横切る第二の軸の周囲で回転するように配置される。いくつかの構成では、スイベルコネクタは、旋回および並進運動の両方を提供するように配置され、それによってスイベルコネクタのガス入口はたとえば、１つまたは複数の軸の周囲で旋回することができ、また直線的に移動することができる。いくつかの構成では、スイベルコネクタは玉継ぎ手機構またはそれに類するものを含んで、スイベルコネクタのガス入口がバルブマニホルドに対して実質的にいずれの方向にも回転できるようにすることも可能である。
【０１７０】
いくつかの構成では、スイベルコネクタのガス入口は、バルブマニホルドの長手方向軸に対して実質的に垂直に向けられる。いくつかの構成では、ガス入口は、バルブマニホルドの長手方向軸に対して実質的に横切る異なる角度に向けることもできる。
【０１７１】
いくつかの構成では、バルブマニホルドのガス入口は、バルブマニホルドの端に、またはそれに向かって軸方向に位置する。
【０１７２】
いくつかの構成では、スイベルコネクタのガス入口は、バルブマニホルドの長手方向軸の周囲で最大約１９０度まで、またはバルブマニホルドの長手方向軸の周囲で最大約１８０度まで、またはバルブマニホルドの長手方向軸の周囲で最大約１６０度まで、またはバルブマニホルドの長手方向軸の周囲で最大約１２０度まで、またはバルブマニホルドの長手方向軸の周囲で最大約９０度まで、またはバルブマニホルドの長手方向軸の周囲で最大約６０度まで、またはバルブマニホルドの長手方向軸の周囲で最大約４５度まで回転可能である。
【０１７３】
いくつかの構成では、バルブマニホルドガス入口は、バルブマニホルドの長手方向軸に対して実質的に横切るように延び、ガス供給ラインに流体接続可能であり、バルブおよびバルブマニホルドは、バルブマニホルドの長手方向軸の周囲でバルブキャリアに対して回転可能である。
【０１７４】
いくつかの構成では、バルブマニホルドガス入口は、バルブマニホルドの長手方向軸に対して実質的に垂直方向に延びる。いくつかの構成では、バルブマニホルドガス入口は、バルブマニホルドの長手方向軸に対して実質的に横切る異なる角度に向けることができる。
【０１７５】
いくつかの構成では、バルブおよびバルブマニホルドは、バルブキャリアに対して、バルブマニホルドの長手方向軸の周囲で最大約１９０度まで、またはバルブマニホルドの長手方向軸の周囲で最大約１８０度まで、またはバルブマニホルドの長手方向軸の周囲で最大約１６０度まで、またはバルブマニホルドの長手方向軸の周囲で最大約１２０度まで、またはバルブマニホルドの長手方向軸の周囲で最大約９０度まで、またはバルブマニホルドの長手方向軸の周囲で最大約６０度まで、またはバルブマニホルドの長手方向軸の周囲で最大約４５度まで回転可能である。
【０１７６】
いくつかの構成では、コネクタのガス入口はバルブマニホルドに対して並進するように配置される。
【０１７７】
いくつかの構成では、バルブモジュールは、フィルタと直接結合されて、バルブモジュールからフィルタへのガス流路を提供するように配置される。
【０１７８】
さらに、本明細書に開示する実施形態のうちの少なくとも１つのいくつかの特徴、態様および利点によれば、ガスの流れを送達する装置が開示され、装置は、凹部を画定するハウジングと、ハウジングの凹部に取外し可能に受けられる前述のバルブモジュールと、を含む。
【０１７９】
いくつかの構成では、バルブモジュールは、ハウジングの凹部に、締結具、スナップフィットなどにより保持される。
【０１８０】
いくつかの構成では、ガス供給ラインと流体接続可能なガス入口は、実質的に水平な位置と実質的に垂直な位置との間で、ハウジングに対して移動可能である。いくつかの構成では、実質的に水平な位置は側方、前方、または後方位置である。いくつかの構成では、実質的に垂直な位置は上方または下方位置である。いくつかの構成では、実質的に水平な位置は側方位置であり、実質的に垂直な位置は下方位置である。
【０１８１】
さらに、本明細書に開示する実施形態のうちの少なくとも１つのいくつかの特徴、態様および利点によれば、ガスの流れを送達する装置が開示され、装置は、ガスの流れを患者に送達するためのガス出口を含むハウジングと、ガス供給ラインからガスの流れを受け取るためのガス入口を含むコネクタと、を含み、ガス入口はガス供給ラインと流体接続可能であり、ガス供給ラインからガスを受け取り、コネクタのガス入口はハウジングに対して移動するように配置される。
【０１８２】
いくつかの構成では、コネクタのガス入口はハウジングに対して回転するように配置される。いくつかの構成では、コネクタのガス入口は、ハウジングに対して最大約１９０度まで、またはハウジングに対して最大約１８０度まで、またはハウジングに対して最大約１６０度まで、またはハウジングに対して最大約１２０度まで、またはハウジングに対して最大約９０度まで、またはハウジングに対して最大約６０度まで、またはハウジングに対して最大約４５度まで回転可能である。
【０１８３】
いくつかの構成では、ガス入口はハウジングに対して、ガス入口の回転軸に対して実質的に横切るように延びる。したがって、ガス供給ラインがガス入口に流体接続されると、ガス供給ラインは回転軸に対して実質的に横切るように延びることができる。
【０１８４】
いくつかの構成では、ガス入口はガス入口の回転軸に対して実質的に垂直に延びる。いくつかの構成では、ガス入口は、ガス入口の回転軸に対して実質的に横切る異なる角度に向けることができる。
【０１８５】
いくつかの構成では、回転軸はコネクタのガス入口の第１回転軸であり、コネクタのガス入口はさらに、第１回転軸を横切る第２軸の周囲で回転するように配置される。
【０１８６】
いくつかの構成では、コネクタのガス入口は、玉継ぎ手機構を介してバルブマニホルドに対して実質的にいずれの方向にも回転するように配置される。
【０１８７】
いくつかの構成では、コネクタのガス入口は、さらにまたは別法として、ハウジングに対して横切るように配置される。
【０１８８】
いくつかの構成では、装置は、ガス入口からのガスと周囲空気とを同時に受け取るように配置される。いくつかの構成では、装置は、ガス入口からのガスと周囲空気とが、ガス出口に送達される前に、装置内で動的に流れ／混ざり合うように構成される。いくつかの構成では、装置は、ガス入口からのガスと周囲空気とを、ガス流路を介してガス出口へと運ぶブロワを含む。
【０１８９】
いくつかの構成では、装置は、ブロワにより提供される吸引力により周囲空気を吸い込むように配置される。いくつかの構成では、装置はガス入口からガスを同時に吸い込むように配置される。いくつかの代替的構成では、装置はガス入口から加圧ガスを同時に受け取るように配置される。いくつかの構成では、加圧ガスは加圧ガス壁内供給口、ガスタンクなどの供給源から受け取られる。
【０１９０】
いくつかの構成では、装置はバルブモジュールを含み、コネクタはバルブモジュールの一部である。いくつかの構成では、バルブモジュールは、ガス入口から装置へのガスの流れを制御するように配置される。
【０１９１】
いくつかの構成では、コネクタは、ガス供給ライン接続を介してガス供給ラインを受けるように配置される。いくつかの構成では、ガス供給ライン接続は、ハウジングに対して、実質的に水平な位置と実質的に垂直な位置との間で移動可能である。いくつかの構成では、実質的に水平な位置は側方、前方、または後方位置である。いくつかの構成では、実質的に垂直な位置は上方または下方位置である。いくつかの構成では、実質的に水平な位置は側方位置であり、実質的に垂直な位置は下方位置である。
【０１９２】
さらに、本明細書に開示する実施形態のうちの少なくとも１つのいくつかの特徴、態様および利点によれば、ガスの流れを送達する装置のためのフィルタが開示され、フィルタは、
フィルタ本体であって、主コンパートメントと、少なくとも部分的に主コンパートメントの中にある副コンパートメントを有し、主コンパートメントは主コンパートメントガス入口と流体連通し、副コンパートメントは副コンパートメントガス入口と流体連通するフィルタ本体と、
主コンパートメントと副コンパートメントの両方に関連し、主コンパートメントおよび副コンパートメント内の、またはそこから出るガスを濾過するように配置される濾材と、
を含む。
【０１９３】
いくつかの構成では、フィルタ本体は、少なくとも部分的に主コンパートメント内に位置する複数の副コンパートメントを含む。いくつかの構成では、フィルタ本体は、１つの副コンパートメント、２つの副コンパートメント、または３つ以上の副コンパートメントを含む。
【０１９４】
いくつかの構成では、副コンパートメントは完全に主コンパートメント内に位置する。別法として、いくつかの構成では、副コンパートメントは部分的に主コンパートメントの外に位置する。いくつかの構成では、少なくとも１つの副コンパートメントは完全に主コンパートメント内に位置し、少なくとも１つの副コンパートメントは部分的に主コンパートメントの外に位置する。
【０１９５】
いくつかの構成では、濾材は主コンパートメントと副コンパートメントを覆うか、またはそこに広がる。
【０１９６】
いくつかの構成では、濾材はフィルタ本体の外面上に位置して、主コンパートメントおよび副コンパートメントから出るガスを濾過する。別法として、いくつかの構成では、濾材は少なくとも部分的に主コンパートメントおよび副コンパートメント内に配置されて、主コンパートメントおよび副コンパートメント内のガスを濾過することができる。
【０１９７】
いくつかの構成では、フィルタは、ガスの流れを送達する装置のハウジングと取外し可能かつ封止可能に係合可能なフィルタモジュールである。いくつかの構成では、フィルタは、装置のハウジング内のフィルタと封止係合する、フィルタの外周に沿ったシールを含む。いくつかの構成では、フィルタとシールは、装置の中に入ったガスを、装置のガス流路に入る前にフィルタを通過させるように配置される。いくつかの構成では、シールはＯリング、または一体形成された「ワイパ」シールを含む。一体に形成されたワイパシールは、製造しやすさを提供する。
【０１９８】
いくつかの構成では、主コンパートメントは、主コンパートメント体積の境界を定める少なくとも１つの主コンパートメント壁により画定される。いくつかの構成では、副コンパートメントは、少なくとも部分的に主コンパートメント体積の中にある副コンパートメント体積の境界を定める少なくとも１つの副コンパートメント壁により画定される。
【０１９９】
いくつかの構成では、主コンパートメントはバルブマニホルドからの酸素（またはその他のガス）を受け取るように配置される。いくつかの代替的構成では、主コンパートメントは周囲空気を受け取るように配置される。
【０２００】
いくつかの構成では、副コンパートメントは、上方の代替供給源から酸素（またはその他のガス）を受け取るように配置することができる。いくつかの構成では、副コンパートメントは、側方または後方の代替供給源から酸素（またはその他のガス）を受け取るように配置することができる。
【０２０１】
いくつかの構成では、フィルタは、少なくとも部分的に主コンパートメントの中にある第２副コンパートメントを含み、第２副コンパートメントは、第２副コンパートメントガス入口からのガスを受け取るように配置される。
【０２０２】
いくつかの構成では、第２副コンパートメントは、周囲空気を受け取ることができ、いくつかの代替的構成では、第２副コンパートメントはバルブマニホルドからの酸素（またはその他のガス）を受け取ることができる。
【０２０３】
いくつかの構成では、濾材はフィルタ本体と実質的に同じ材料を含む。いくつかの構成では、フィルタ本体はポリプロピレン材料または他の好適なポリマ材料を含み、濾材は紡績ポリポロピレンまたは他の好適なポリマもしくは合成材料を含む。
【０２０４】
いくつかの構成では、濾材は少なくとも１つの主コンパートメント壁および少なくとも１つの副コンパートメント壁に超音波溶接される。いくつかの構成では、少なくとも１つの主コンパートメント壁と少なくとも１つの副コンパートメント壁とは、大きい超音波溶接面積を提供するような形状である。いくつかの構成では、主コンパートメント壁と少なくとも１つの副コンパートメント壁とは、フランジおよび／または実質的に扁平な「ｎ」字型の壁構成のうちの１つまたは複数を含む。
【０２０５】
いくつかの代替的構成では、濾材は、少なくとも１つの主コンパートメント壁および少なくとも１つの副コンパートメント壁にオーバモールドすることができる。いくつかの代替的構成では、濾材は少なくとも１つの主コンパートメント壁および少なくとも１つの副コンパートメント壁にグルーまたは樹脂接着剤で接着することができる。
【０２０６】
いくつかの構成では、主コンパートメントは実質的に長方形の輪郭である。代替構成では、主コンパートメントは異なる輪郭形状、たとえば丸、楕円、正方形、または他のいずれの好適な形状も有する。
【０２０７】
いくつかの構成では、フィルタは、フィルタ本体に取り付けられた、または取付可能なフィルタ上パネルを有する。いくつかの構成では、フィルタ上パネルはフィルタ本体にスナップフィット、クリップ、締結具、または他の好適な取付手段により取付可能である。
【０２０８】
いくつかの構成では、フィルタ上パネルは、フィルタがハウジングと係合したときに、ガスの流れを送達する装置のハウジングと実質的に同一平面になるように配置される。
【０２０９】
いくつかの構成では、フィルタ上パネルは、装置のハウジングの隣接部分と同じ材料で製作される。いくつかの構成では、フィルタ上パネルはポリカーボネートまたは他の好適なポリマ材料である。
【０２１０】
いくつかの構成では、フィルタ上パネルは、ガスの流れを送達する装置のハウジングへのフィルタの抜き差しを支援するためのハンドリング機構を含む。
【０２１１】
いくつかの構成では、フィルタハンドリング機構は、隆起、溝、またはグリップを含む。いくつかの構成では、フィルタハンドリング機構は、フィルタ上パネルの周囲に設けられる。いくつかの構成では、フィルタハンドリング機構は、フィルタ上パネル上の他の箇所に設けられる。いくつかの構成では、フィルタ上パネルは複数のフィルタハンドリング機構を含む。
【０２１２】
いくつかの構成では、フィルタ本体は、副コンパートメントと流体連通するガス供給ラインコネクタを含む。いくつかの構成では、ガス供給ラインコネクタは、ガス供給ラインコネクタの上端に、またはそれに隣接して、かえし等のガス供給ライン保持機構を含む。
【０２１３】
いくつかの構成では、ガス供給ラインコネクタは、代替供給源からの酸素を受け取るための酸素ラインに接続可能とすることができる。いくつかの構成では、フィルタ上パネルは、ガス供給ラインコネクタを露出させ、保護するように取り囲む開口部を含む。
【０２１４】
いくつかの構成では、フィルタは少なくとも部分的に主コンパートメントの中にある第２副コンパートメントを含み、第２副コンパートメントは、第２副コンパートメントガス入口からのガスを受け取るように配置され、ダクトが第２副コンパートメントと流体連通するように設けられる。ダクトは、バルブマニホルドガス出口からのガスを、たとえばバルブマニホルド上の流れ案内構造を介して受け取るように配置することができる。
【０２１５】
いくつかの構成では、ダクトはフィルタ本体と一体形成され、またはフィルタ本体とは別に形成される。
【０２１６】
さらに、本明細書に開示する実施形態のうちの少なくとも１つのいくつかの特徴、態様および利点によれば、ガスの流れを送達する装置のためのフィルタが開示され、フィルタは、
フィルタ本体を含み、フィルタ本体は、主コンパートメントガス入口および主コンパートメントガス出口と流体連通する主コンパートメントを有し、主コンパートメントガス出口は実質的に平らであり、その上に濾材が広がり、主コンパートメントガス入口と主コンパートメントガス出口は、入口を通るガス流方向が出口を通るガス流方向と角度をなすように配置される。
【０２１７】
いくつかの構成では、主コンパートメントガス入口を通るガス流方向は、主コンパートメントガス出口を通るガス流方向に実質的に垂直である。
【０２１８】
いくつかの構成では、主コンパートメントは実質的に長方形の輪郭である。代替構成では、主コンパートメントは異なる輪郭形状、たとえば丸、楕円、正方形、または他のいずれの好適な形状も有する。
【０２１９】
いくつかの構成では、主コンパートメントの少なくとも一部は、主コンパートメントの、主コンパートメントガス入口より離れた部分が、主コンパートメントの、主コンパートメントガス入口に隣接する部分より小さくなるように内側にテーパ状である。それによって、流入するガスは濾材に向かって／それを通って実質的に横切るように曲げることができる。
【０２２０】
いくつかの構成では、主コンパートメントの実質的に全体が内側にテーパ状である。いくつかの構成では、フィルタ本体は傾斜した壁を含み、これは少なくとも部分的に主コンパートメントを画定し、主コンパートメントのテーパリングを提供する。傾斜した壁は、主コンパートメントの、濾材とは反対の面に配置することができる。
【０２２１】
いくつかの構成では、主コンパートメントの小さい部分のみが内側にテーパ状である。
【０２２２】
いくつかの構成では、フィルタ本体は、少なくとも部分的に主コンパートメントの中にあり、副コンパートメントガス入口と流体連通する副コンパートメントを含む。いくつかの構成では、副コンパートメントは副コンパートメントガス出口を含み、濾材は副コンパートメントガス出口に広がる。
【０２２３】
いくつかの構成では、フィルタ本体は２つ、３つ、またはそれ以上の副コンパートメントを含む。副コンパートメントの各々は、ガスの流れを送達する装置に二次的、または代替ガスを送達するように配置することができる。たとえば、副コンパートメントの１つは酸素を送達するために使用でき、副コンパートメントの１つはヘリオックスを送達するために使用できる。
【０２２４】
いくつかの構成では、副コンパートメントガス入口の面積と副コンパートメントガス出口との比は、約１：５〜約１：８０の間、約１：１０〜約１：４０の間、または約１：２０である。
【０２２５】
いくつかの構成では、フィルタ本体は、少なくとも部分的に主コンパートメントの中にある第２副コンパートメントを含み、第２副コンパートメントは、第２副コンパートメントガス入口からのガスを受け取るように配置される。いくつかの構成では、第２副コンパートメントは、第２副コンパートメントガス出口を含み、濾材は第２副コンパートメントガス出口に広がる。いくつかの構成では、第２副コンパートメントガス入口の面積と第２副コンパートメントガス出口との比は、約１：５〜約１：８０の間、または約１：１０〜約１：４０の間、または約１：２０〜約１：２５の間である。
【０２２６】
いくつかの構成では、主コンパートメントガス入口の面積と主コンパートメントガス出口の面積との比は、約１：１０〜約１：４０の間、または約１：１５〜約１：３０の間、または約１：２０〜約１：２５との間である。
【０２２７】
いくつかの構成では、フィルタは、本明細書に記載の他の構成に関して概説された特徴のいずれか１つまたは複数を含む。
【０２２８】
いくつかの構成では、濾材は、フィルタの２つの対向する面に設けられて、２つの主コンパートメントガス出口および、副コンパートメントの数に応じて、１つ、２つ、またはそれ以上の副コンパートメントガス出口を形成することができる。いくつかの構成では、主コンパートメントガス入口の面積と主コンパートメントガス出口の総面積との非は約１：２０〜約１：８０の間、または約１：３０〜約１：６０の間、または約１：４０〜約１：５０の間である。２つの副コンパートメントガス出口を備える第１副コンパートメントガスを有するいくつかの構成では、第１副コンパートメントガス入口の面積と副コンパートメントガス出口の総面積との比は、約１：１０〜約１：１６０の間、または約１：２０〜約１：８０の間、または約１：４０である。２つの第２副コンパートメントガス出口を備える第２副コンパートメントを有するいくつかの構成では、第２副コンパートメントガス入口の面積と第２副コンパートメントガス出口の総面積との比は、約１：１０〜約１：１６０の間、または約１：２０〜約１：８０の間、または約１：４０〜約１：５０の間である。
【０２２９】
さらに、本明細書に開示する実施形態のうちの少なくとも１つのいくつかの特徴、態様および利点によれば、ガスの流れを送達する装置が開示され、装置は、
ガスの流れを患者に送達するためのガス出口を有するハウジングであって、凹部を画定するハウジングと、
凹部と係合する前述のフィルタと、
を含む。
【０２３０】
いくつかの構成では、装置は前述のバルブモジュールを含む。
【０２３１】
さらに、本明細書に開示する実施形態のうちの少なくとも１つのいくつかの特徴、態様および利点によれば、ガスの流れを送達する装置が開示され、装置は、
ガスの流れを患者に送達するためのガス出口を有するハウジングと、
第１ガス入口、第２ガス入口、および周囲空気入口と、
を含む。
【０２３２】
いくつかの構成では、装置は、第１ガス入口、第２ガス入口、および周囲空気入口から受け取ったガスを濾過するためのフィルタを含む。
【０２３３】
いくつかの構成では、装置は、第１ガス入口からガスを受け取り、ガスをフィルタへと送達するように配置されたフローコントロールバルブを含む。
【０２３４】
いくつかの構成では、装置は、フィルタからガスを受け取り、ガスをガス出口へと送達するように配置されたブロワを含む。
【０２３５】
いくつかの構成では、装置は、ハウジングと取外し可能に係合可能なバルブモジュールを含み、バルブモジュールは、バルブと、バルブからのガスを受け取るためのバルブマニホルドと、を含み、バルブマニホルドは、ガスをフローコントロールバルブからフィルタへと送達するように配置されたバルブマニホルドガス出口を有する。いくつかの構成では、バルブモジュールは、バルブおよびバルブマニホルドを実質的に収容し、支持するバルブキャリアを含む。いくつかの構成では、周囲空気入口がバルブキャリアに設けられる。
【０２３６】
いくつかの構成では、バルブモジュールは、フィルタと直接結合されて、バルブモジュールからフィルタへのガス流路を提供するように配置される。
【０２３７】
いくつかの構成では、第１ガス入口は、ハウジングに対して移動するように配置される。
【０２３８】
いくつかの構成では、フィルタはフィルタ本体を含み、フィルタ本体は、主コンパートメントと、少なくとも部分的に主コンパートメントの中にある第１副コンパートメントと、少なくとも部分的に主コンパートメントの中にある第２コンパートメントと、を含み、第１ガス入口、第２ガス入口、および周囲空気入口は各々、主コンパートメント、第１副コンパートメント、および第２副コンパートメントのそれぞれ１つと流体連通する。いくつかの構成では、フィルタは、主コンパートメント、第１副コンパートメント、および第２副コンパートメントのすべてに関連する濾材を含み、濾材は、主コンパートメント、第１副コンパートメント、および第２副コンパートメント内の、またはそこから出るガスを濾過するように配置される。いくつかの構成では、フィルタは主コンパートメントガス出口、第１副コンパートメントガス出口、および第２副コンパートメントガス出口を含み、濾材は主コンパートメントガス出口、第１副コンパートメントガス出口、および第２副コンパートメントガス出口に広がる。
【０２３９】
いくつかの構成では、フィルタはハウジングと取外し可能に係合可能である。
【０２４０】
いくつかの構成では、装置はネーザルハイフローセラピー用装置である。
【０２４１】
さらに、本明細書に開示する実施形態のうちの少なくとも１つのいくつかの特徴、態様および利点によれば、
バルブモジュールであって、フローコントロールバルブを含み、バルブはガスの流れを制御するように配置され、バルブモジュールはガスの流れを送達する装置のハウジングと取外し可能に係合可能であり、それによってバルブモジュールは実質的にハウジング内で受けられ、その外部からアクセス可能であるバルブモジュールと、
フィルタモジュールであって、ガスの流れを送達する装置のハウジングと取外し可能に係合可能であり、それによってフィルタモジュールはハウジングの外部からアクセス可能であり、フィルタモジュールはバルブモジュールからのガスを受け取るように配置されるフィルタモジュールと、
の組合せが開示される。
【０２４２】
いくつかの構成では、バルブモジュールは、フィルタモジュールと直接結合されて、バルブモジュールからフィルタモジュールへのガス流路を提供するように配置される。
【０２４３】
いくつかの構成では、バルブモジュールは、バルブと、バルブからのガスを受け取るバルブマニホルドと、を含み、バルブマニホルドは、ガスをフローコントロールバルブからフィルタへと送達するように配置されたバルブマニホルドガス出口を有する。いくつかの構成では、バルブモジュールは、バルブおよびバルブマニホルドを実質的に収容し、支持するバルブキャリアを含む。いくつかの構成では、バルブキャリアは周囲空気入口を含む。
【０２４４】
いくつかの構成では、バルブモジュールは、ガスをバルブに送達するためのガス入口を有するコネクタを含み、ガス入口移動可能である。
【０２４５】
いくつかの構成において、フィルタはフィルタ本体を含み、フィルタ本体は主コンパートメントと、少なくとも部分的に主コンパートメントの中にある少なくとも１つの副コンパートメントとを有し、主コンパートメントと少なくとも１つの副コンパートメントとは、それぞれのガス入口からガスを受け取るように配置され、それぞれのガス出口を通じてガスを送達するように配置される。
【０２４６】
いくつかの構成では、フィルタは、主コンパートメントおよび副コンパートメントに関連する濾材を含み、濾材は主コンパートメントおよび副コンパートメント内の、またはそこから出るガスを濾過するように配置される。いくつかの構成では、濾材は主コンパートメントガス出口および第１副コンパートメントガス出口に広がる。
【０２４７】
本明細書に記載するフィルタおよびバルブモジュールは、ガスの流れを送達する装置の中で別々に使用できることがわかるであろう。別法として、フィルタおよびバルブモジュールは、機能を向上させるために一緒に使用することができる。フィルタおよびバルブモジュールは、フィルタ・バルブアセンブリを提供するために一緒に提供することができる。
【０２４８】
１つまたは複数の実施形態または構成からの特徴を、１つまたは複数の他の実施形態または構成の特徴と組み合わせることができる。さらに、患者の呼吸支援のプロセス中に、２つ以上の実施形態を合わせて使用することができる。
【０２４９】
本明細書で用いる「備える（ｃｏｍｐｒｉｓｉｎｇ）」という用語は、「少なくとも一部には〜からなる」を意味する。「備える」という用語を含む、本明細書における各記述を解釈するとき、その用語の前にくるもの以外の特徴も存在する可能性がある。「備える（ｃｏｍｐｒｉｓｅ）」および「備える（ｃｏｍｐｒｉｓｅｓ）」などの関連する用語は、同様に解釈されるべきである。
【０２５０】
本明細書において開示する数の範囲への言及（たとえば、１〜１０）はまた、その範囲内のすべての有理数（たとえば、１、１．１、２、３、３．９、４、５、６、６．５、７、８、９、および１０）、またその範囲内の有理数のあらゆる範囲（たとえば、２〜８、１．５〜５．５、および３．１〜４．７）への言及も含むものとし、したがって、本明細書において明示的に開示するすべての範囲のすべての部分範囲もここで明示的に開示する。これらは特に意図されたものの例にすぎず、列挙された最小値と最大値との間の数値の考えうるすべての組合せは、本願において同様の方法で明示的に述べられていると考えるものとする。
【０２５１】
代替実施形態または構成は、本明細書において例示し、記載しまたは言及する部品、要素または特徴のうちの２つ以上の任意のまたはすべての組合せを含むことができることが理解されるべきである。
【０２５２】
本発明が関連する技術分野の当業者には、添付の特許請求の範囲において定義される本発明の範囲から逸脱することなく、構造の多くの変更ならびに本発明の広く異なる実施形態および応用が浮かぶであろう。本明細書における開示および記載は、単に例示的なものであり、いかなる意味においても限定的であるようには意図されていない。本明細書では、本発明が関連する技術分野において既知の均等物を有する具体的な完全体が言及されている場合、こうした既知の均等物は、個々に示されているかのように本明細書に組み込まれるものとみなされる。本発明はまた、本願の明細書の中で個別にまたは集合的に言及され、または示された部品、要素、および特徴ならびに、前記部品、要素、または特徴のいずれか２つまたはそれ以上のあらゆるすべての組合せにあると、広義に言うことも可能である。
【０２５３】
具体的な実施形態およびその変更形態は、以下の図を参照する本明細書の詳細な説明から当業者には明らかとなろう。
【図面の簡単な説明】
【０２５４】
【図１】フローセラピー装置の形態の呼吸補助装置を概略形態で示す。
【図２Ａ】バルブモジュールとフィルタモジュールの例示的な位置を示す、フローセラピー装置の左側面図である。
【図２Ｂ】バルブモジュールとフィルタモジュールの例示的な位置を示す、フローセラピー装置の上面図である。
【図３Ａ】フィルタモジュールがハイライトされたフローセラピー装置の正面左側斜視図である。
【図３Ｂ】バルブモジュールがハイライトされたフローセラピー装置の正面左側斜視図である
【図４】バルブモジュールとフィルタモジュールを示す一部切欠き正面左側斜視図である。
【図５】バルブモジュールとフィルタモジュールが所定の位置にあるフローセラピー装置の下部シャシの正面右側上面斜視図である。
【図６】バルブモジュールとフィルタモジュールが所定の位置にあるフローセラピー装置の下部シャシの下面斜視図である。
【図７】ガスの流れを送達する装置で使用するモータおよび／またはセンサモジュールを示す。
【図８】モータおよび／またはセンサモジュールのためのブロワユニットを示す。
【図９】フィルタモジュールとバルブモジュールのためのガス流路の概略図であり、実線矢印は酸素（または他のガス）の流れを表し、破線矢印は周囲空気の流れを表す。
【図１０】フィルタモジュールとバルブモジュールを通るガス流路を示す断面図である。
【図１１Ａ】第１構成のフィルタモジュールのフィルタ本体の正面右側上面斜視図である。
【図１１Ｂ】フィルタ本体、濾材、およびフィルタ上プレートを含む第１構成のフィルタの正面右側上面斜視図である。
【図１１Ｃ】フィルタ本体の上側部分の上面斜視図である。
【図１１Ｄ】フィルタ本体の上側部分の端面図である。
【図１２Ａ】フィルタモジュールを通るガス流路を示す、第１構成のフィルタモジュールの概略側面図であり、実線矢印は酸素（または他のガス）の流れを表し、破線矢印は周囲空気の流れを表す。
【図１２Ｂ】フィルタモジュールを通るガス流路を示す、第１構成のフィルタモジュールの概略斜視図であり、実線矢印は酸素（または他のガス）の流れを表し、破線矢印は周囲空気の流れを表す。
【図１３】フィルタ本体の壁部分の超音波溶接領域を示す、第１構成のフィルタモジュールの図である。
【図１４】テーパ状のフィルタモジュールを通るガスの流れを示す流体モデルを示す。
【図１５】第２構成のフィルタモジュールの正面右側上面斜視図である。
【図１６】フィルタモジュールを通るガス流路を示す、第２構成のフィルタモジュールの側面図であり、実線矢印は酸素（または他のガス）の流れを表し、破線矢印は周囲空気の流れを表す。
【図１７】第１構成のバルブモジュールの後側上面斜視図である。
【図１８】第１構成のバルブモジュールを通るガス流路を示す後側上面斜視図であり、実線矢印は酸素（または他のガス）の流れを表し、破線矢印は周囲空気の流れを表す。
【図１９】第１構成のバルブモジュールを通る断面図である。
【図２０Ａ−２０Ｄ】第１構成のバルブモジュールのバルブマニホルドのそれぞれ斜視図、上面図、端面図、および側面図である。
【図２１】バルブマニホルドガス出口の例示的な空力音響学的形状を示す。
【図２２】第１構成のバルブモジュールのバルブおよびバルブマニホルドの継ぎ手と、それを通るガス流路を示す断面図である。
【図２３】第１、第４、および第５構成のバルブモジュールと、第１および第２構成のフィルタモジュールとのガス流路の概略図であり、実線矢印は酸素（または他のガス）の流れを表し、破線矢印は周囲空気の流れを表す。
【図２４】第２構成のバルブモジュールの後側上面斜視図である。
【図２５】第２構成のバルブモジュールを通るガス流路を示す後側上面斜視図であり、実線矢印は酸素（または他のガス）の流れを表し、破線矢印は周囲空気の流れを表す。
【図２６】第３構成のバルブモジュールの後側上面斜視図である。
【図２７】第２および第３構成のバルブモジュールと第１および第２構成のフィルタモジュールとのガス流路の概略図であり、実線矢印は酸素（または他のガス）の流れを表し、破線矢印は周囲空気の流れを表す。
【図２８】第４構成のバルブモジュールの後側上面斜視図である
【図２９】バルブマニホルドガス出口と、第４構成のバルブモジュールガス出口から第２構成のフィルタモジュールへとガスを案内するためのフローダクトとを示す切欠き図である。
【図３０】第４構成のバルブモジュールのバルブとバルブマニホルドの継ぎ手を示す断面図である。
【図３１】第５構成のバルブモジュールの後側上面斜視図である。
【図３２】ガスの流れを送達する装置のハウジング内の所定の位置にある第５構成のバルブモジュールの下面斜視図であり、ポールスタンドに取り付けられた装置を示す。
【図３３】第６構成のバルブモジュールの一部と第３構成のフィルタモジュールとの後側上面斜視図である。
【図３４】第３構成のフィルタモジュールと、バルブキャリア上パネルを含む第６構成のバルブモジュールとの後側上面斜視図である。
【図３５】第６構成のバルブモジュールの一部と第３構成のフィルタモジュールの一部との断面図であり、バルブモジュールとフィルタモジュールを通る酸素（または他のガス）のガス流路を示す。
【図３６】第６構成のバルブモジュールと第３構成のフィルタモジュールとのガス流路の概略図であり、実線矢印は酸素（または他のガス）の流れを表し、破線矢印は周囲空気の流れを表す。
【図３７Ａ−３７Ｄ】第６構成のバルブモジュールのバルブマニホルドガス出口と第３構成のフィルタモジュールのフィルタモジュールダクトとの間の例示的なシールを示す。
【図３８】第３構成のフィルタモジュールを通るガス流路を示す側面図であり、実線矢印は酸素（または他のガス）の流れを表し、破線矢印は周囲空気の流れを表す。
【図３９】第３構成のフィルタモジュールの係合の詳細を示す側面図である。
【図４０】第３構成のフィルタモジュールのガス入口とガス出口の例示的な面積を示す斜視図である。
【図４１】フィルタモジュールのうちの１つのフィルタ保持／解除機構を示す、ガスの流れを送達する装置の正面左側上面斜視図である。
【図４２】バルブモジュールのうちの１つとフィルタモジュールのうちの１つとの代替的なガス流路の概略図であり、実線矢印は酸素（または他のガス）の流れを表し、破線矢印は周囲空気の流れを表す。
【図４３】第７構成のバルブモジュールの後側上面斜視図である。
【図４４】上側バルブキャリア部分を取り外した状態の、図４３と同様であるが、他の側から見た図である。
【図４５】上側バルブキャリア部分を取り外した状態の、図４３と同様の図である。
【図４６】第４構成のフィルタモジュールのフィルタを示す斜視図である。
【図４７】フィルタ延長ダクトとマニホルド出口の部分断面図である。
【図４８】フィルタ延長ダクトとマニホルド出口の部分断面図である。
【図４９】バッテリカバーとバルブモジュールの部分下面図である。
【図５０】キャップまたは蓋を有するバルブモジュールの部分上面図である。
【図５１】バルブモジュールを通る部分断面図である。
【図５２】温度センサの位置を示すバルブモジュールの下面斜視図である。
【図５３】解除タブの切欠き図である。
【図５４】解除タブの部分斜視図である。
【図５５】解除タブの切欠き図である。
【図５６】他のバルブモジュールの斜視図である。
【図５７】図５６のバルブモジュールの下面図である。
【図５８】図５６のバルブモジュールの他の斜視図である。
【発明を実施するための形態】
【０２５５】
１．概論
図１に、ガスの流れを患者に送達するためのフローセラピー装置１０を示す。一般的に、装置１０は、主ハウジング１００と、モータ／インペラ配置構成の形態の流れ発生器１１と、任意選択的な加湿器１２と、コントローラ１３と、ユーザＩ／Ｏインタフェース１４（たとえば、ディスプレイ、およびボタン、タッチスクリーン等の入力デバイスを含む）と、フィルタモジュール１００１、２００１（図１５および１６）、３００１（図３８〜４０）、１１００１（図４６）と、バルブモジュール４００１、５００１、６００１、７００１、８００１、９００１（図１７〜３７）を備える。コントローラ１３は、患者に送達するガスの流れ（ガス流）を生成するように流れ発生器１１を動作させること、生成されたガス流を加湿しかつ／または加熱するように加湿器１２（存在する場合）を動作させること等、装置の構成要素を制御し、装置１０の再構成および／またはユーザ定義動作に対してユーザインタフェース１４からユーザ入力を受け取り、ユーザに情報を（たとえば、ディスプレイに）出力するように構成されるかまたはプログラムされている。ユーザは、患者、医療専門家、または装置の使用に関心のある別の人であり得る。
【０２５６】
フローセラピー装置１０のハウジング１００内のガス流出力口３４４に、患者呼吸導管１６が結合されており、それは、マニホルド１９および鼻プロング１８を備えた鼻カニューレ等の患者インタフェース１７に結合されている。さらにまたは別法として、患者呼吸導管１６は、フェイスマスクに結合することができる。さらにまたは別法として、患者呼吸導管は、鼻ピローマスクおよび／または鼻マスクおよび／または気管切開インタフェース、または他の任意の好適なタイプの患者インタフェースに結合することができる。フローセラピー装置１０によって生成される、加湿することができるガス流は、患者呼吸導管１６を介してカニューレ１７を通して患者に送達される。患者呼吸導管１６は、通過して患者まで流れるガス流を加熱するヒータワイヤ１６ａを有することができる。ヒータワイヤ１６ａは、コントローラ１３によって制御される。患者呼吸導管１６および／または患者インタフェース１７は、フローセラピー装置１０の一部、または別法としてその周辺装置とみなすことができる。フローセラピー装置１０、呼吸導管１６および患者インタフェース１７は、合わせてフローセラピーシステムを形成する。
【０２５７】
フローセラピー呼吸装置１０の全体的な動作は、当業者には既知となるため、ここでは詳細に記載する必要はない。しかしながら、一般的に、コントローラ１３は、所望の流量のガス流を生成するように流れ発生器１１を制御し、空気および酸素または他の代替ガスの混合を制御するように１つまたは複数の弁を制御し、適切なレベルまでガス流を加湿しかつ／またはガス流を加熱するように加湿器１２（存在する場合）を制御する。ガス流は、患者呼吸導管１６およびカニューレ１７を通って患者の体内に出るように向けられる。コントローラ１３はまた、所望のレベルの治療および／または患者に対する快適さを達成する所望の温度までガスを加熱するように、加湿器１２の加熱素子および／または患者呼吸導管１６の加熱素子１６ａを制御することも可能である。コントローラ１３をガス流の好適な目標温度でプログラムすることができ、または、コントローラ１３がガス流の好適な目標温度を決定することができる。
【０２５８】
フローセラピー装置１０および／または患者呼吸導管１６および／またはカニューレ１７のさまざまな位置に、流量センサ、温度センサ、湿度センサおよび／または圧力センサ等の動作センサ３ａ、３ｂ、３ｃ、２０、および２５を配置することができる。センサからの出力は、コントローラ１３が受け取り、コントローラ１３が最適な治療を提供するようにフローセラピー装置１０を動作させるのに役立つことができる。いくつかの構成では、最適な治療を提供することは、患者の呼吸要求を満たすことを含む。装置１０は、コントローラ１３が、センサから信号８を受け取り、かつ／または限定されないが流れ発生器１１、加湿器１２およびヒータワイヤ１６ａを含むフローセラピー装置１０のさまざまな構成要素、もしくはフローセラピー装置１０に関連する付属装置もしくは周辺装置を制御することができるように、送信器および／または受信器１５を有することができる。さらにまたは別法として、送信器および／または受信器１５は、リモートサーバにデータを送出するかまたは装置１０の遠隔制御を可能にすることができる。
【０２５９】
フローセラピー装置１０は、任意の好適なタイプの装置であり得るが、いくつかの構成では、患者に（たとえば、空気、酸素、他の混合ガスまたはそれらの何らかの組合せの）高ガス流量またはハイフローセラピー（高流量療法）を送達して、呼吸を補助しかつ／または呼吸疾患を治療することができる。いくつかの構成では、ガスは酸素であるかまたは酸素を含む。いくつかの構成では、ガスは、酸素および周囲空気の混合物を含む。「ハイフローセラピー」は、本開示で使用するかぎり、ガスを成人患者には約１０リットル／分（１０ＬＰＭ）より高いかまたはそれと等しい流量で、または新生児、乳児、もしくは小児患者には約１リットル／分（１ＬＰＭ）もしくは２リットル／分（２ＬＰＭ）より高いかまたはそれと等しい流量で送達することを指すことができる。いくつかの構成では、成人患者用の「ハイフローセラピー」は、約１０ＬＰＭ〜約１００ＬＰＭ、または約１５ＬＰＭ〜約９５ＬＰＭ、または約２０ＬＰＭ〜約９０ＬＰＭ、または約２５ＬＰＭ〜約８５ＬＰＭ、または約３０ＬＰＭ〜約８０ＬＰＭ、または約３５ＬＰＭ〜約７５ＬＰＭ、または約４０ＬＰＭ〜約７０ＬＰＭ、または約４５ＬＰＭ〜約６５ＬＰＭ、または約５０ＬＰＭ〜約６０ＬＰＭの流量での患者へのガスの送達を指すものとする。いくつかの構成では、新生児、乳児、または小児患者に関して、「ハイフローセラピー」は、ガスを約１ＬＰＭから約２５ＬＰＭの間、または約２ＬＰＭ〜約２５ＬＰＭの間、または約２ＬＰＭ〜約５ＬＰＭの間、または約５ＬＰＭ〜約２５ＬＰＭの間、または約５ＬＰＭ〜約１０ＬＰＭの間、または約１０ＬＰＭ〜約２５ＬＰＭの間、または約１０ＬＰＭ〜約２０ＬＰＭの間、または約１０ＬＰＭ〜１５ＬＰＭの間、または約２０ＬＰＭ〜２５ＬＰＭの間の流量で患者に送達することを指すことができる。したがって、成人患者または新生児、乳児、もしくは小児患者のいずれに使用するハイフローセラピー装置も、患者にガスを約１ＬＰＭ〜約１００ＬＰＭの間の流量、または上で概略を記した部分範囲のいずれかに含まれる流量で送達することができる。送達されるガスは、ある割合の酸素を含むことができる。いくつかの構成では、送達されるガスにおける酸素の割合は、約２０％〜約１００％、または約３０％〜約１００％、または約４０％〜約１００％、または約５０％〜約１００％、または約６０％〜約１００％、または約７０％〜約１００％、または約８０％〜約１００％、または約９０％〜約１００％、または約１００％、または１００％であり得る。
【０２６０】
ハイフローセラピーは、患者の呼吸要求を満たすかまたは上回り、患者の酸素供給を増大させ、かつ／または呼吸の努力を低減させるのに有効であることがわかった。さらに、ハイフローセラピーは、鼻咽頭内のフラッシング効果を発生させることができ、それにより、上気道の解剖学的死腔が、入ってくる高流量のガス流によってフラッシングされる。これにより、呼吸毎に利用可能な新鮮なガスの貯蔵部が生成され、一方で、二酸化炭素、窒素等の再呼吸が最小限になる。
【０２６１】
ハイフローセラピーは、使用者の鼻孔に、および／または経口的に、または気管切開インタフェースを介して施行され得る。ハイフローセラピーは、使用者に対し、所期の使用者の最大吸気速度要求の、またはそれを上回る流量でガスを送達することができる。ハイフローセラピーは、鼻咽頭内でフラッシング効果を発生させることができ、それによって上気道の解剖学的死腔が、入っている高流量のガス流によってフラッシングされる。これにより、呼吸毎に利用可能な新鮮なガスの貯蔵部を形成することができ、一方で、窒素および二酸化炭素の再呼吸が最小限になる。
【０２６２】
患者インタフェースは、気圧障害（たとえば、気圧に対する圧力の差による肺または呼吸系の他の器官に対する組織損傷）を防止する非封止インタフェースであり得る。患者インタフェースは、マニホルドおよび鼻プロングを備えた鼻カニューレ、および／またはフェイスマスク、および／または鼻ピローマスク、および／または鼻マスク、および／または気管切開インタフェース、または他の任意の好適なタイプの患者インタフェースであり得る。
【０２６３】
図２Ａ〜図４２に示しかつ後述するように、フローセラピー装置１０は、装置１０の機能、使用および／または構成に役立つさまざまな特徴を有する。
【０２６４】
２．主ハウジングの説明を含む概説
図２Ａ〜図６に示すように、フローセラピー装置１０は主ハウジング１００を備える。主ハウジング１００は、主ハウジング上部シャシ１０２および主ハウジング下部シャシ２０２を有する。
【０２６５】
主ハウジングは、周壁配置構成を有する。周壁配置構成は、取外し可能液体チャンバ３００を受け入れる、加湿器または液体チャンバ区画１０８を画定する。取外し可能液体チャンバ３００は、患者に送達されるガスを加湿するために水などの好適な液体を収容する。
【０２６６】
図示する形態では、主ハウジング下部シャシ２０２の周辺壁配置は、主ハウジング１００の前後方向に向けられた実質的に垂直な左側外壁２１０と、実質的に垂直な右側外壁２１６と、壁２１０、２１６間に延びてこれらを接続する実質的に垂直な後外壁２２２と、を含む。底壁２３０は、壁２１０、２１６、２２２の下端間に延びてこれらを接続し、液体チャンバ区画の実質的に水平な床部分１３６を形成する。
【０２６７】
図示する形態では、主ハウジング上部シャシ１０２の周辺壁配置は、主ハウジングの前後方向に延びる左側上壁１１４と、主ハウジングの前後方向に延びる右側上壁１２０と、壁１１４、１２０間に延びてこれらを接続する横方向に延びる後壁１２８とを含む。
【０２６８】
液体チャンバ区画１０８の床部分１３６は、ヒータプレートまたは他の好適な加熱素子等、加湿プロセス中に使用する液体チャンバ３００内の液体を加熱するためのヒータ機構を受けるための凹部を有する。
【０２６９】
液体チャンバ区画１０８は、左側の水平に延在するガイドレール１４４および右側の水平に延在するガイドレール１４６の形態の対向するガイド機構をさらに備え、それらは、左側内壁１１２および右側内壁１１８から区画１０８の中心に向かって延在して、液体チャンバ３００の区画１０８の適所への案内に役立つ。
【０２７０】
主ハウジング下部シャシ２０２は、たとえばクリップ等、好適な締結具または一体化した取付機構のいずれかにより、上部シャシ１０２に取付可能である。主ハウジング下部シャシ２０２が主ハウジング上部シャシ１０２に取り付けられると、上部シャシの左側上壁１１４、右側上壁１２０、および横方向に延びる後壁１２８の下端が主ハウジング下部シャシのそれぞれ左側外壁２１０、右側外壁２１６、および後外壁２２２の上端と係合する。
【０２７１】
装置は、装置の構成要素間に、ユニットへの水および酸素の侵入を減少させるためのさねはぎ機構を有する。装置は、有利には、下部シャシ壁の上端と上部シャシ壁の下端との間にさねはぎ機構を有する。さねはぎ機構は、上部および下部シャシ部１０２、２０２の周縁部に実質的に連続的な液体／ガス流抵抗継手を提供する。たとえば、下部シャシ壁には溝が設けられていてもよく、上部シャシ壁には相補的なさねが設けられていてもよく、これは上部および下部シャシ部が相互に組み立てられると、それぞれの溝に少なくとも部分的に受け入れられるように構成されている。連続的な継ぎ手は、有利には、図示するように、シャシ部の前部、側部、および後部の少なくとも大部分（これらの面間のすべてのコーナの周囲も含む）に沿って延びる。
【０２７２】
上述した構成と向きは例にすぎず、装置では、さねはぎ機構のいずれの好適な組合せおよび／またはさねはぎ機構の向きも使用することができる。
【０２７３】
図６に示すように、下部シャシ２０２は、装置１０のモータおよび／またはセンサモジュール４００を受けるためのモータ凹部２５０を有し、これは図７および８に示し、後でさらに詳しく説明する。モータおよび／またはセンサモジュールは、取外し可能でも、取外し不能とすることもできる。凹部開口部２５１は、モータ／センサモジュール４００を受けるために、底壁２３０の、その後縁に隣接して設けられている。連続的なガス不透過性の切れ目のない周壁２５２が下部シャシ２０２の底壁２３０と一体に形成され、開口部２５１の周縁から延びる。周壁２５２の上端は天井２６２で終端する。壁および天井２６２はすべて連続的でガス不透過性で切れ目がないが、ガスがモータおよび／またはセンサモジュール４００から出るためのガス流路を形成する天井２６２のチューブ２６４と、ガスフィルタモジュール１００１、２００１、３００１、１１００１のガス出口を受けるための壁２５２の開口部２０８は例外である。ガス流路を形成するチューブ２６４は天井２６２と一体に形成され、天井はチューブ２６４を取り囲み、そこから外側に延びる。したがって、モータ凹部２５０は、ガス流路とフィルタモジュールガス出口への入口以外、全体がガス不透過性で切れ目がない。
【０２７４】
ガス流路を形成するチューブ２６４は、上部ハウジングシャシ１０２の棚状突起１３２（図４）と一体的に形成されている下方外側伸長チューブまたは導管を通って上方に延在している。チューブ２６４は、少なくとも棚状突起１３２まで延在し、棚状突起１３２より垂直方向に高い箇所まで延在することができる。Ｏリングシール（図示せず）等のソフトシールが、ガス流路チューブ２６４の外部と下方外側伸長チューブの内部との間に位置して、組み立てられたときに構成要素の間にシールを提供する。他の構成では、ガス流路チューブ２６４および下方伸長チューブは、締まりばめまたは圧入機構を介して互いに取り付けられると共に、依然として、組み立てられたときに構成要素の間にシールを提供するように構成することができる。限定されないが、ガス流路チューブ２６４と下方伸長チューブとの間のラッチ／キャッチ型取付具およびバヨネット型取付具を含むさらに他の構成が企図される。
【０２７５】
この構成により、任意のシールを介してモータまたはモータに続くガス流路からガスの何らかの漏れがある場合、ガスは、制御基板および他の電気部品を収容する主ハウジングの内部に侵入するのではなく、周囲環境に排出される。ハウジング内の電気部品および電子回路基板は、ガス流から空気的に隔離されている。ガスが電子回路基板および他の電気部品を収容する主ハウジング１００の部分内に漏れる唯一の方法は、ハウジング１００または別の物理的構成要素に物理的な亀裂がある場合となる。インペラの上流におけるモータおよび／またはセンサモジュール４００のモータ内の圧力は、電気／電子部品を収容する主ハウジング１００の部分における圧力より低い可能性があり、それもまた、いかなるガス漏れも周囲環境に排出されるのに役立つ。
【０２７６】
ガス流がガス乱流の形成によりかつ摩擦によりシステムを通して移動する際（たとえば、ガスがガス通路を画定する壁に沿って移動する際）、ガス流に圧力降下がある。
【０２７７】
モータおよび／またはセンサモジュール４００において、圧力は、モータインペラの前／上流の方が低く、圧力は、モータインペラの後／下流の方が高い。圧力が低い方の領域において、モータインペラの上流でモータに対して電気接続が設けられる。電気接続の近くの部分においてハウジング内に破損部がある場合、空気は、低圧力側に吸い込まれる。
【０２７８】
代替構成では、モータ凹部２５０を、下部シャシ２０２とは別個に形成することができる。凹部を含むモータアセンブリは、凹部開口部２５１内に挿入可能であり、下部シャシ２０２に取付可能であり得る。モータアセンブリおよび凹部を下部シャシ２０２に挿入すると、ガス流路チューブ２６４は、下方伸長チューブ１３３を通って延在し、ソフトシールによって封止される。
【０２７９】
図示する形態では、凹部２５０は、ハウジングの底壁に凹部開口部を備える。別法として、凹部開口部は、ハウジングの側部、正面または頂部等、ハウジングの異なる部分にあり得る。
【０２８０】
記載する構成は、図７および図８を参照して後述するように、装置１０のモータおよび／またはセンサモジュール４００を受け入れるかつ収容するような形状のチャンバを提供する。（限定されないが周壁２５２の一部を含む）凹部２５０の内壁に、凹部２５０にモジュール４００を位置決めしかつ／または取り付けるのに役立つようにガイドおよび／または取付機構を設けることができる。モータおよび／またはセンサモジュール４００は、流れ発生器であり、液体チャンバ３００を介して患者インタフェース１７にガスを送達するブロワとして動作するインペラを備えたモータ４０２を備える。チャンバの形状は、モータ／センサモジュール４００の形状に応じて変更することができることが理解されよう。しかしながら、主ハウジング１００内の電気部品および電子部品からガス流を隔離するために、チャンバに、連続的な、ガス不透過性の切れ目のない壁および天井が設けられる。
【０２８１】
図３Ａおよび３Ｂを参照すると、取外し可能液体チャンバ３００は、液体リザーバを画定する外側ハウジング３０２と、液体リザーバと流体連通する液体チャンバガス入口ポート３０６と、液体リザーバと流体連通する液体チャンバガス出口ポート３０８とを備える。液体チャンバ３００を通るガスの流路を画定するために、液体リザーバの内部にバッフルが設けられてもよい。液体チャンバ３００の下縁が、チャンバ区画１０８内に液体チャンバ３００を位置決めしかつ保持するチャンバ区画１０８内の対向するガイドレール１４４と相互作用する、外向きの環状フランジ３１０を備える。フランジ３１０は、液体チャンバ３００の周壁の基部から外向きに延在している。液体チャンバ３００の底壁は、熱伝導性であり、液体チャンバ３００内の液体を加熱するようにヒータプレートの上に載るように適合されている。
【０２８２】
装置１０は、装置１０に液体チャンバ３００を流体結合するための接続マニホルド機構３２０を備える。液体チャンバ３００は、ハウジング１００の後部に向かう方向においてハウジング１００の正面の位置から、チャンバ区画１０８内への液体チャンバ３００の後方方向における直線状の摺動運動で装置１０に流体結合することができる。接続マニホルド機構３２０は、モータ／インペラユニット４０２からのガス流路と、固定されたＬ字型エルボ３２４を介して流体連通する、マニホルドガス出口ポート３２２を備える（図８）。エルボのガス流入口ポートを形成するエルボ３２４の下方部分は、ガス流路チューブ２６４の内部に、好ましくはガス流路チューブ２６４の下端部の下方の位置まで、下方に延在する。Ｏリングシール等のソフトシールが、エルボの下方部分の外部とガス流路チューブ２６４の内部との間に設けられて、これらの部品の間を封止する。
【０２８３】
接続マニホルド機構３２０は、取外し可能エルボ３４２に組み入れられるマニホルドガス入口ポート３４０（加湿ガス戻り）をさらに備える。取外し可能エルボ３４２は、Ｌ字型であり、患者インタフェース１７にガスを送達するために患者呼吸導管１６に結合する患者出口ポート３４４をさらに備える。マニホルドガス出口ポート３２２、マニホルドガス入口ポート３４０および患者出口ポート３４４は、各々、装置１０、液体チャンバ３００および患者呼吸導管１６の間に封止されたガス通路を提供するＯリングシール、Ｔシール等のソフトシールを備える。
【０２８４】
液体チャンバガス入口ポート３０６は、接続マニホルドガス出口ポート３２２と相補的であり、液体チャンバガス出口ポート３０８は、接続マニホルドガス入口ポート３４０と相補的である。それらのポートの軸は、液体チャンバ３００が直線状の動きでチャンバ区画１０８内に挿入されるのを可能にするように、好ましくは平行である。
【０２８５】
モータおよび／またはセンサモジュール
図７および８は、フローセラピー装置において流れ発生器として使用することができるモータおよび／またはセンサモジュールまたはサブアセンブリ４００を示す。
【０２８６】
装置のモータおよび／またはセンサモジュールまたはサブアセンブリ４００は、個々のかつ封止された構成要素として設計されていた。破られるいかなるシールも、酸素等のガスが、装置の電子回路内ではなく周囲環境に漏れるようにする。モジュール４００は、交換可能であってもよく、そのため、センサが故障した場合、モジュール全体を交換することができる。モジュールは、検知に関する電子回路のみを含むことができる。
【０２８７】
モータおよび／またはセンサモジュール４００は、３つの主な構成要素、すなわち、サブアセンブリ４００の基部４０３（その上に、ブロワを形成するインペラを備えたモータ４０２が配置される）と、基部４０３の上方に配置された出口ガス流路および検知層４２０と、カバー層４４０との積層配置を備える。カバー層４４０ならびに出口ガス流路および検知層４２０は、典型的には、使用時に組み立てられて検知層を形成する。ガスは、ガス入口からモジュール４００を通り、ブロワ４０２を通り、ガス流路および検知層４２０を通り、ガス出口ポート４５２を通って、固定エルボ３２４を介して液体チャンバ３００ａに送達されることになり、その後、取外し可能エルボ３４２を介して装置の患者ガス出口ポート３４４を通って移動する。ブロワ４０２と出口ガス流路および検知層４２０との間に形成された開口部が、モジュール内へのガス入口を提供し、入ってくるガスの温度が測定されるのを可能にする。
【０２８８】
基部４０３は、ガスブロワモータ４０２を受け入れる領域を備える。領域は、凹状であり得る。凹状領域の直径は、モータ４０２の本体の下側の形状に一致するように選択される。領域は、ブロワにガス流を案内する。代替構成では、領域は、異なる形状、たとえば非凹状形状であり得る。
【０２８９】
基部４０３は、複数の可撓性マウント４１１を備えている。可撓性マウントは、振動隔離構造体として作用する。係合プレートが、モータ／ブロワ４０２本体の上部ケーシングによって保持され、マウントが摺動することができるスロットを提供する。マウントの上端は、出口ガス流路および検知層４２０の本体４２２のカップ等、相補的な受け入れ部分に受け入れられる。
【０２９０】
出口ガス流路と検知層４２０の基部４０３と本体４２２には、本体４２２を基部４０３に固定するための相補的な固定機構４０５、４２５が設けられている。別法として、異なる固定方法も使用できる。基部４０３は、ポート４０７等、縦に延びる複数の部材を含む。本体４２２は、部材４０７と係合して本体４２２が部材４０３に対して揺動するのを防止するための相補的部材を含むことができる。基部４０３および／または本体４２２はまた、結合中に基部と本体を合わせて案内するための複数の位置決めピン４１２も含む。
【０２９１】
基部４０３の周縁部４０３Ｂに、Ｏリングシール４０３Ｃ等のソフトシールを受け入れる凹部が設けられている。シール４０３Ｃは、装置のハウジングに対してモジュール４００を封止し、フィルタを迂回する周囲空気の閉じ込めを防止する。特に、シール４０３Ｃは、基部４０３と装置ハウジングの凹部２５０の周壁との間を封止する。シール４０３Ｃはまた、モジュール４０が取外し可能な場合、モジュール４００と装置のハウジングとの間に、ハウジングからモジュール４００を取り外すためには克服しなければならない力を提供する。
【０２９２】
ガスは、入口領域を介してモジュール４００に入ると、基部４０３の凹状部分の、または上の、ブロワ４０２の下に位置するブロワ入口まで移動する。モジュールに入るガスは、モータを冷却するように作用することができる。そして、ガスは、ブロワ４０２を通って移動し、ブロワガス出口ポートを介して出る。ブロワガス出口ポートを出るガスは、ブロワガス出口ポートを出口ガス流路および検知層４２０のガス入口ポートに結合する結合チューブまたはカフ（図示せず）に入る。カフの弓状本体は、圧力降下を最小限にしながら、ブロワ出口ポートからガス入口ポートまで約９０度の角度変化を通して、ただし、短い水平距離にわたってガスを向ける。
【０２９３】
カフは、必要な構成に応じて異なる角度を通してガスを向けるように構成することができることが理解されよう。カフの入口ポートおよび出口ポートは、好適な封止機構、たとえば、Ｏリングシール等のソフトシールを用いてブロワ出口ポートおよびガス入口ポートに封止される。
【０２９４】
カフは、カフを通過するガスの圧力降下を最小限にし、狭い空間制約においてユニットのケースからブロワ振動を隔離するように構成されている。カフは、軟質可撓性材料から作製され、ダイヤフラムとして作用しかつ振動隔離体としての役割を果たす局所領域を有する。カフのいくつかの領域を薄くして、いかなる振動も構造部品に伝達されるのを防止するかまたは最小限にするように隔離を提供することができる。これは、カフ内に相対的に薄い部分を成形することによって達成することができる。さらにまたは別法として、ハウジング内のモジュール４００のより多くの移動を可能にしながら、ユニットのケースから振動を隔離するのに役立つように、カフに蛇腹部分（ｃｏｎｃｅｒｔｉｎａ）を設けることができる。
【０２９５】
ガス流路と検知層４２０は、１つまたは複数のセンサを有するガス流路を含み、ガス流路はガスをハウジングの出口ポートに送達するように配置される。
【０２９６】
ガス流路と検知層４２０の本体４２２は、検知およびガス流路の下部分を画定する。カバー層４４０は本体４４２を有し、これは検知およびガス流路の上部分を画定し、検知およびガス流路の上および下部分の形状は実質的に相互に対応する。
【０２９７】
検知プリント回路基板（ＰＣＢ）は、ガス流路および検知層４２０内に設けることができる。ＰＣＢの少なくとも一部は、ガス流路および検知層４２０を通るガス流路と重なる。ＰＣＢは、ガス流路および検知層４２０とカバー層４４０との間に挟挿されている。温度センサが、ＰＣＢのうち、ガス流路内にあるかそれと重複する部分に配置される。
【０２９８】
Ｏリングシール等のソフトシールは、本体４２２の上側とＰＣＢの下側との間を封止するため、および本体４４２の下側とＰＣＢの上側との間を封止するために設けることができる。ソフトシールは、ガス流路を通るガスがブロワにより圧縮されたときに、モジュールの高圧領域を封止する。シールは、ガスが漏れて装置の電子部品に向かって流れるのを防止する。ソフトシールは、別法として、本体とコモールドすることができ、軟質層がより硬質の本体の上にコモールドされる。
【０２９９】
カバー層４４０は、ねじ等の締結具を用いてガス流路および検知層４２０に結合することができる。締結具は、２つの部分を挟挿して結合し、ＰＣＢ基板に対してソフトシールを封止する圧縮力を提供する。
【０３００】
図７、３Ａ、および３Ｂを参照すると、ガスは、ガス流路および検知層４２０を通過すると、ガス流入口エルボ３２４と結合するガス流出口ポート４５２を介してモジュール４００から出る。モジュール４００のガス流出口ポート４５２を封止するように、Ｏリングシール４５２Ａ等のソフトシールを設けることができる。ソフトシール４５２Ａは、上部シャシの下方外側伸長チューブまたは導管の内壁、またはハウジングの別の部分に対して封止する。エルボ３２４と上部シャシの下方伸長チューブの内壁、またはハウジングの別の部分との間を封止するように、Ｏリングシール等のソフトシールを設けることができる。ソフトシールは、モジュール４００を封止された状態で維持し、加圧ガスが装置のハウジングに流れ込む可能性を低減させるように、機能する。ソフトシールは、ガス流出口ポート４５２およびガス流入口エルボ３２４の環状溝に設けることができる。別法として、それらの構成要素の両方のうちの１つに、ソフトシールのための載置面を提供するように、外向きの肩状部を設けることができる。
【０３０１】
別の構成では、ガス流出口ポート４５２、ガス流入口エルボ３２４および／または外部伸長チューブの間を封止するために、異なるタイプのシールを設けることができる。たとえば、Ｏリングを使用するのではなく、面シール、フォームまたはベローズシールを使用することができ、それにより、シールを破ることなく、構成要素を通るガス流方向に対して横向きの方向における構成要素の幾分かの相対移動が可能になる。その移動を可能にするシールは、下部シャシの適所にあるときのモジュール４００を過度に拘束しないが、ガス流出口ポート４５２の上面と入口エルボ３２４の底面との間の封止を可能にする一方で、モジュール４００のガス流出口ポート４５２と入口エルボ３２４との間の幾分かの横方向の移動を可能にする。ガス流出口ポート４５２と入口エルボ３２４との間を封止するためにベローズシールが用いられる場合、それは、モジュール４００のガス流出口ポート４５２と入口エルボ３２４との間の幾分かの横方向の移動および幾分かの軸方向の移動の両方を可能にする。
【０３０２】
ガス流出口ポート４５２とガス流入口エルボ３２４との間の接続部は、この接続部から発生するいかなる漏れも装置のハウジングの外側に向けられるように、モータおよび／またはセンサモジュール４００の外側に形成されている。下部シャシが入口エルボ３２４の外側の周囲まで延在し、凹部２５０およびガス流チューブ２６４を画定する壁および天井を含む単一一体部品として形成されている。したがって、漏れがある場合に、ガスは抵抗が最低の経路をたどり、漏れ領域の外側で集まって、入口エルボ３２４の外側を介して周囲空気に出る。ガスが、ハウジング内に、蛇行経路を介して装置の電子回路に流れる可能性は非常に低い。
【０３０３】
装置１０は、モータ４０２と流体連通し、モータ４０２が空気、酸素、またはそれの適当な混合物を液体チャンバ３００および、それによって患者へと送達することができるようにする空気および酸素（または別法として、補助ガス）入口を有する。いくつかの構成では、ガスは、酸素と周囲空気の混合物を含む。空気と酸素（または他の代替補助ガス）は、後述するフィルタモジュールおよび／またはバルブモジュール構成を介してモータおよび／またはセンサモジュール４００に送達することができる。
【０３０４】
３．フィルタモジュール
図４および５に示すように、下部シャシ２０２は、フィルタモジュール１００１、２００１（図１５および１６）、３００１（図３８〜４０）、１１００１（図４６）を受け入れる穴を画定するフィルタ受容部３００を有する。フィルタモジュールは、ハウジングのフィルタ受容部と係合することにより、装置の主ハウジングと取外し可能かつ封止可能に係合可能である。フィルタモジュールは、主ハウジングの外からアクセス可能である。フィルタ受容部３００の上端３０２は、Ｏリングシールなどのソフトシール３０４を受け入れるための環状溝３０４を画定する。ソフトシール３０４は、上部シャシと下部シャシが組み立てられたときに、主ハウジングの上部シャシ１０２の表面と係合し、それに対して封止するように配置される。フィルタ受容部３００の下部分はバルブモジュールハウジング３０６へと開放して、バルブモジュール４００１、５００１、６００１、７００１、８００１、９００１（図１７〜３７）を受け入れるための凹部を形成する。
【０３０５】
フィルタ受容部３００の内壁は、フィルタモジュール１００１（図１０〜１４）、２００１、３００１のガス出口と流体連通する開口部２０８を画定する。開口部２０８は、ガスをモータおよび／またはセンサモジュール４００に、またはそれに向かって案内する。１つの構成では、開口部２０８はモータ凹部２５０の中へと案内し、ガスはモータ凹部からモータ／インペラ４０２により受け取られる。代替構成では、開口部２０８は、ガスを導管などの流体カップリングによってモータおよび／またはセンサモジュール４００のガス入口に流体接続することができる。
【０３０６】
フィルタ受容部３００は、たとえば射出成形などによって下部シャシ２０２と一体形成することができる。別法として、フィルタ受容部は下部シャシ２０２とは別に形成されて、それに取り付けることができる。
【０３０７】
第１構成のフィルタモジュール１００１が図１０〜１４に示されている。使用中、フィルタモジュールは、実質的に主ハウジングのケーシングの中に配置され、製造、修理点検、および交換しやすさのためにモジュール式であり、反復販売されるように消耗品として販売されてもよい。フィルタモジュールは、使用者がほぼ３カ月毎に、または装置の１日の動作時間や環境条件などの要素に応じて他のいずれかの適当な間隔でモジュール式に交換可能となるように構成することができる。フィルタだけを交換することにより、費用効果が提供される。フィルタモジュール１００１は、酸素と周囲空気を含む、入ってくるガスのすべてを濾過して、細菌、粉塵、および粒子のモータおよび／またはセンサモジュール４００への侵入を防止または最小限にする。
【０３０８】
本明細書で開示するフィルタモジュールは、フィルタの圧力低下を最小限にするように設計され、構成される。これが実現される少なくとも１つの方法は、ガスが通過するための、すなわちガス出口ポートの表面積を大きくすることである。
【０３０９】
フィルタモジュールはフィルタ本体１００３を含み、これは、フィルタ本体１００３を装置の主ハウジングの外から受容部へと縦方向に下方に挿入することによって、フィルタ受容部３００内に受けられるように配置される。フィルタモジュールは、バルブモジュール（後述）とモータおよび／またはセンサモジュール４００との間のガス流路内に配置される。フィルタ本体１００３は、フィルタ受容部３００の形状と相補的な形状を有する。これらの構成要素は平面図において実質的に弓状の端を持つ長方形として示されているが、別法として、これらはたとえば正方形または長円など、他のいずれの適当な形状とすることもできる。フィルタモジュールは、有利には、横方向の幅が狭く、それによって、装置の主ハウジングには狭いフィルタ受容部だけがあればよい。したがって、フィルタモジュールは最小限の空間を占有し、一方で、ガスが通過する大きい表面積が保持される。
【０３１０】
フィルタ本体１００３は、比較的大きい主コンパートメント１００５を有する。主コンパートメントは、主コンパートメント体積の境界を定める少なくとも１つの主コンパートメント壁により画定される。図の形態では、主コンパートメント１００５は、実質的に垂直な２つの主コンパートメント側壁１０１３、１０１５、下壁１０１７、および上壁１０１９ならびにフィルタ本体１００３の後壁１０２１により画定される。主コンパートメントは、輪郭形状が実質的に長方形であるように示されている。しかしながら、いずれの好適な形状も提供できる。たとえば、主コンパートメントは、丸、楕円、正方形、または他のいずれの好適な形状とすることもできる。主コンパートメントの形状に応じて、主コンパートメントは、後壁と、１つの主コンパートメント壁または複数の主コンパートメント壁により画定することができる。
【０３１１】
主コンパートメント１００５は、主コンパートメントガス入口１００９と流体連通する。図の形態では、主コンパートメントガス入口１００９は、フィルタ本体の下壁１０１７の開口部を含む。別法として、主コンパートメントは、複数のガス入口１００９と流体連通することができる。主コンパートメント１００５は、ガス入口１００９を介してガスを受け取る。たとえば、主コンパートメント１００５は、主または一次ガス、たとえば酸素、周囲空気、酸素と周囲空気との組合せ、または別の好適なガスもしくはガスの組合せをガス入口１００９を介して受け取ることができる。主コンパートメントは、酸素および／または周囲空気を、より詳しくは後述するバルブマニホルド４００１、５００１、６００１、７００１、８００１、９００１から受け取ることができる。いくつかの構成では、酸素はバルブマニホルド４００１、５００１、６００１、７００１、８００１、９００１を通過して、フィルタの中に入り、周囲空気はバルブ／バルブマニホルドの周囲を通過して、フィルタの中へと入る。
【０３１２】
主コンパートメント１００５を画定する他、主コンパートメント壁１０１３、１０１５、１０１７、および１０１９はまた、実質的に平坦な主コンパートメントガス出口も画定する。主コンパートメントのガス出口は、後壁１０２１の反対側で壁１０１３、１０１５、１０１７、１０１９間の開口部により提供される。ガス入口１００９は、ガスが主コンパートメント１００５に、主コンパートメントの側壁１０１３、１０１５に実質的に平行なガス流方向に（主コンパートメントガス流入口軸に沿って）入るように配置され、これは図１０においてガス入口１００９に隣接する大きい矢印により示される。主コンパートメント１００５のガス出口は、ガスが主コンパートメント１００５から、ガス流入口軸とずれるガス流方向に（主コンパートメントガス流出口軸に沿って）出るように配置される。ガス出口を通るガス流方向は、ガス入口を通るガス流方向に概して横切る方向とすることができる。図の構成では、ガス流出口を通るガス流方向は、フィルタ本体１００３の後壁１０２１に実質的に垂直である。ガス流出口は、その代わりに、ガス流入口１００９と角度をなすようにしながら、たとえばフィルタ本体の端壁に設けることもできる。
【０３１３】
フィルタを通して流れの方向を転換させることによって利点が得られる。フィルタモジュール１００１は、側面に挟み込むのではなく、装置の上に挿入し、そこから取り外すことができる。フィルタモジュール１００１を装置に取り付けたときに、代替ガス供給入口１０１１が装置の上に位置する。使用者または医療従事者は、室内の実質的にいずれの地点からも代替ガス供給源が接続されていることを視覚的に確認できる。フィルタモジュール１００１は、比較的小さいフィルタ体積と物理的大きさを有する。その結果、ガスがフィルタモジュールを通過してブロワおよびセンサに到達するのにかかる時間は比較的短い。流路が短いほど、バルブに提供される信号（すなわち、酸素：空気割合を調整するため）とセンサにより検出される酸素：空気比との間のずれが小さくなる。
【０３１４】
主コンパートメントは、主フィルタコンパートメント内部で流れを導くために、追加の壁、バッフルなどを含むことができる。
【０３１５】
フィルタ本体１００３はまた、第１の比較的小さい副コンパートメント１００７も有する。副コンパートメント１００７は、少なくとも部分的に主コンパートメント１００５の中に位置する。
【０３１６】
副コンパートメント１００７は、主コンパートメント体積の境界を定める少なくとも１つの主コンパートメント壁により画定される。副コンパートメント１００７は、実質的に垂直な２つの副コンパートメント側壁１０２３、１０２５、下壁１０２７、およびフィルタ本体１００３の後壁１０２１の一部により画定される。副コンパートメントは、長形であるように示されている。しかしながら、いずれの好適な形状とすることもできる。たとえば、副コンパートメントは丸、楕円、正方形、または他のいずれの好適な形状にすることもできる。副コンパートメントの形状に応じて、副コンパートメントは後壁と１つの副コンパートメント壁または複数の副コンパートメント壁により画定することができる。
【０３１７】
副コンパートメント１００７は、代替ガス供給入口を形成する第１副コンパートメントガス入口１０１１と流体連通する。この代替ガス供給入口は、たとえば病院（または他の医療施設）の壁内蔵型供給ロータメータのチューブ／ライン、付近のガスタンクからのチューブ／ライン、酸素濃縮器からのチューブ／ラインから、酸素または他のいずれかのガスなどの二次または代替ガスを受け取ることができる。フィルタに副コンパートメントを設けることにより、複数の別々のフィルタを使用しなくてよくなる。１つの交換可能なフィルタモジュールを使って、複数の供給源からのガスを濾過することができる。
【０３１８】
代替ガス供給入口１０１１に接続することにより、ガス供給はバルブモジュールにより調整されなくなる。これは、使用者または医療従事者が手で酸素（または他のガス）の供給を制御したい場合に実務向きである。使用していないとき、代替ガス供給入口は、パネル部分１１０３と実質的に同一平面内に配置されるキャップ／蓋１１０３Ｃで閉じることができる図５０）。代替ガス入口１０１１に何も接続されていない、およびそれがキャップ／蓋で閉じられていない場合、周囲空気も代替ガス供給入口１０１１の中へと引き込まれる可能性がある。
【０３１９】
フィルタモジュール１００１が装置１０に取り付けられると、代替ガス供給は装置の上に位置する。使用者または医療従事者は、室内の実質的にいずれの地点からも、代替ガス供給が接続されていることを視覚的に確認できる。さらに、使用者にとって、フィルタが装置に取り付けられているか、取り付けられていないかが視覚的に明らかとなる。
【０３２０】
代替構成では、代替ガス供給入口１０１１は装置の横または後ろからアクセス可能にし得ると理解すべきである。
【０３２１】
図示する形態では、第１副コンパートメントガス入口１０１１は、フィルタ本体の上壁１０１９を通り、入口コネクタ１０３９を通って延びる開口部を含む。別法として、副コンパートメント１００７は、複数のガス入口１０１１と流体連通することができる。副コンパートメント１００７は、主コンパートメントのそれへの代替供給源からのガスをガス入口１０１１およびコネクタ１０３９を介して受け取ることができる。たとえば、副コンパートメント１００７は、酸素もしくは別の好適なガスまたはガスの組合せを受け取ることができる。第１副コンパートメントガス入口１０１１は、バルブモジュール４００１、５００１、６００１、７００１、８００１、９００１から来ていないガスを受け取る可能性があるため、第１副コンパートメントガス入口１０１１から受け取ったガスは装置により調整されない。たとえば、第１副コンパートメントガス入口１０１１は、使用者が手で調節できる壁内蔵型供給ロータメータから酸素を受け取ることができる。代替酸素供給源が第１副コンパートメントガス入口１０１１に接続されていない場合、周囲空気が第１副コンパートメントガス入口の中に引き込まれる可能性がある。
【０３２２】
副コンパートメントは、フィルタ本体の上部分に設けられてもよく、またはフィルタ本体の異なる部分、たとえばフィルタ本体の側方部分または下部分に設けることができる。
【０３２３】
第１副コンパートメント１００７を画定する他に、副コンパートメント壁１０２３、１０２５、１０２７はまた、実質的に平坦な副コンパートメントガス出口も画定する。副コンパートメントのガス出口は、後壁１０２１の反対側で壁１０２３、１０２５、１０２７、１０１９間の開口部により提供される。ガス入口１０１１は、ガスが第１副コンパートメント１００７に、副コンパートメントの側壁１０２３、１０２５に実質的に平行なガス流方向に（第１副コンパートメントガス流入口軸に沿って）入るように配置され、これは図１０の上から下への方向の矢印により示される。第１副コンパートメント１００７のガス出口は、ガスが副コンパートメント１００７から、ガス流入口１０１１の軸と角度をなすガス流方向に（第１副コンパートメントガス流出口軸に沿って）出るように配置される。ガス出口を通るガス流の方向は、ガス入口を通るガス流の方向に概して横切るものとすることができる。図示する構成では、副コンパートメントのガス流出口を通るガス流方向はフィルタ本体１００３の後壁１０２１に実質的に垂直であり、主コンパートメントのガス流出口を通るガス流方向に実質的に平行である。図１２Ａの位置から見ると、ガス流方向は頁から出る。図１２Ｂは、フィルタから出るガス流の方向を示す斜視図である。図１４は、テーパ状のフィルタモジュールを通るガス流を示す流体モデルである。
【０３２４】
副コンパートメントガス流出口はその代わりに、第１副コンパートメントガス流入口１０１１と角度をなすようにしながら、たとえばフィルタ本体の端壁に設けることもできる。
【０３２５】
副コンパートメント壁１０２３、１０２５、１０２７は、ガス入口１０１１からのすべてのガスを、副コンパートメントガス出口を通り、および濾材１０５１を通る（後述する）ように案内するためのバリアを提供する。副コンパートメント１００７がないと、第１副コンパートメントガス入口１０１１からの一部のガスが主コンパートメント１００５を通過し、入口１００９から出て（入ってくる主コンパートメントガスの流れに逆らう）、濾材１０５１を通らないことがあり得るであろう。副コンパートメントを有する構成により、ガスが副コンパートメントから濾材１０５１を通過すると、これらがシステムから出るには、濾材１０５１を逆に通り（濾材を通るガスの流れに逆らう）、入口１００９、１０１１から出るしかない。したがって、副コンパートメント１００７は、副コンパートメントガス入口１０１１からのすべてのガスを濾材を通るように案内することにより、すべてのガスが確実に濾過されることになるため、システム内のガスの保持とその後の閉じ込めが実質的に改善される。副コンパートメントガス入口を介してシステムに入るガスが酸素を含んでいる場合、これはシステム内のガスの閉じ込めを改善する。
【０３２６】
いくつかの構成では、フィルタ本体１００３は、少なくとも部分的に主コンパートメント１００５の中にある複数の副コンパートメントを含むことができる。いくつかの構成では、フィルタ本体は１つの副コンパートメント、２つの副コンパートメント、または３つ以上の副コンパートメントを含む。いくつかの構成では、フィルタ本体１００３は主コンパートメント１００５だけを有し、副コンパートメントを含まないようにすることができる。異なる二次または代替ガスを装置１０に送達するために、異なる副コンパートメントを使用することができる。あくまでも例として、副コンパートメントのうちの１つは酸素を、副コンパートメントのうちの１つはヘリオックスを装置１０に送達できる。別の例は、副コンパートメントのうちの１つは酸素を、副コンパートメントのうちの１つは周囲空気を装置１０に送達できる、というものである。
【０３２７】
図１０および１１Ａにおいてフィルタ１００１について示すように、いくつかの構成では、副コンパートメント１００７は完全に主コンパートメント１００５の中に位置する。別法として、いくつかの構成では、副コンパートメント１００７は部分的に主コンパートメント１００５の外に位置する。いくつかの構成では、少なくとも１つの副コンパートメントが完全に主コンパートメント１００５の中に位置し、少なくとも１つの副コンパートメントは部分的に主コンパートメント１００５の外に位置する。
【０３２８】
フィルタモジュール１００１は、フィルタ本体１００３の外周に密着し、装置のハウジング内のフィルタモジュールと封止係合する。シールとフィルタモジュール１００１は、装置に入るガスが装置のガス流路に入る前に（すなわち、モータおよび／またはセンサモジュール４００を通過する前に）強制的にフィルタを通るように配置される。すなわち、ハウジングは、ガスの流れを患者に送達するためのガス出口と、ガス入口と、ガス入口とガス出口との間の封止されたガス経路と、を有し、封止されたガス経路は、第１ガス入口から受け取ったガスを濾過するためのフィルタを含む。フィルタは、フィルタ本体と、ガス入口と、ガス出口と、フィルタ本体内の、またはそこから出るガスを濾過するように配置された濾材と、を含むことが理解されよう。
【０３２９】
フィルタ本体の上部分は、横方向の上本体部分１０３１を含む。横方向の上本体部分１０３１の下面は、壁１０１９を提供する。環状の凹部１０３２が上本体部分１０３１の周縁に沿って設けられ、Ｏリングシールまたは「ワイパ」シール１０３３などのソフトシールを受けるように配置される。ワイパシールは、上本体部分１０３１と一体形成することができる。たとえば、ワイパシール１０３３は、フィルタの本体部分材料の外側に突出するフランジとして形成することができる。薄い材料により、ワイパシールを形成するのに十分な柔軟性が得られる。別の例として、上本体部分１０３１はフィルタ本体の残りの部分にオーバモールドされる柔軟材料を含んでいてもよく、これはシール１０３３と、任意選択により構成要素１０３７および１０３９を含む。別の例として、シール１０３３は上本体部分１０３１にオーバモールドされる柔軟材料を含むことができる。いくつかの構成では、ワイパシール１０３３は外側にテーパ状であってもよく、すなわち、ワイパシール１０３３の外側部分はワイパシールのより内側の部分より薄くすることができる。ソフトシールは、フィルタ本体がフィルタ受容部３００内に配置されたときに上本体部分１０３１とフィルタ受容部３００の壁との間を封止して、フィルタとフィルタ受容部との間の封止係合を提供し、フィルタへの細菌の侵入を阻止する。
【０３３０】
フィルタ本体の下部分は、横方向の下本体部分１０３５を含む。横方向の下本体部分１０３５の上面は、壁１０１７を提供する。環状の凹部１０３６が下本体部分１０３５の周縁に沿って設けられ、Ｏリングシールまたは「ワイパ」シールなどのソフトシールを受けるように配置される。ワイパシールは、下本体部分１０３５と一体形成することができる。たとえば、下ワイパシールは、フィルタの本体部分材料の外側に突出するフランジとして形成することができる。薄い材料により、ワイパシールを形成するのに十分な柔軟性が得られる。別の例として、下本体部分１０３５はフィルタ本体の残りの部分にオーバモールドされる柔軟材料を含んでいてもよく、これはシールを含む。別の例として、シールは下本体部分１０３５にオーバモールドされる柔軟材料を含むことができる。いくつかの構成では、下ワイパシールは外側にテーパ状とすることができ、すなわち、下ワイパシールの外側部分はワイパシールのより内側の部分より薄くすることができる。ソフトシールは、フィルタ本体がフィルタ受容部３００内に配置されたときに下本体部分１０３５とフィルタ受容部３００の壁との間を封止して、フィルタとフィルタ受容部との間の封止係合を提供し、フィルタへの細菌の侵入を阻止する。
【０３３１】
図１１Ｂからわかるように、上および下本体部分１０３１、１０３５は、本体の、主コンパートメント１００５および副コンパートメント１００７を格納する部分より深く、それによって、主コンパートメント１００５および副コンパートメント１００７のガス出口ポートと濾材１０５１（より詳しくは後述する）とフィルタ受容部３００の壁との間に空間が提供される。これによって、ガスは主コンパートメント１００５および副コンパートメント１００７から流れ出て、濾材１０５１を通り、フィルタ受容部３００内に入り、開口部２０８を出て、モータおよび／またはセンサモジュール４００へと送達されることが可能となる。
【０３３２】
フィルタモジュールは、パネル部分１１０３を有するフィルタモジュール上パネル１１０１を含む。フィルタモジュール上パネルは、フィルタ本体に取り付けられるか、取付可能である。図２Ａに示すように、主ハウジングの上部シャシ１０２の左側上壁１１４は、フィルタモジュール上パネルのパネル部分１１０３を受けるための凹部１１４Ｒを含む。
【０３３３】
上本体部分１０３１は、フィルタモジュール上パネル１１０１上の相補的なスナップフィットコネクタ１１０５と永久的に係合する複数のスナップフィットコネクタ１０３７を含む。フィルタ本体１００３と上パネル１１０１は別々に成形されてから、永久的に一体に組み立てられる。コネクタ１０３７は、図１０に示すように、上パネル１１０１のコネクタ１１０５内に受けられるように配置され、スナップフィットコネクタ１１０５、１０３７には、コネクタ間のスナップフィットを可能にする環状の突起および／または凹部などの勘合式係合機構が設けられる。スナップフィットコネクタ１１０５は、上パネル１１０１のパネル部分１１０３の下面から下方に延びる。いくつかの構成では、フィルタ上パネルは、スナップフィット、クリップ、締結具などの好適な取付手段によってフィルタ本体に取付可能である。別法として、フィルタ上パネル１１０１はフィルタ本体１００３と一体に成形することができる。
【０３３４】
図３Ａおよび４に示すように、フィルタ上パネル１１０１のパネル部分１１０３は、フィルタ１００１がハウジングと係合したときに、装置の主ハウジングと、特に左側壁１１４と実質的に同一平面となるように配置される。
【０３３５】
フィルタ上パネル１１０１は、装置のハウジングの隣接部分と、たとえば上部シャシの左側壁１１４と同じ材料で製作される。いくつかの構成では、上部シャシのフィルタ上パネル１１０１と左側壁１１４は、ポリカーボネートまたは別の好適なポリマ材料で製作される。
【０３３６】
いくつかの構成では、フィルタ上パネル１１０１は、たとえばフィルタ１００１をフィルタ受容部３００との係合状態から上に持ち上げる場合など、装置のハウジングのフィルタ受容部３００へのフィルタモジュール１００１の抜き差しを支援するためのハンドリング機構を含む。いくつかの構成では、フィルタハンドリング機構は突起、溝、またはグリップを含む。フィルタハンドリング機構は、フィルタ上パネル１１０１のパネル部分１１０３の周縁に設けることができる。たとえば、フィルタハンドリング機構は、フィルタ上パネルのパネル部分１１０３のうち、図４に示す斜めの上部シャシ面１３０に隣接する部分に設けられて、ハンドリング機構にアクセスできるようにすることができる。しかしながら、フィルタハンドリング機構は、フィルタ上パネル１０１１上の他の箇所に設けることができる。いくつかの構成では、フィルタ上パネルは複数のフィルタハンドリング機構を含む。
【０３３７】
代替ガス供給コネクタ１０３９は、副コンパートメントと流体連通し、フィルタ本体１００３の上本体部分１０３１から上方に突出し、フィルタ本体１００３への代替ガス供給入口を提供する。
【０３３８】
その代替ガス供給入口は、たとえば病院（または他の医療施設）の壁内蔵型供給ロータメータのチューブ／ライン、付近のガスタンクからのチューブ／ライン、酸素濃縮器からのチューブ／ラインから、酸素または他のいずれかのガスを受け取ることができる。
【０３３９】
代替ガス供給入口に接続することにより、ガス供給はバルブモジュールにより調整されなくなる。これは、使用者または医療従事者が手で酸素または他のガスの供給を制御したい場合に実用的である。使用していないとき、代替ガス供給入口は、キャップまたは蓋（図示せず）などの閉止手段で閉じることができる。
【０３４０】
代替ガス入口に何も接続されていない、およびそれが閉止手段で閉じられていない場合、周囲空気もその中へと引き込まれる可能性がある。
【０３４１】
フィルタモジュール１００１が装置に取り付けられると、代替ガス供給源は装置の上に位置する。使用者または医療従事者は、室内の実質的にいずれの地点からも、代替ガス供給源が接続されていることを視覚的に確認できる。
【０３４２】
代替構成では、代替ガス供給入口は装置の横または後ろからアクセス可能とすることができると理解すべきである。
【０３４３】
コネクタ１０３９は、第１副コンパートメント１００７のためのガス入口１０１１を提供する貫通路を含む。代替ガス供給入口コネクタ１０３９は、代替ガス供給ラインに流体接続されるように配置される。図の形態では、コネクタ１０３９は相補的なエンドコネクタを持たない半硬質のガス供給チューブを釈放可能に接続するのに適した長尺のテーパ状コネクタである。このような長尺のテーパ状コネクタは、１つまたは複数のガス供給ライン保持強化機構を含むことができる。たとえば、コネクタは、ガス供給ラインコネクタの上端に、またはその付近にかえしを含むことができる。１つの例は、たとえば複数のかえしを有する「クリスマスツリー」型コネクタである。コネクタは別法として、異なる構成とすることができる。コネクタ１０３９が壊れた場合（すなわち、過剰な力が代替ガス供給ラインに加わったことによる）、フィルタモジュール１００１は、有利には、装置全体を修理せずに交換可能である。
【０３４４】
図１１Ｂに示すように、フィルタ上パネル１１０１は環状壁１１０７を含み、これはパネル部分１１０３から下方に延び、ガス供給ラインコネクタ１０３９を露出させ、それを保護するように取り囲む開口部１１０９を形成する。
【０３４５】
図４１に示すように、突起１０７３を有するフィルタ係合タブ１０７１がフィルタ本体１００３の底から延びる。フィルタ１００１がフィルタ受容部３００と係合すると、係合タブ１０７１は保持ブロック３３０と係合し、これは図４１に示すように、下部シャシ２０２の中に一体形成される。フィルタ係合タブ４０７１は、フィルタモジュールを装置内の所定の位置に固定する。固定は、代替ガス供給コネクタ１０３９に取り付けられたガスラインが引っ張られても、フィルタモジュールが予期せず装置から外れることがないようなものとされる。図１７、１８、および１９に関して後で詳しく説明するバルブキャリア４０５１上に設けられた、突起４０７３を有する解除タブ４０７１を押して、保持ブロック３３０から係合タブ１０７１を移動させることができ、それによってフィルタモジュールをフィルタ受容部３００から取り外すことができる。したがって、フィルタモジュール解除機構は、フィルタモジュールおよびバルブモジュールの一部として形成でき、他の構成要素を必要としない。図５３〜５５を参照すると、フィルタは解除タブ１３０４８（図４１の機構４０７１も）を押すことにより、解除される。
【０３４６】
フィルタ本体は、ポリプロピレンまたは他のいずれかの好適な材料で製作できる。
【０３４７】
図１１Ｂおよび１２を参照すると、濾材１０５１は主コンパートメント１００５および副コンパートメント１００７の両方に関連し、主コンパートメント１００５および副コンパートメント１００７内の、またはそこから出るガスを濾過するように配置される。図の形態では、濾材１０５１は主コンパートメント１００５および副コンパートメント１００７を覆い、またはそこに広がる。複数の副コンパートメントを有する構成では、濾材は、主コンパートメントおよび複数の副コンパートメントに広がることができる。
【０３４８】
図の構成では、濾材１０５１はフィルタ本体の外面上に位置して、主コンパートメントガス出口を介して主コンパートメント１００５から出る、および副コンパートメントガス出口を介して副コンパートメント１００７から出るガスを濾過する。別法として、いくつかの構成では、濾材１０５１は少なくとも部分的に主コンパートメント１００５および副コンパートメント１００７の中に配置されて、主コンパートメントおよび副コンパートメント内のガスを濾過することができる。
【０３４９】
濾材は、静電濾材とすることができる。静電濾材は、フィルタファイバ上を通過する空気／ガスが摩擦を起こすと静電荷を生じさせる紡績ポリプロピレンなどの合成材料から形成することができる。静電荷は粉塵、粒子、花粉、粉塵、カビ芽胞などを引き付けるため、呼吸器系刺激物質を有効に捕捉するのに特に適している。別法として、ポリプロピレン以外に、その他の合成静電濾材用材料を使用することができる。
【０３５０】
超音波溶接プロセス中、濾材とフィルタ本体どちらも相互に融合して封止された縁を形成する。材料は同じ（すなちわ、ポリプロピレン）でもよく、またはポリエチレンまたはポリエステルフィルタなど、異なるポリマ材料を有することもできる。
【０３５１】
別法として、非静電濾材用材料を使用することができる。非静電フィルタは、単純な機械ふるい効果によって汚染物質を除去するものであり、汚染物質粒子は汚染物質粒子自体の大きさより小さい開口部を通過しない。
【０３５２】
いくつかの構成では、濾材１０５１は、フィルタ本体１００３と実質的に同じ材料を含む。いくつかの構成では、フィルタ本体１００３は、ポリプロピレン材料または他の好適なポリマもしくは合成材料を含み、濾材１０５１は紡績ポリプロピレンまたは他の好適なポリマもしくは合成材料を含む。
【０３５３】
いくつかの構成では、濾材１０５１はフィルタ本体１００３の材料とは異なる材料を含む。いくつかの構成では、濾材１０５１は羊毛繊維を含む。羊毛は、前述のような静電濾材として機能できる。羊毛や綿のような天然繊維を使用する場合、濾材は溶けず、ほとんど、フィルタ本体の方が濾材中へと溶融する。
【０３５４】
好適な適合材料が使用される場合、濾材１０５１はフィルタ本体１００３に超音波溶接でき、これを図１３に概略的に示す。前述の例（紡績ポリプロピレン、ポリエチレン、またはポリエステルフィルタ、羊毛繊維、および綿繊維）は、フィルタ本体１００３に超音波溶接できる濾材１０５１の好適な材料の例である。濾材は、少なくとも１つの主コンパートメント壁１０１３、１０１５、１０１７、１０１９、および少なくとも１つの副コンパートメント壁１０２３、１０２５、１０２７に超音波溶接される。主コンパートメント壁１０１３、１０１５、１０１７、１０１９および副コンパートメント壁１０２３、１０２５、１０２７は、超音波溶接のための安定な基部を提供するための大きい超音波溶接面積と超音波溶接のための増大された面積を提供し、超音波溶接の強度を高め、濾材とフィルタ本体との間の隙間をなくす形状である。溶接面積は、フィルタ本体の周辺のみによって提供される面積より大きい。図１３の左上部分は、濾材１０５１が、超音波ソノトロード１０５３とアンビル１０５５との間で副コンパートメント壁１０２３、１０２５、１０２７の実質的に扁平な「ｎ」字型壁構造１０２３ｎ、１０２５ｎ、１０２７ｎに超音波溶接されていることを示している。図１３の左下部分は、濾材１０５１が超音波ソノトロード１０５３とアンビル１０５５との間で主コンパートメントの壁１０１３、１０１５、１０１７、１０１９のフランジ部分１０１３ｆ、１０１５ｆ、１０１７ｆ、１０１９ｆに超音波溶接されていることを示している。濾材とフィルタ本体に同じ材料が使用されていれば、超音波接続中に形成される結合は、両方の本体が共通の分子構造を有するため、強力である。超音波溶接は、濾材がフィルタ本体と隙間なく密着させるのに有利である。また、機械クリップまたは締結具も不要となり、接着剤の使用も不要である。
【０３５５】
濾材は、フィルタ本体１００３に超音波溶接されずに、たとえば接着剤または機械的締結具を使用するなど、他の方法でフィルタ本体に永久的に取り付けることもできる。代替的に、濾材は、機械的締結具、釈放可能クリップなどによってフィルタ本体に釈放可能に取り付けることができる。別法として、濾材はフィルタ本体にオーバモールドすることができる。
【０３５６】
主コンパートメント１００５の少なくとも一部は内側にテーパ状であり、主コンパートメントの、主コンパートメントガス入口１００９からより離れた部分のが、主コンパートメントの、主コンパートメントガス入口１００９に隣接する部分より小さい。それによって、入ってくるガスは、濾材１０５１に向かって／それを通るように実質的に横方向に曲げられるかもしれない。実質的に、主コンパートメント１０５１の全体が内側にテーパ状とすることができる。たとえば、図１３および１４に示す形態では、フィルタ本体１００３の後壁１０２１は、主コンパートメントの濾材とは反対の面に配置され、主コンパートメントガス出口の平面と濾材１０５１に対して角度αで傾斜され、主コンパートメントをテーパ状にする。いくつかの構成では、角度αは０°を超えて最高約４５°であってもよく、または０°を超えて最大約４０°であってもよく、または０°を超えて最大約３０°であってもよく、または０°を超えて最大約２０°であってもよく、または０°を超えて最大約１０°であってもよく、または０°を超えて最大約５°であってもよく、または約１°〜約４°の間であってもよく、または約２°〜約３°の間であってもよい。傾斜した壁は、入ってくるガスを濾材に向けて曲げ、濾材内でガスを均等に分散させるのを支援することができる。代替構成では、主コンパートメントの小さい部分のみが内側にテーパ状である。たとえば、その構成では、後壁１０２１の一部は濾材と平行であってもよく、後壁の一部は濾材に対して斜めにすることができる。代替構成では、主コンパートメントはテーパ状でなくてもよい。
【０３５７】
フィルタの主コンパートメントの後壁は、任意選択により、下から上に内側に傾斜することができる。傾斜した壁は、入ってくる酸素および／または空気を濾材に向かって曲げる。
【０３５８】
傾斜した後壁１０２１がないと、一部の酸素および／または空気は入口１００９から主コンパートメント１００５に入り、主コンパートメントの上および側壁で曲がり、入口１００９に向かって再循環することができる。したがって、傾斜した後壁１０２１は、主コンパートメント１００５からのガスの再循環およびその後の損失を削減または防止することにより、システム内のガスの保持およびその後の閉じ込めを助けることができる。傾斜した後壁１０２１はさらに、入ってくる空気と酸素をフィルタの表面積全体にわたり均等に案内するのを助けることができる。
【０３５９】
副コンパートメントを有する一実施形態では、副コンパートメントの、副コンパートメントガス入口１０１１からより離れた少なくとも一部の寸法を、副コンパートメントの、副コンパートメントガス入口１０１１に隣接する部分より小さくし、ガスを濾材１０５１に向かって／それを通るように実質的に横方向に曲げることができる。副コンパートメントガス入口１０１１が主コンパートメントガス入口１００９の反対に配置されると、副コンパートメントおよび主コンパートメントのテーパの角度は、相互に反対とすることができる。別法として、副コンパートメントガス入口は、副コンパートメントの後壁が主ハウジングの後壁と一致するか、または同一平面となり得るように配置することができる。主コンパートメントに関して上述した選択肢は、副コンパートメントに当てはまる。
【０３６０】
フィルタモジュール１００１はまた、小さいガス入口面積から大きいガス出口面積；特に最も小さいガス入口の周囲で、流れを円滑にするためのガス入口および主コンパートメントのＲのつけられた／丸くされた縁のうちの１つまたは複数を有することにより、圧力低下を最小化するように構成される。
【０３６１】
図１５および１６は、第２構成のフィルタモジュール２００１を示す。後述しないかぎり、特徴、機能、選択肢、および利点はすべて、第１構成に関して上で概説したとおりであり、同様の参照数字は、各参照数字に１０００を加算して同様の部分を示す。
【０３６２】
フィルタモジュールは、少なくとも部分的に主コンパートメント２００５の中にある第２副コンパートメント２０４１を含む。この構成では、主コンパートメント２００５は第１コンパートメントを形成し、第１副コンパートメント２００７は第２コンパートメントを形成し、第２副コンパートメント２０４１は第３コンパートメントを形成する。第２副コンパートメント２０４１は、フィルタ本体２００３の下部分２０３５内の第２副コンパートメントガス入口２０４５からのガス、たとえばバルブモジュールからの酸素を受け取るように配置される。この構成では、主コンパートメント２００５は周囲空気を受け取ることができる。
【０３６３】
第２副コンパートメントの壁２０４３、２０１３、２０１７は、第２副コンパートメントからの実質的に平坦なガス出口を形成し、それを通じてガスは第２副コンパートメントを、主コンパートメント２００５および第１副コンパートメント２００７のガス出口を通るガス流方向に実質的に平行な方向に出ることができる。濾材２０５１は、第２副コンパートメントのガス出口に広がる。第２副コンパートメントは、第１副コンパートメントに関して説明したテーパ状の構成を有することができる。
【０３６４】
第２構成のフィルタモジュール２００１は、図２８〜３０に示すもののような、使用時にガス入口２０４５と流体連通する酸素フード／ダクト７０６３を有するバルブモジュール７００１との使用に適している。酸素フード／ダクトは、バルブモジュール７００１のバルブマニホルド出口７０１９からの酸素またはその他のガスの実質的にすべてを直接、第２副コンパートメントの中へと案内し、それによって酸素の損失を軽減または防止し、閉じ込めの効率を向上させる。
【０３６５】
第２副コンパートメントの壁２０４３は、酸素フード／ダクト７０６３からの酸素またはその他のガスのすべてを濾材２０５１を通るように案内するためのバリアを提供する。
【０３６６】
第２副コンパートメント２０４１に関する特徴、機能、および選択肢は、第１副コンパートメント１００７、２００７と同じとすることができる。
【０３６７】
空気および酸素は、主コンパートメント２００５、第１副コンパートメント２００７、および第２副コンパートメント２０４１に広がる濾材２０５１を通過した後に一緒に閉じ込められる。
【０３６８】
第２副コンパートメントがないと、バルブモジュール７００１からの酸素の一部分が、主フィルタコンパートメント２００５に入り、主フィルタコンパートメント２００５の上および側壁で曲がり、濾材２０５１を通らずに、入口に向かって再循環してそこから出る（入ってくる空気の流れに逆らう）ことがあり得る。図示する構成では、酸素が第２副コンパートメントから濾材２０５１の中を通過すると、それがシステムから漏出するのは、それが濾材２０５１を通って戻り（濾材を通過するガスの流れに逆らう）、ガス入口から出る場合しかない。
【０３６９】
したがって、第２副コンパートメントは、酸素フード／ダクト７０６３からのすべての酸素を濾材２０５１を通るように案内することにより、システム内での酸素の保持およびその後の閉じ込めを実質的に改善する。したがって、第２副コンパートメントは、酸素閉じ込めの信頼性と一貫性を改善する。
【０３７０】
第２副コンパートメントの後壁の傾斜／角度／テーパは、主コンパートメント２０５１の後壁２０２１のそれと一致させることができる。別法として、第２副コンパートメントの後壁は、濾材と平行とすることができる。
【０３７１】
図３８〜４０は、第３構成のフィルタモジュール３００１を示す。後述しないかぎり、特徴、機能、選択肢、および利点はすべて、第２構成に関して上で概説したとおりであり、同様の参照数字は、各参照数字に１０００を加算して同様の部分を示す。
【０３７２】
第３構成のフィルタモジュール３００１は、主フィルタコンパートメント３００５内にある第２副コンパートメント３０４１を含め、第２構成２００１の特徴のすべてを含む。第２副コンパートメントは、フィルタ本体３００３の基部から延びフィルタ延長ダクト３０４６と流体連通する。ダクト３０４６は、フィルタ本体３００３と一体に形成されてもよく、またはフィルタ本体３００３とは別に形成される。ダクト３０４６は、第２副コンパートメントガス入口３０４５を画定する。
【０３７３】
第３構成のフィルタモジュール３００１は、たとえば図３３〜３７Ｄに示すものなど、フィルタ延長ダクト３０４６と封止状態かつ流体的に係合するように構成されたバルブモジュール９００１と使用するのに適している。フィルタ延長ダクト３０４６は、そこに封止係合するバルブマニホルドガス出口９０１９からのすべての酸素またその他のガスを受け取る。この構成では、副コンパートメント３０４１は、主フィルタコンパートメント３００５に関して、周囲空気がフィルタを通過する面積を最大にするような大きさである。バルブモジュール９００１は封止状態かつ流体的にフィルタ延長ダクト３０４６と係合するため、副コンパートメント３０４１の面積は、バルブモジュールがフィルタ延長ダクトと封止係合していない場合より小さくすることができる。
【０３７４】
第２副コンパートメント３０４１の壁３０４３は、フィルタ延長ダクト３０４６からのすべての酸素を濾材３０５１を通過するように案内するためのバリアを提供する。空気と酸素は、濾材を通過した後、一緒に閉じ込められる。
【０３７５】
第２副コンパートメント３０４１がなければ、バルブモジュール９００１からの酸素の一部分が主フィルタコンパートメントへと通過し、主フィルタコンパートメントの上および側壁で曲がり、濾材３０５１を通らずに再び入口に向かって再循環し、そこから出る（入ってくる空気の流れに逆らう）可能性がある。
【０３７６】
図示する構成では、酸素が第２副コンパートメント３０４１から濾材３０５１の中を通過すると、それがシステムから漏出するのは、それが濾材を通って戻り（濾材を通過するガスの流れに逆らう）、入口から出る場合しかない。
【０３７７】
したがって、第２副コンパートメント３０４１は、フィルタ延長ダクトを介して受け取ったすべての酸素を濾材３０５１を通るように案内することにより、システム内での酸素の保持およびその後の閉じ込めを実質的に改善する。したがって、第２副コンパートメントにより、酸素閉じ込めの信頼性と一貫性がさらに改善される。
【０３７８】
第２副コンパートメント３０４１の後壁の傾斜／角度／テーパは、主コンパートメント３００５の後壁３０２１のそれと一致するようにできる。別法として、第３コンパートメントの後壁は、濾材と平行とすることができる。
【０３７９】
この構成はまた、スナップフィットコネクタ３１０５、３０３７がフィルタ本体３００３をフィルタ上パネル３１０１に非永久的に取り付ける点でも異なる。この構成では、スナップフィットコネクタ３０３７は、内向きの突起３０３７Ｐを有する弾性の立上り部を含み、突起は相補的な凹部３１０５Ｒに受けられるように構成される。スナップフィットコネクタ３１０５、３０３７間の係合は、上パネル３１０１を介して持ち上げることによってフィルタモジュール３００１がフィルタ受容部３００から外れるのに十分である。しかしながら、フィルモジュールがフィルタ受容部３００と係合していないとき、立上り部を曲げて、フィルタ上パネル３１０１からフィルタ本体３００３を切り離すことができ、それによってフィルタ上パネルを交換せずに、フィルタ本体を交換できる。
【０３８０】
図４６は、第４構成のフィルタモジュールのフィルタ本体１１００３を示す。第４構成のフィルタモジュールのその他の構成要素は図示されていないが、第３構成の特徴のすべてを含む。第４構成のフィルタモジュールのフィルタ本体１１００３は、主フィルタコンパートメント１１００５内にある第２副コンパートメント１１０４１を含め、第３構成のフィルタモジュール３００１のフィルタ本体３００３の特徴のすべてを含む。
【０３８１】
この構成では、第１副コンパートメント１１００７の少なくとも一部は内側にテーパ状であり、それによって第１副コンパートメント１１００７の、第１副コンパートメントガス入口１１１１からより離れた部分は、第１副コンパートメント１１００７の、第１副コンパートメントガス入口１１１１に隣接する部分より小さい。図４６を参照すると、第１副コンパートメント１１００７の、第１副コンパートメントガス入口１１１１より離れた深さは、第１副コンパートメント１１００７の、第１副コンパートメントガス入口１１１１に隣接する部分より浅い。第２副コンパートメント１１０４１の少なくとも一部は内側にテーパ状であり、それによって第２副コンパートメント１１０４１の、第２副コンパートメントガス入口１１０４５より離れた部分は、第２副コンパートメント１１０４１の、第２副コンパートメントガス入口１１０４５に隣接する部分より小さい。図４６を参照すると、第２副コンパートメント１１０４１の、第２副コンパートメントガス入口１１０４５より離れた深さは、第２副コンパートメント１１０４１の、第２副コンパートメントガス入口１１０４５に隣接する深さより浅い。これらのテーパは、ガス（たとえば、酸素）の、それが副コンパートメント１１００７、１１０４１を通って流れる際の圧力低下とノイズを減少させる。
【０３８２】
この構成では、スナップフィットコネクタ１１０３７は、フィルタ本体１１００１をフィルタ上パネルに非永久的に取り付ける。この構成では、スナップフィットコネクタ１１０３７は、外向きの突起１１０３７Ｐを有する弾性の立上り部を含み、突起は相補的な凹部に受けられるように構成される。スナップフィットコネクタ１００３７の係合は、フィルタモジュールの第３構成と同様に、上パネルを介して持ち上げることによってフィルタモジュール１１００１がフィルタ受容部３００から外れるのに十分である。
【０３８３】
各スナップフィットコネクタ１１０３７に隣接して、スペーサ１１０３７Ｓがある。スペーサ１１０３７Ｓにより、フィルタの位置が確実に正しくなり、シールが反対側で壊れ、または漏れた状態で、フィルタは片側に押し付けられない。
【０３８４】
フィルタ本体１１００３の後壁１１０２１は、濾材をフィルタ本体１１００３に取り付けるための面積を提供する１対の突起１１０９０を有する。突起は好ましくは、超音波溶接機構であり、これは濾材１１００３を取り付けるための増大された表面積を提供する。突起１１０９０は、フィルタ本体１１００３の長さに沿って略中央に配置され、フィルタ本体１１００３の幅にわたり相互から離間される。突起１１０９０は、十字形である。突起１１０９０は濾材を支持し、フィルタの高さを一定に保つのを助ける。突起１１０９０は、フィルタ本体１１００３と一体に成形される。突起１１０９０は、フィルタ本体１１００３の他の箇所に設置されてよく、成形による突起は１つのみであってもよく、３つまたはそれ以上の成形による突起があってもよく、成形による突起は他の形状を有することができる。他の形状には、たとえば円または長方形が含まれる。突起は、超音波溶接のための特徴を提供するように説明した。しかしながら、突起はまた、接着剤など、他の取付機構にも使用できる。
【０３８５】
第１構成のフィルタモジュールに関して説明したように、第４構成のフィルタモジュールは、上本体部分１１０３１にオーバモールドされる柔軟材料を含むシール１１０３３を有することができる。いくつかの構成では、ワイパシール１１０３３は外側にテーパ状であり、すなわち、ワイパシール１１０３３の外側部分はワイパシールの、より内側の部分より薄くすることができる。ソフトシールはフィルタ本体がフィルタ受容部３００の中に配置されたときに上本体部分１１０３１とフィルタ受容部３００の壁との間を封止して、フィルタとフィルタ受容部との間の封止係合を提供し、フィルタへの細菌の侵入を阻止する。
【０３８６】
フィルタ本体の下部分は、横方向の下本体部分１１０３５を含む。横方向の下本体部分１１０３５の上面は壁１１０１７を提供する。環状の凹部１１０３６が、下本体部分１１０３５の周縁に沿って設けられ、Ｏリングシールまたは「ワイパ」シールなどのソフトシールを受けるように配置される。ワイパシールは下本体部分１１０３５と一体に形成することができる。たとえば、下ワイパシールは、フィルタの本体部分材料の外側に突出するフランジとして形成することができる。薄い材料により、ワイパシールを形成するのに十分な柔軟性が得られる。他の例として、下本体部分１１０３５は、柔軟材料を含んでいてもよく、これはフィルタ本体の残りの部分にオーバモールドされ、シールを含む。他の例として、シールは柔軟材料を含んでいてもよく、これは下本体部分１１０３５にオーバモールドされる。いくつかの構成では、下ワイパシールは外側にテーパ状であってもよく、すなわち、下ワイパシールの外側部分は、ワイパシールのより内側部分より薄くすることができる。ソフトシールは、フィルタ本体がフィルタ受容部３００内に配置されたときに下本体部分１１０３５とフィルタ受容部３００の壁との間を封止し、フィルタとフィルタ受容部との間に封止係合を提供し、フィルタへの細菌の侵入を阻止する。
【０３８７】
以下に、図４０を参照しながら第３構成のフィルタモジュール３００１のガス入口およびガス出口の明示的な面積を概説する。
【０３８８】
いくつかの構成では、第１副コンパートメント３００７のガス入口３０１１の面積Ａと第１副コンパートメントガス出口の面積Ｂとの比は、約１：５〜約１：８０であってもよく、約１：１０〜１：４０であってもよく、約１：２０であってもよい。たとえば、面積Ａは１５平方ミリメートルであってもよく、面積Ｂは７５平方ミリメートルであってもよく、または面積Ａは４平方ミリメートルであってもよく、面積Ｂは３２０平方ミリメートルであってもよく、または面積Ａは７平方ミリメートルであってもよく、面積Ｂは１４０平方ミリメートルであってもよい。
【０３８９】
いくつかの構成では、主コンパートメント３００５のガス入口３００９の面積Ｄと主コンパートメント３００５のガス出口の面積Ｃとの比は、約１：１０〜約１：４０の間であってもよく、約１：１５〜約１：３０の間であってもよく、約１：２０〜約１：２５の間であってもよく、約１：２２．７であってもよい。たとえば、面積Ｄは４００平方ミリメートルであってもよく、面積Ｃは４０００平方ミリメートルであってもよく、または面積Ｄは１５０平方ミリメートルであってもよく、面積Ｃは６０００平方ミリメートルであってもよく、または面積Ｄは２２０平方ミリメートルであってもよく、面積Ｃは５０００平方ミリメートルであってもよい。
【０３９０】
いくつかの構成では、第２副コンパートメント３０４１のガス入口３０４５の面積Ｆと第２副コンパートメント３０４１のガス出口の面積Ｅとの比は、約１：５〜約１：８０であってもよく、約１：１０〜約１：４０であってもよく、約１：２０〜約１：２５であってもよく、約１：２３．３であってもよい。たとえば、面積Ｆは１２平方ミリメートルであってもよく、面積Ｂは６０平方ミリメートルであってもよく、または面積Ｆは３平方ミリメートルであってもよく、面積Ｅは２４０平方ミリメートルであってもよく、または面積Ｆは４．５平方ミリメートルであってもよく、面積Ｅは１０５平方ミリメートルであってもよい。
【０３９１】
これらの例示的な面積と比は第３構成のフィルタモジュール３００１に関して記したが、これらは本明細書に記載する他の構成のフィルタモジュールにも当てはまる。比較的大きいガス出口と比較的小さいガス入口とを有するフィルタ１００１、２００１、３００１、１１００１を提供することにより、フィルタでの圧力低下が最小になる。
【０３９２】
いくつかの構成では、フィルタは両面フィルタであってもよくフィルタ本体の両面に対向するガス出口を有する。濾材は、フィルタの２つの対向面に設けられて、コンパートメント／副コンパートメントから２つの対向するガス出口を出るガスを濾過する。空気および／またはガスは、フィルタモジュールの対向面でフィルタ本体から出ることができる。これによって、フィルタ表面積が増大するため、さらに圧力損失が減少し、フィルタ寿命が長くなる。いくつかの構成では、比は上述の２倍とすることができる。
【０３９３】
図示する構成では、濾材の「シート」がフィルタ本体の面に提供される。別法として、濾材は、プリーツ状にして濾材の表面積を増やすことができる。
【０３９４】
図示する形態では、主コンパートメントと第２コンパートメントがフィルタ本体に設けられる。第２コンパートメントの機能は、代替酸素供給入口からの酸素がフィルタ本体の主コンパートメントの底の入口から出ないようにすることである。コンパートメントはまた、ガスを濾材内に案内することにより、乱流により生じる（すなわち、ガスがバルブマニホルドまたはフィルタモジュール入口などを通過する際）ノイズを減衰させる機能も果たす。
【０３９５】
別法として、主コンパートメントの中で非閉鎖コンパートメント、バッフル、バリア、チャネルなどを使って、代替供給入口から入ってくる酸素を方向転換または再循環させて同様の効果を生じさせることができる。
【０３９６】
記載したフィルタ１００１、２００１、３００１、１１００１は、複数の供給源からのガスを濾過することができ、それによって異なる供給源のための複数のフィルタを使用しなくてよい。フィルタの異なる部分（たとえば、フィルタ本体の上および下）に位置するガス入口ポートを有するフィルタ構成では、ガス源を装置ハウジングの上および下から結合できることにより、特に汎用性が得られる。
【０３９７】
４．バルブモジュール
図２Ａ、２Ｂ、３Ｂ、４、６、１０、および１７〜２２は、第１構成のバルブモジュール４００１を示す。バルブモジュール４００１は、装置１０のガス流路に入る酸素および／またはその他のガスの流れを制御し、装置１０が気流内に取り込まれる酸素の割合を調整できるようにする。バルブモジュールは、製造、組立、点検修理または、たとえば故障、通常メンテナンス、または将来のアップグレード／改良の場合の交換をしやすくするためにモジュールユニットとして形成される。
【０３９８】
バルブモジュール４００１は、主ハウジングの下部シャシ２０２のバルブモジュール受容部３０６に上向きに垂直に挿入される。代替構成では、バルブモジュールは、ハウジングに異なる方向で、たとえば上向きに、下向きに、後方に、または横方向に挿入可能とすることができる。バルブモジュール４００１は装置の主ハウジングと取外し可能に係合可能であり、それによってバルブモジュール４００１はハウジングの中に実質的に受けられ、ハウジングの外からアクセス可能である。バルブモジュール４００１の一部は、バルブモジュールがハウジングと取外し可能に係合したときに、ハウジングの外壁と実質的に同一平面となるように配置される。
【０３９９】
バルブモジュールがモジュール式であり、ハウジングの外からアクセス可能であることから、バルブモジュールは、装置１０をそれほど分解せずに、また装置のハウジングのシールを損なわずに交換できる。バルブモジュール４００１は実質的にハウジング内に受けられるため、バルブモジュールがハウジングと係合すると、これはハウジングと一体になり、ハウジングの大きさやかさは大きくならない。さらに、使用中、バルブモジュールの構成要素、たとえば下記のバルブ４００３およびバルブマニホルド４０１１は、これらが使用中はバルブキャリア４０５１および装置の主ハウジングの中に配置されるため、保護される。この構成により、装置１０を意図せずぶつけたり、落としたりした場合に、バルブモジュールとバルブモジュールの構成要素が損傷を受ける可能性が大幅に低くなる。
【０４００】
バルブモジュールは、バルブマニホルド４０１１を通るガスの流れを制御するように配置されるフローコントロールバルブ４００３を含む。バルブは、装置の一部へのガスの流れを制御するように配置される。たとえば、バルブは、フィルタモジュール１００１、２００１、３００１、１１００１へのガスの流れを制御するように配置することができる。別法では、バルブ４００３は、装置の別の部分へのガスの流れを制御するように配置することができる。バルブモジュール４００１とフィルタモジュール１００１、２００１、３００１、１１００１は、ブロワ４０２とモータおよび／またはセンサモジュール４００の上流に配置される。いくつかの構成では、バルブモジュール４００１とフィルタモジュール１００１、２００１、３００１、１１００１は、ブロワ４０２の下流に配置される。
【０４０１】
バルブ４００３は、円筒形の本体４００５と、本体内のバルブ部材と、を含む。
【０４０２】
フローコントロールバルブはたとえば、ソレノイドバルブとすることができ、モータ式とすることができ、または圧電式とすることができる。
【０４０３】
ソレノイドバルブで、バルブ部材は開位置と閉位置との間で作動される。ソレノイドバルブは比例バルブとすることができる。バルブを通過するガス流の範囲（すなわち、バルブ開口の大きさによる）は、バルブに供給される電流と相対である。
【０４０４】
別法として、ソレノイドバルブは変調される入力信号により制御されてよく、それによってバルブは開位置と閉位置との間で変調される。
【０４０５】
バルブ４００３は、ニードルバルブ、プランジャバルブ、ゲートバルブ、ボールバルブ、バタフライバルブ、グローブバルブなどとすることができる。バルブは、圧力補償型とすることができる。
【０４０６】
いくつかの構成では、バルブはノーマリクローズドバルブであり、すなわち、バルブは電源がオフのときには閉じている。これは、装置の電源がオフであるときに、接続中のガス供給ラインが酸素またはその他のガスを放出したままとなることを防止する。いくつかの代替的構成では、バルブはノーマリオープンバルブである。
【０４０７】
いくつかの構成では、バルブ４００３は電動比例ソレノイドバルブである。たとえば、バルブはドイツ、エアリッヒハイムのＳｔａｉｇｅｒ  ＧｍｂＨ＆Ｃｏ．ＫＧから入手可能なμＰｒｏｐバルブであってもよく、ニュージャージ州のＥｍｅｒｓｏｎ／Ａｓｃｏ  Ｖａｌｖｅｓから入手可能なＡｓｃｏ  ２０２シリーズＰｒｅｃｉｆｌｏｗバルブであってもよく、または他のいずれの好適な種類のバルブとすることができる。
【０４０８】
バルブは、同軸入口出口構成を有することができる。
【０４０９】
バルブモジュール４００１はバルブマニホルド４０１１を含み、バルブマニホルドガス入口４０１７と１つまたは複数のバルブマニホルドガス出口４０１９との間のガス流路４０１５を画定する本体４０１３を有する。バルブマニホルドのガス入口４０１７は、バルブマニホルドの端に、またはそれに向かって軸方向に位置する。いくつかの構成では、バルブマニホルド４０１１は、１つのガス出口４０１９を有し、これはバルブマニホルド上に半径方向に位置する。いくつかの構成では、バルブマニホルド４０１１は複数のバルブマニホルドガス出口４０１９を含み、これらはバルブマニホルドの周囲に半径方向に位置する。バルブマニホルド出口４０１９は、ガスマニホルドガス入口４０１７からフィルタモジュール１００１、２００１、３００１、１１００１のガス入口へとガスを送達するように配置される。出口４０１９を半径方向に配置することは、酸素（またはその他のガス）をフィルタモジュールに向かって案内するのを支援し、酸素の損失を最小化して、閉じ込めの効率を上昇させる。バルブ４００３は、バルブマニホルドガス入口４０１７からバルブマニホルドガス出口４０１９へのガスの流れを制御するように配置される。バルブが「閉」であると、ガス入口４０１７からガス出口４０１９へのガスの流れが阻止される。バルブが「開」であると、ガス入口４０１７からガス出口４０１９へのガスの流れが可能となる。
【０４１０】
バルブマニホルド４０１１の、ガス入口と反対の端４０１８はバルブ４００３を受け、それと封止係合し、それによってバルブとバルブマニホルドは流体連通する。図２０を参照すると、端４０１８はバルブに取り付けるためのフランジ４０２３を含む。フランジ４０２３は、マニホルドをバルブ４００３に固定するための締結具４０２３Ｆを受ける開口部４０２３Ａを有する。バルブをバルブマニホルドと封止係合させるために、バルブ４００３とバルブマニホルド４０１１との間の接合面の周縁に沿ってＯリングを設けることができる。
【０４１１】
バルブマニホルド４０１１は、バルブ４００３の形状と相補的な形状を有する。いくつかの構成では、バルブマニホルド４０１１は、実質的に円筒形の本体を有し、バルブ４００３は実質的に円筒形の本体を有する。別法として、バルブマニホルドとバルブは異なる形状、たとえばブロック、正方形、長方形、または非円筒形とすることができる。図示する構成は、重いブロック状のマニホルドより軽く、製造コストもより安い。たとえば、実質的に円筒形のマニホルド本体は、自動製造機械に送給される連続的な円筒形のロッドから形成することができる。バルブマニホルドは、たとえばＣＮＣ旋盤またはミル加工など、いずれの好適な技術を使って製作することができる。
【０４１２】
バルブマニホルド４０１１はバルブからの酸素を、半径方向に配置されたガス出口４０１９を介して方向付け／分散させる。いくつの実施形態において、１つのガス出口４０１９がバルブマニホルドに設けられる。酸素が出口を通過する際、ノイズが発生する。装置は医療および／または家庭内の患者の近くで使用される可能性があるため、発生するノイズを最小限にすることが望ましい。
【０４１３】
音の周波数と大きさは、酸素出口の形状と数およびそれらの間の関係に依存する。半径方向のバルブマニホルドガス出口４０１９は、ノイズを低減化させるための空力音響学的形状とすることができる。たとえば、図２１に示すように、バルブマニホルドガス出口の形状は、円筒形の貫通孔４０１９Ａ、円錐台４０１９Ｂ、またはフレア４０１９Ｃのうちの１つまたはそれらの組合せとすることができる。円錐台またはフレアの形状は、断面が出口４０１９を通るガスの流れの方向に大きくなるようなものとすることができる。
【０４１４】
さらに、または別法として、ノイズを低減化させるために、フード、ダクト、またはチャネルをバルブマニホルド出口４０１９の周囲に、その付近で、またはそれと流体連通するように形成することができる。さらに、および／または別法として、ノイズを低減化させるために、発泡材などをバルブマニホルドの周囲に、バルブマニホルド出口の付近で設置することができる。
【０４１５】
バルブマニホルドガス入口４０１７の入口の内側に小型フィルタを設けて、粉塵または粒子がバルブ内に導入されるのを防止できる。
【０４１６】
バルブマニホルドの、ガス入口４０１５に対応する端は、コネクタ４０３１を受け、それと接続されるように配置される。図示する形態では、コネクタ４０３１はスイベルコネクタである。別法として、コネクタ４０３１は、コネクタのガス入口４０３３が、たとえば並進運動または旋回運動など、異なる方法で移動できるように配置することができる。
【０４１７】
バルブマニホルドとスイベルコネクタは、構成要素を一体に係合させるためにねじ切りされていてもよい。スイベルコネクタ４０３１はガス入口４０３３を有し、これはバルマニホルドの長手方向軸ＬＡに対して実質的に横切る向きであり、ガス流路４０３７により、スイベルコネクタガス出口４０３９と流体連通する。スイベルコネクタのガス入口４０３３は、横方向に延びる導管／カップリング４０３５の形態であり、これはガス供給ラインに流体接続可能である。たとえば、導管／カップリング４０３５は、ガス供給ラインコネクタに接続して、酸素などのガスをバルブマニホルドに送達することができる。ガス供給ラインコネクタは、使用する国に応じて選択でき、たとえば、ＤＩＳＳおよびＮＩＳＴ医療用ガスコネクタは典型的に、それぞれ米国と欧州で使用されるであろう。スイベルコネクタ４０３１は、ガス供給ラインとバルブマニホルドのガス入口４０１７との間を流体接続させるように配置される。
【０４１８】
図１０を参照すると、スイベルコネクタのうち、ガス入口４０３３を有する部分は、スイベルコネクタのうち、ガス出口４０３９を有する部分の周囲で、バルブマニホルド４０１１の長手方向軸ＬＡの周囲で回転するように配置される。旋回構造は、スイベルコネクタの中に内蔵される。回転を起こすことができるように、スイベルコネクタのこれら２つの部分間に好適な軸受け、シール、および開口部が設けられる。
【０４１９】
スイベルコネクタのガス入口４０３３は、図のように、バルブマニホルドの長手方向軸ＬＡに対して実質的に垂直に向けることができる。別法として、ガス入口４０３３は、バルブマニホルドの長手方向軸ＬＡに対して実質的に横切る異なる角度に向けることができる。
【０４２０】
いくつかの構成では、スイベルコネクタのガス入口は、バルブマニホルドの長手方向軸の周囲で最大約１９０度まで、またはバルブマニホルドの長手方向軸の周囲で最大約１８０度まで、またはバルブマニホルドの長手方向軸の周囲で最大約１６０度まで、またはバルブマニホルドの長手方向軸の周囲で最大約１２０度まで、またはバルブマニホルドの長手方向軸の周囲で最大約９０度まで、またはバルブマニホルドの長手方向軸の周囲で最大約６０度まで、またはバルブマニホルドの長手方向軸の周囲で最大約４５度まで回転可能である。
【０４２１】
いくつかの構成では、ガス供給ラインに流体接続されるガス入口４０３３は、ハウジングに関して、実質的に水平な位置と実質的に垂直な位置との間で移動可能である。いくつかの構成では、実質的に水平な位置は側方、前方、または後方位置である。いくつかの構成では、実質的に垂直な位置は上方または下方位置である。いくつかの構成では、実質的に水平な位置は側方位置であり、実質的に垂直な位置は下方位置である。
【０４２２】
たとえば、図２Ａ、２Ｂ、および４に示すように、バルブモジュール４００１が下部シャシ２０２に取り付けられると、導管／カップリング４０３５は下部シャシ２０２の側方または下方から、またはそれらの間のいずれかの位置から突出し得る。スイベルコネクタ４０３１により、ガス供給ラインを位置決めしやすくなる（すなわち、装置１０が、入口を垂直方向に位置決めするのが最善である医療用スタンドの上、または入口を水平方向に位置決めするのが最善であるベンチの上にある場合）。その結果、スイベルコネクタ４０３１はガス供給ラインが曲がるのを防止し得る。バルブモジュール４００１は、たとえばハウジングの上面、側面、後面、または正面など、装置ハウジングの異なる部分に設けることもできると理解されるであろう。
【０４２３】
スイベルコネクタはさらに、接続されたガス供給ラインにより装置のハウジングに加えられる力を縮小する。たとえば、装置がポールに取り付けられると、垂れ下がったチューブの重量が装置に引っ張り力を加えるかもしれない。スイベルコネクタにより、ガス供給ラインを他の方向に向けて、ポールに固定されるようにすることができる。
【０４２４】
スイベルコネクタは、たとえばカップリング４０３５に突然ぶつかるか、そこに接続されたガス供給ラインに引っかかると、バルブモジュールとハウジングに力を伝える前に回ってしまう可能性が非常に高い。その結果、スイベルコネクタは、装置に損傷が及ぶのを回避するのを助ける。さらに、バルブキャリアは、装置主ハウジングへの損傷を防止するために、１つまたは複数のガード１００８５、１００８６、１００８７を有することができる。図４３は、３つのガード１００８５、１００８６、１００８７を有するバルブキャリアを示しており、これらはバルブキャリアの、スイベルコネクタが当たるであろう縁に沿って延び、スイベルコネクタが装置主ハウジングに当たるのを防ぐ。ガード１００８５、１００８６、１００８７は、バルブキャリア部分との一体機構として示されている。別法として、ガード１００８５、１００８６、１００８７はバルブキャリアに取り付けられる別の機構とすることができる。
【０４２５】
バルブモジュールに損傷が及んだ場合、バルブモジュールは、装置全体を分解することなく交換できる。
【０４２６】
バルブモジュール４００１は、装置の流路の開始点に位置する。バルブ４００３が塞がれ（すなわち、粉塵、粒子などによる）、開放状態に保たれない場合、過剰に加圧された酸素またはその他のガスがバルブキャリア４０５１内の周囲空気入口開口（たとえば、図１８のスイベルコネクタの下に示す開口）を「押し開く（ｄｕｍｐ  ｏｕｔ）」。これによって、過剰な圧力が患者に到達することが防止される。そのため、システムは、圧力逃し弁を使わずに、もともと圧力制限されていると考えることができる。
【０４２７】
バルブモジュール４００１は、バルブ４００３、バルブマニホルド４０１１、およびスイベルコネクタの４０３１を実質的に収容し、支持するバルブキャリア４０５１を含む。バルブキャリア４０１１は、装置のハウジングと取外し可能に係合可能である。バルブキャリアの外側部分は、バルブモジュールがハウジングと取外し可能に係合したときに、装置のハウジングの外壁と実質的に同一平面になるように配置される。
【０４２８】
バルブキャリア４０５１は犠牲的とすることができ、過剰な応力がかかった場合、バルブキャリアは装置主ハウジングより前に故障する。
【０４２９】
バルブキャリア４０５１は、第１の下バルブキャリア部分４０５３と、任意選択により、第２の上バルブキャリア部分とを含む。バルブ、バルブマニホルド、およびスイベルコネクタは、少なくとも部分的に第１バルブキャリア部分４０５３と第２バルブキャリア部分との間に位置する所定の位置に固定され、バルブキャリア（旋回ガス入口４０３３以外）に対して固定される。代替構成では、第１バルブキャリア部分は第１側方部を含むことができ、第２バルブキャリア部分は第２側方部を含むことができる。代替構成では、バルブ、バルブマニホルド、およびスイベルコネクタは、下バルブキャリア部分４０５３に結合され、それによって所定の位置に固定される。
【０４３０】
バルブキャリア４０５１は、ハウジングの凹部に、締結具、永久的もしくは一時的スナップフィット、または他のいずれかの好適な方法で保持することができる。
【０４３１】
バルブキャリアは、バルブ、バルブマニホルド、またはスイベルコネクタを支持するための支持構造４０５７を含む。支持構造は、バルブ、バルブマニホルド、およびスイベルコネクタを支持するための１つ、２つ、またはそれ以上の支持部を含むことができる。
【０４３２】
バルブキャリアは、第１および第２バルブキャリア部分４０５３を一緒に締結し、および／またはバルブキャリアを装置の主ハウジングに締結するための締結具を受けるスリーブ４０５９を含む。図１７および２０に示す形態では、スリーブはまた、バルブマニホルド４０１１の平坦面４０２１も受け、本来であればスイベルコネクタ４０３１の回転によって生じる可能性のあるバルブキャリア内でのバルブマニホルド４０１１の回転を防止する。
【０４３３】
特にスイベルコネクタに接続された酸素もしくはガスラインまたはホースの動きに対して、バルブキャリアを構造的に支持するために、追加の、または代替の支持構造、たとえば一体に成形されたリブおよび／またはその他の機構を提供することもできる。
【０４３４】
周囲空気が装置のガス流路内に引き込まれるようにするために、開口部４０５１Ｏがバルブキャリア４０５１に設けられる。周囲空気流路は、バルブの付近を、またはそれに隣接して通る。図示する形態では、開口部４０５１Ｏは、スイベルコネクタのガス入口の周囲に位置する。さらに、または別法として、開口部はバルブキャリアの他の箇所に位置することもできる。装置のブロワモータ４０２が作動すると、これはフィルタモジュールおよびバルブモジュールを通じて吸引力を発生させ、周囲空気を装置内に吸引する。周囲空気流路はバルブモジュール内を通り、それによって周囲空気はフローコントロールバルブからのガスの流れと共に閉じ込められる。周囲空気流路はガス出口を有し、これは周囲空気を、ガスの流れを送達する装置の１つまたは複数の温度センサを通過させて送達するように適合される。
【０４３５】
装置は、バルブマニホルドのガス入口からのガスと周囲空気とを同時に引き込むことができ、またはガス入口からのガスを加圧することによりガスを強制的にフィルタに通すことができる。ガスは、バルブモジュールから出て、フィルタのガス入口に入る。装置は、ガス入口からのガスと周囲空気とが、装置のガス出口に送達される前に、装置の中で動的に閉じ込められ／混合されるように構成できる。
【０４３６】
バルブモジュールは、スイベルコネクタの周囲および／または他の箇所に位置する、周囲空気のための大きい開口部４０５１Ｏ、乱流を最小化して、流れを円滑にするためにＲのつけられた／丸くされた／傾斜した流路の縁（すなわち、たとえばバルブマニホルドの内部）のうちの１つまたは複数を有することにより、バルブモジュールでの圧力低下を最小化するように構成できる。
【０４３７】
このバルブモジュール４００１と本明細書に記載する他のバルブモジュール５００１、６００１、７００１、８００１、９００１とは、フィルタ１００１、２００１、３００１、１１００１と直接結合されて、ガスモジュールからフィルタまでのガス流路を提供するように配置される。バルブモジュールとフィルタモジュールとの間にホース接続は不要である。これによって、構成要素の大きさが最小化され、モジュール式のバルブモジュールとフィルタモジュールを接続および切断しやすくなる。
【０４３８】
図２４および２５は、第２構成のバルブモジュール５００１を示す。後述しないかぎり、特徴、機能、選択肢、および利点はすべて、前述の第１バルブモジュール構成に関して上で概説したとおりであり、同様の参照数字は、各参照数字に１０００を加算して同様の部分を示す。
【０４３９】
上記の第１構成のバルブモジュール４００１は、スイベルコネクタ４０３１が取り付けられた固定のバルブマニホルド４０１１を利用する。この第２構成のバルブモジュール５００１は、バルブマニホルド５０１１がバルブキャリア５０５１内で旋回／回転し、バルブ５００３はバルブマニホルド５０１１と共に回転可能であり、ガス供給ラインはバルブマニホルドのガス入口５０１５に直接接続できるという点で異なる。バルブマニホルド５０１１およびバルブ５００３は、バルブおよびバルブマニホルドとバルブキャリア５０５１との間に提供されるスイベル軸受け５０６１の内部で回転可能である。別法として、バルブマニホルド５０１１およびバルブ５００３は、バルブキャリア５０５１内で回転するように構成でき、その中のリブなどの一体に成形された支持機構により支持および／または保持され得る。
【０４４０】
バルブマニホルドガス入口５０１５は、バルブマニホルドの長手方向軸に対して実質的に横切るように延び、ガス供給ラインに流体接続可能であり、バルブおよびバルブマニホルドは、バルブマニホルド５０１１の長手方向軸ＬＡの周囲でバルブキャリアに対して回転可能である。
【０４４１】
バルブマニホルドガス入口５０１５は、バルブマニホルドの長手方向軸ＬＡに対して実質的に垂直方向に延びることができる。いくつかの構成では、バルブマニホルドガス入口は、バルブマニホルドの長手方向軸に対して実質的に横切る異なる角度に向けることができる。
【０４４２】
いくつかの構成では、バルブ５００３およびバルブマニホルド５０１１は、バルブキャリアに対して、バルブマニホルドの長手方向軸の周囲で最大約１９０度まで、またはバルブマニホルドの長手方向軸の周囲で最大約１８０度まで、またはバルブマニホルドの長手方向軸の周囲で最大約１６０度まで、またはバルブマニホルドの長手方向軸の周囲で最大約１２０度まで、またはバルブマニホルドの長手方向軸の周囲で最大約９０度まで、またはバルブマニホルドの長手方向軸の周囲で最大約６０度まで、またはバルブマニホルドの長手方向軸の周囲で最大約４５度まで回転可能である。
【０４４３】
この構成により、別個のスイベルコネクタの必要性が排除される。別個のスイベルコネクタが不要であるため、ガス流路の障害は、たとえば別個のスイベルコネクタがバルブマニホルドに接続する地点など、より少なくなる。その結果、回転または旋回するバルブマニホルド５０１１によって、バルブマニホルド５０１１の内部により単純な流路が提供される。
【０４４４】
図２６は、第３構成のバルブモジュール６００１を示す。後述しないかぎり、特徴、機能、選択肢、および利点はすべて、前述の第２バルブモジュール構成に関して上で概説したとおりであり、同様の参照数字は、各参照数字に１０００を加算して同様の部分を示す。
【０４４５】
この構成では、バルブマニホルド６０１１は、バルブキャリア６０５１内で旋回／回転する。バルブ６００３は、バルブマニホルド６０１１と共に回転可能である。ガス供給ラインは、バルブマニホルドのガス入口６０１５に直接接続できる。バルブキャリア６０５１は、バルブマニホルド出口６０１９の付近に流路６０５４を含み、図２８および２９の構成で示し、後でより詳しく説明するものと同様のハウジングの形態とすることのできる流路ダクトに向かって流れを上方に案内する。
【０４４６】
バルブマニホルド６０１１は、バルブキャリア６０５１内のリブまたは他の一体に成形された支持機構の中で旋回または回転するように構成され、それによって所定の位置に支持および／または保持され得る。
【０４４７】
この構成により、別個のスイベルコネクタの必要性が排除される。別個のスイベルコネクタが不要であるため、ガス流路の障害は、たとえば別個のスイベルコネクタがバルブマニホルドに接続する地点など、より少なくなる。その結果、回転または旋回するマニホルドによって、バルブマニホルド６０１１の内部により単純な流路が提供される。
【０４４８】
酸素またはその他のガスをマニホルドガス出口６０１９から上方にフィルタ１００１、２００１、３００１、１１００１に向かって上方に案内する流路により、システムからの酸素の損失が減少し、または阻止される。その結果、酸素閉じ込め効率が向上する。
【０４４９】
流路６０５４と流路ダクトは、本明細書に記載するバルブモジュールにおいて使用できる流れ案内構造の例である。流れ案内構造は、バルブモジュールが装置ハウジングに取外し可能に係合したときに、バルブマニホルドガス出口からのガスの流れをフィルタに向かって案内するように配置される。いくつかの構成では、流れ案内構造は、複数のバルブマニホルドガス出口を取り囲む環状のハウジングを含み、流れ案内構造は、フィルタのガス入口と流体連通するガス出口を含む。
【０４５０】
図２８、２９、および３０は、第４構成のバルブモジュール７００１を示す。後述しないかぎり、特徴、機能、選択肢、および利点はすべて、前述の第１バルブモジュール構成に関して上で概説したとおりであり、同様の参照数字は、各参照数字に３０００を加算して同様の部分を示す。
【０４５１】
この構成により、バルブマニホルド７０１１は静止状態に固定されたままとなり、ガス供給ラインはスイベルコネクタ７０３１を介してバルブマニホルド７０１１に接続される。バルブキャリアは流れ案内構造を含み、これは、バルブモジュールが装置ハウジングと取外し可能に係合したときに、バルブマニホルドガス出口からのガスの流れをフィルタに向かって案内するように配置される。特に、バルブマニホルド出口７０１９に隣接する流路７０５４は、流れを流路酸素フードダクト７０６３に向かって上方に案内し、流路からの酸素をフィルタ２００１に向かって上方に案内する。流路７０５４は、下バルブキャリア部分７０５３に設けられ、ダクト７０６３は、下バルブキャリア部分とは別に設けられるが、流路７０５４とは結合される。いくつかの構成では、ダクト７０６３は、ハウジングにより、バルブキャリア７０５１の上キャリア部分内に設けることもできる。ダクト７０６３は、流路７０５４の上端と係合する。流路ダクト７０６４の上開口は、使用時に、フィルタ本体入口２００９と当接し、またはそれと密着して、バルブモジュール７００１からの酸素の実質的に全部をフィルタモジュール２００１の中へと案内する。これは、システム内の酸素の損失を防止するのを助け、その結果、酸素閉じ込め効率が向上する。
【０４５２】
この構成では、空気流内の酸素閉じ込めは、酸素の流れをフィルタに向かって上方に案内する流路７０５４とダクト７０６３によって改善される。
【０４５３】
図３１は、第５構成のバルブモジュール８００１を示す。後述しないかぎり、特徴、機能、選択肢、および利点はすべて、前述の第１バルブモジュール構成に関して上で概説したとおりであり、同様の参照数字は、各参照数字に４０００を加算して同様の部分を示す。
【０４５４】
この構成では、バルブマニホルド８０１１は、バルブキャリア８０５１内で静止状態のままである。第１、第２、第３、および第４構成と比較すると、電動バルブ８００３、バルブマニホルド８０１１、およびスイベルコネクタ８０３１は１８０°向きが変わっている。これは、装置１０と組み立てたときに、スイベルコネクタが、装置１０の主ハウジングと一体に形成するか、別に形成されて主ハウジングに取り付けることのできるマウント８６０３を介して装置１０がポールスタンド８６０１に取り付けられる地点の付近で、ユニットから突出するようになされる。
【０４５５】
ガス供給ライン、たとえば酸素供給ラインは、スイベルコネクタ８０３１を介してバルブマニホルド８０１１に接続される。
【０４５６】
バルブマニホルド８０１１は、１つのマニホルドガス出口を有する。流路ダクト８０６３は、１つのマニホルドガス出口からの酸素をフィルタ２００１に向かって上方に案内する。流路ダクトの上開口部は、使用時に、フィルタ本体入口２００９と当接するか、それに密着して、バルブモジュール８００１からの酸素の実質的に全部をフィルタモジュール２００１へと案内する。これは、システム内の酸素の損失を防止するのを助け、その結果、酸素閉じ込め効率が向上する。
【０４５７】
この構成では、空気流内の酸素閉じ込めは、酸素の流れをフィルタ２００１に向かって上方に案内するダクト８０６３によって改善される。これによって、より確実かつ一貫した酸素閉じ込めが行われる。
【０４５８】
スイベルコネクタ８０３１の部分８０３５は、装置１０のハウジングの、ハウジングユニットがポールスタンド８６０１に取り付けられる地点の付近から突出する。したがって、スイベルコネクタの位置により、ガス供給ラインを、それがポールマウントのポールに実質的に隣接して延びるように配置できる。これは、ガス供給ラインがポールスタンドから実質的に離れた位置まで延び、それが近くの物に引っかかったり、その妨げになったりするのを回避できる。これはまた、ガス供給ラインのよじれも回避できる。スイベルコネクタをポールの付近に配置することにより、使用者はガス供給ラインをポールに固定して、ストレインリリーフを提供することも可能となる。
【０４５９】
図３３〜３６および３７は、第６構成のバルブモジュール９００１を示す。後述しないかぎり、特徴、機能、選択肢、および利点はすべて、前述の第５バルブモジュール構成に関して上で概説したとおりであり、同様の参照数字は、各参照数字に１０００を加算して同様の部分を示す。
【０４６０】
第１、第４、および第５構成と同様に、バルブマニホルド９０１１はバルブキャリア９０５１内で静止したままである。第６構成と同様に、スイベルコネクタの部分９０３５は装置１０の、装置がポールスタンドに取り付けられる地点の付近から突出する。
【０４６１】
ガス供給ライン、たとえば酸素供給ラインは、スイベルコネクタ９０３１を介してバルブマニホルド９０１１に接続される。
【０４６２】
バルブマニホルドは、１つのマニホルドガス出口９０１９を有する。１つのマニホルドガス出口９０１９は、フィルタモジュール３００１と一体に形成されるフィルタ延長ダクト３０４６を封止状態で受ける。バルブアセンブリからの実質的にすべての酸素がフィルタモジュール内に案内される。これは、システム内の酸素の損失を防止するのを助け、その結果、酸素閉じ込め効率が向上する。
【０４６３】
図３７Ａ〜３７Ｄは、１つのマニホルドガス出口９０１９とフィルタ延長ダクトとの間を封止するために使用できる例示的なシール、たとえばＯリングシール３０４６Ｓ１（図３７Ａおよび３７Ｂ）、グロメットシール３０４６Ｓ２（図３７Ｃ）、または面シール３０４６Ｓ３（図３７Ｄ）を示す。
【０４６４】
図４７および４８を参照すると、マニホルド出口１２０４６には、細菌、粉塵、および粒子がマニホルドに侵入するのを防止し、または少なくとも最小限にするためのフィルタ１０２４６ｃを設けることができる。物質をマニホルドに侵入させ得る状況は、フィルタモジュールが装置、バルブモジュール、またはそれらの両方から切断されたときである。さらに、または別法として、同様の目的で同様のフィルタをマニホルド入口に設置することができる。
【０４６５】
ある実施形態では、フィルタ１０２４６ｃは焼結金属フィルタであるか、それを含むことができる。好適な焼結金属の例には、銅、青銅、または鋼鉄が含まれる。別法として、フィルタはセラミックまたはポリマフィルタとすることができ、これは焼結フィルタとすることができる。焼結金属フィルタは長期に及ぶ信頼性を提供し、酸素供給源に近いため、その結果生じる圧力低下はそれほど大きくない。
【０４６６】
図４７は、フィルタ延長ダクト１２０４６とフィルタおよび／またはマニホルド出口との間のＯリングの形態のシール１２０４６ａを示す。他の適当なシール、たとえばグロメットシールまたは面シールを使用できる。さらに、または別法として、フィルタ延長ダクトは図４８に示すような締まり嵌め、またはきつい隙間嵌めを通じてマニホルドと封止できる。
【０４６７】
これらの実施形態のいずれかに加えて、フィルタはＯリングシール、グロメットシール、面シール、および／または他のあらゆる好適なシールによってマニホルド出口に封止できる。別法として、下シールはなくてもよい。
【０４６８】
バルブキャリア９０５１は、スピーカハウジング９０６５と、スピーカハウジング内に位置し、保持される音声スピーカ９０６６と、含む。スピーカは、装置１０の制御システムと電子通信する。
【０４６９】
１つまたは複数の温度センサは、バルブキャリア９０５１の上またはその中に、たとえばスピーカの付近に提供される。いくつかの構成では、温度センサは、サーミスタ、デジタル温度センサ、または他のあらゆる好適な種類の温度センサを含む。温度センサは、装置１０の外部の周囲温度を示す周囲温度フィードバックを装置のコントローラに提供する。温度センサは、好ましくはガスストリームの中に配置される。たとえば、温度センサは、ガス周囲空気流路内に配置できる。さらに、または別法として、温度センサは、ユニットの縁の近くに配置される。これらの位置により、ユニット内で生成される熱が温度センサにより検知される温度に与える影響が排除され、または少なくとも軽減し、それによって温度センサは周囲温度に近い温度を検出できる。１つの実施形態では、温度センサは入口の付近にある。図５２はセンサの位置のための２つの選択肢を示し、これらは矢印により示される。右の矢印は、温度センサが後述のようなフレキシブルＰＣＢ  １００６７の延長部１００７４に配置されることを示す。装置は、一方の箇所に配置された１つの温度センサ、もう一方の箇所の１つの温度センサ、または２つの温度センサ、すなわち両方の位置の各々に１つを有することができる。他の代替案では、１つまたは複数のセンサを装置上の他の箇所に配置できる。
【０４７０】
上バルブキャリア部分９０５５は、バルブ９００３、バルブマニホルド９０１１、およびスピーカ９０６６をバルブキャリア９０５１上の所定の場所に「挟む」効果を有する。具体的には、上バルブキャリア部分９０５５はバルブ９００３、バルブマニホルド９０１１、およびスピーカ９０６６を上から支持する。これは、バルブモジュール９００１の組立と、すべての構成要素を輸送中に完全なモジュールとして一緒に保持するのを助ける。スリーブ９０６０は、下キャリア部分内のスリーブ９０５９から締結具を受けるために上キャリア部分に設けられる。
【０４７１】
いくつかの構成では、上バルブキャリア部分９０５５と下バルブキャリア部分９０５３は、単体として一体に形成できる。
【０４７２】
バルブモジュール９００１は、バルブモジュールをモジュール式にするために、バルブモジュールとガスの流れを送達する装置１０との間の電気接続を提供する電気コネクタを有する。いくつかの構成では、電気コネクタは、バルブ９００３と電気／電子通信しており、電気コネクタは、ガスの流れを送達する装置１０の中の相補的コネクタと、たとえば相補的コネクタにプラグ接続することによって係合するように配置または適合される。いくつかの構成では、ワイヤはバルブと電気コネクタとの間の電気／電子通信を提供する。いくつかの構成では、グロメットは、ワイヤとワイヤが通過する開口部との間を封止し、ワイヤをワイヤが通過する開口の縁と接触しないように遮断する。図示する形態では、上バルブキャリア部分９０５５は、その中に延びる、ＰＣＢ  ９０６７などの電気コネクタを有する。ＰＣＢ  ９０６７は装置１０の下部シャシ２０２の一部であり、バルブキャリア９０５１内のＰＣＢエッジコネクタと結合され、それによってＰＣＢ  ９０６７はバルブ９００３、温度センサ、およびスピーカ９０６６と電子通信し、それによってバルブモジュール９００１と装置１０は電子通信する。ＰＣＢ  ９０６７は垂直に向けられる。別法として、ＰＣＢ  ９０６７は、バルブモジュール内に提供でき、ＰＣＢはバルブキャリアのハウジングから突出して装置１０の内部の相補的なエッジコネクタと係合し、それによってバルブモジュール９００１と装置１０のコントロールシステムは電子通信する。
【０４７３】
電気コネクタはバルブキャリアの上からアクセス可能であるように示されるが、いくつかの構成では、電気コネクタは、バルブキャリアの上、側方、または基部に配置し、またはそこからアクセス可能とすることができる。
【０４７４】
図４３および４５は、バルブモジュールの代替構成を示す。後述しないかぎり、特徴、機能、選択肢、および利点はすべて、前述の第１バルブモジュール構成に関して上で概説したとおりであり、同様の参照数字は、各参照数字に９０００を加算して同様の部分を示す。
【０４７５】
特に、この代替実施形態はフレキシブルＰＣＢ  １００６７を有する。フレキシブルＰＣＢ  １００６７は、ある幅、比較的薄い深さ、および比較的長い長さを有するリボンである。フレキシブルＰＣＢ  １００６７は、ポリイミドなどの柔軟なプラスチック基板であり、構成要素と電子的に接続される複数の平行なトラックを含む。フレキシブルＰＣＢ  １００６７は、バルブ１０００３、温度センサおよびスピーカ１００６６と電子通信し、それによってバルブモジュールと装置１０は電子通信する。
【０４７６】
フレキシブルＰＣＢ  １００６７は外側に延びる２つのタブ１００６８を有し、これはスピーカ１００６６に電気的に接続される。フレキシブルＰＣＢ  １００６７は、スピーカ１００６６に接続するための異なる形状の端を有することができる。フレキシブルＰＣＢ  １００６７の端の形状は、スピーカ、その他の構成要素またはフレキシブルＰＣＢの必要な接続の形状に応じて選択または設計される。
【０４７７】
フレキシブルＰＣＢ  １００６７の、スピーカに隣接する端は、リボンの幅が水平に延びるような向きとされる。スピーカから延びるフレキシブルＰＣＢ  １００６７はその後、水平の向きから垂直の向きにねじれ、今度はリボンの幅は垂直の向きとなる。フレキシブルＰＣＢ  １００６７の垂直向きの区間は、下バルブキャリア部分１００５３のスタンド１００７６、１００７７、および１００７８により支持される。フレキシブルＰＣＢ  １００６７は、２つの段と、段の間の傾斜路を有する形状である。フレキシブルＰＣＢ  １００６７の形状と向きにより、フレキシブルＰＣＢ  １００６７に必要な空間が小さくなる。
【０４７８】
フレキシブルＰＣＢ  １００６７の次の部分１００７２は垂直に延び、すなわち、リボンは長さが垂直に延びるような向きとなる。この部分１００７２はわずかなねじれ部を有する。フレキシブルＰＣＢ  １００６７の端１００７３は、装置１０の制御システムに電子的に接続される。
【０４７９】
フレキシブルＰＣＢ  １００６７は、温度センサに接続される延長部１００７４も含む。延長部１００７４は、リボンの幅が水平の向きであるＬ字型の延長部である。延長部１００７４の形状と向きは、構成要素の相対的位置に応じて選択または設計される。延長部１００７４は、水平に横たわるような向きとされ、下バルブキャリア部分１００５３のスタンドにより支持される。
【０４８０】
フレキシブルＰＣＢ  １００６７の形状と構成は、他の構成要素の周囲に適合し、フレキシブルＰＣＢ  １００６７が確実に支持されるように選択または設計される。形状および／または構成は、他の構成要素の形状、大きさ、および／または向きに応じて変更できることがわかるであろう。
【０４８１】
図４３は、スピーカ１００６６を剛体的に固定するのを支援するスペーサ１００８０を有する上バルブキャリア部分１００５５の代替実施形態を示す。スペーサ１００８０は、上の構成要素と接触し、上バルブキャリア部分１００５５が動く、たとえば曲がるのを阻止する。特に、スペーサ１００８０は上バルブキャリア部分１００５５から上方に延びる。スペーサ１００８０は、スピーカ１００６６が輸送中に他の構成要素に対して移動するのを阻止し、または少なくとも実質的に抑制する。
【０４８２】
いくつかの構成では、ワイヤまたはフレキシブルＰＣＢの位置により、グロメットがバルブモジュール９００１と図４９に示す取外し可能なバッテリパック１３０８９との間に配置されることになる。図４４のグロメット１００７９を参照すると、グロメット１００７９は、組み立てられたときにバッテリカバーと係合する。分解中、グロメット１００７９は、先に取り外された方のモジュールから切り離される。バルブモジュール９００１が先に取り外されると、グロメット１００７９はバッテリパック１３０８９とつながっている。この場合、ワイヤまたはフレキシブルＰＣＢは、グロメット１００７９を通って引っ張られる。機器が再び組み立てられるときには、ワイヤまたはフレキシブルＰＣＢのストリップはグロメット１００７９を通って再び引っ張られる必要がある。バッテリパック１３０８９をバルブモジュール９００１より前に取り外すことが好ましい。この順番で分解されるのを確実にするために、バッテリパック１３０８９はケース上に、バルブモジュール９００１の上に延びるリップまたは小さい延長部を有する。リップは、バッテリモジュールが取り外される前にバルブモジュール９００１が取り外されるのを防止する。
【０４８３】
図５２および５６〜５８は、図４３〜４５の実施形態の変形型を示す。この実施形態では、スイベルコネクタは玉継ぎ手１４００５である。他の実施形態に関して説明したように、スイベルコネクタは複数の方向への回転を提供するための玉継ぎ手である。この実施形態では、玉継ぎ手１４００５は１つの回転軸の周囲で旋回する。この配置は、スイベルコネクタの位置に関係なく、バルブキャリアとスイベルコネクタとの間に締まり嵌めを提供する。これは、酸素が装置の底面へと漏れるのを阻止するか、少なくとも実質的に妨げ、その代わりにそれをスイベルコネクタの周囲に案内する。バルブキャリアは、スイベルジョイントのボールを受けるためのカップ状の面１４００６ａを有する。この実施形態において、周囲空気は、バルブキャリアが組み立てられたときにできる１つまたは複数のギャップから引き込まれる。これを図５７に示す。
【０４８４】
図３４を参照すると、上パネルは中間フィルタクリップ９０７４をさらに含む。バルブキャリアの下部９０５３上にあるフィルタモジュール解除タブ９０７１を押すと、中間フィルタクリップ９０７４が移動して、フィルタ係合タブ３０７１（図３８および３９）上の突起を越え、それによってフィルタ３００１を装置ハウジングから引き出すことができる。
【０４８５】
フィルタモジュール係合タブ３０７１は、それを通る開口部を含む。中間フィルタクリップ９０７４（図３４参照）は、内部突起を有する開口部を含む。
【０４８６】
中間フィルタクリップ９０７４を押した状態では、フィルタモジュール係合タブ３０７１を中間フィルタクリップ９０７４の開口部の中に通過させることができる。中間フィルタから手を離すと（すなわち、押していないと）、中間フィルタクリップの内部突起はフィルタモジュール係合タブ３０７１の開口部に入り、それと係合する。
【０４８７】
これは、フィルタモジュール９００１を所定の場所に固定する。それによって、代替ガス供給コネクタ１０３９／３０３９に取り付けられたチューブが引っ張られたときに偶発的に外れるのが阻止される。
【０４８８】
この構成では、空気流の中への酸素の閉じ込めは、バルブアセンブリから酸素を受け取るフィルタ延長ダクトにより改善される。
【０４８９】
スイベルコネクタの部分９０３５は、装置ハウジングの、装置１０がポールスタンドに取り付けられる地点から突出する。したがって、スイベルコネクタの位置によりガス供給ラインを、それがポールマウントのポールに実質的に隣接して延びるように配置することができる。これは、ガス供給ラインがポールスタンドから実質的に遠くまで延び、それが近くの物に引っかかったり、その妨げになったりするのを回避できる。これはまた、ガス供給ラインのよじれも回避できる。
【０４９０】
バルブモジュール４００１、５００１、６００１、７００１、８００１、９００１のガス入口４０３３、５０１５、６０１５、７０３３、８０３３、９０３３は装置１０のハウジングに対して移動できるため、装置１０は、患者へのガス供給を損なうような、結合されたガスラインのよじれや損傷を生じさせずに、（たとえば、ポールマウントまたはブラケットの表面に）設置できる。これによって、装置の位置決めの柔軟性が高まる。
【０４９１】
本明細書に記載するバルブモジュールとフィルタモジュールは開放システムであり、その結果、一部の酸素がシステムから失われるか、漏出する。装置１０は、有利には、必要に応じて患者にほぼ１００％濃度の酸素を送達できる。バルブモジュールとフィルタモジュールを使用する装置１０は、必要に応じて約２１％〜約１００％の間の酸素濃度のガスを患者に送達することができ得る。フィルタが周囲空気へと開放していると、バルブマニホルドからの酸素が空気をシステムから移動させる。たとえば、酸素の供給が大きいほど、より多くの量の空気が移動され、その結果、より高い割合の酸素がシステムに入る。
【０４９２】
本明細書に記載するフィルタモジュールとバルブモジュールは、装置のための変化するガス流路を提供できる。たとえば、バルブモジュールは、装置のガス流路に入る酸素の流れを、バルブモジュールおよびフィルタモジュールを介して制御できる。別法として、バルブモジュールは、代替酸素源をフィルタモジュールに第１副コンパートメントガス入口（たとえば、図１０の入口１０１１）によって直接接続することにより迂回し得る。これは、使用者が酸素供給を手で調整したい（すなわち、壁内蔵型供給ロータメータなどによる）状況で、実用向きである。
【０４９３】
本明細書に記載するフィルタモジュールとバルブモジュールは、ガスの流れを送達する装置の中で別々に使用することができることが理解されよう。別法として、フィルタとバルブモジュールは、フィルタ・バルブアセンブリとして一緒に使用することもでき、それによって機能が改善される。
【０４９４】
図示する構成では、装置１０は：
・バルブモジュールを介する（装置による自動酸素調整のため）または
・フィルタ上部に設けられた代替ガス入口を介する（手動調節可能な酸素供給源の取付が可能−すなわち、たとえば壁内蔵型供給ロータメータによる）
のうちの少なくとも１つにより酸素を受け取る。
【０４９５】
加圧酸素源または手動調節可能な酸素供給源のいずれかがバルブモジュール４００１、５００１、６００１、７００１、８００１、９００１を介して１つのガス入口に接続されるさらなる代替流路構成が想定される。その結果、すべての酸素供給がバルブモジュールを通過する。このような構成を図４２に概略的に示す。
【０４９６】
この構成では、手動調節型酸素供給２１の取付が必要であり、装置は「手動供給」モードに設定される。このモードでは、酸素バルブは非アクティブ、すなわち無調整状態で開に保たれ、酸素は自由に通過できる。
【０４９７】
別法として、バルブモジュール内で使用されるバルブは、「ノーマリオープン」型とすることができる。装置が「手動供給」モードに設定されると、バルブは単純にオフとなり、酸素は自由に通過できる。
【０４９８】
手動調節型酸素供給２１は、使用者が外部のフローコントローラ２２、たとえば壁内蔵型供給ロータメータまたはガスタンクバルブなどを介して手動で制御できる。
【０４９９】
図４２の構成により、バルブを迂回する別の代替酸素入口が不要となる。その結果、フィルタ本体は１つの主チャンバさえあればよく、上パネルはより容易にフィルタユニットと一体に成形でき、それによって製造が簡単になる。
【０５００】
この構成によれば、装置１０はまた、例外的または安全でない状況、たとえば圧力過剰、または患者が高酸素症（血中酸素が過剰）となりそうな場合に、手動調節型酸素供給を閉じる、または制御することも可能となる。
【０５０１】
装置１０は、バルブモジュール４００１、５００１、６００１、７００１、８００１、９００１を備えても、備えていなくても提供できる。たとえば、いくつかの家庭向けの応用では、使用者は補助酸素を必要としないが、ハイフローセラピーの恩恵を受ける場合がある。このような応用では、装置１０のバルブモジュールハウジング３０６に、周囲空気が（開口部を介して）通過し、または周囲を流れることのできるカバーを設けることができ、またはカバーされない状態とすることができる。これにより、装置全体のコストが削減される。
【０５０２】
その構成では、補助的な手動調節型酸素が必要となった場合、これはフィルタ１００１、２００１、３００１、１１００１の上部の代替ガス供給入口１０１１、２０１１、３０１１を介して接続することができる。
【０５０３】
記載したさまざまな構成は、単に例示的な構成である。いずれかの構成のいずれか１つまたは複数の特徴は、いずれかの他の構成のいずれか１つまたは複数の特徴と組み合わせて使用することができる。
【０５０４】
たとえば、バルブモジュールで使用するスイベルコネクタは、また別の機能を有することができる。いくつかの構成では、スイベルコネクタは、複数の軸の周囲で旋回するように配置でき、また、たとえば相互に横切る旋回軸を有する２つの隣接するスイベル接続部分を有することもでき、それによってスイベルコネクタのガス入口は２つの軸の周囲で回転できる。いくつかの構成では、スイベルコネクタは玉継ぎ手機構などを含み、スイベルコネクタのガス入口が実質的にどの方向にも回転できるようにすることが可能である。いくつかの構成では、スイベルコネクタは、旋回および並進運動の両方を提供するように配置することができ、それによってスイベルコネクタのガス入口は１つまたは複数の軸の周囲で旋回し、またたとえば直線移動もできる。これは、ガス入口を装置の１つの部分から別の部分に、たとえば装置の片面から装置の反対面に移すのに実用的であり得る。いくつかの構成では、ガス入口は、回転ではなく並進するように配置できる。
【０５０５】
たとえば、モータおよび／またはセンササブアセンブリの凹部は、主ハウジングの下側にあるものとして記載しているが、それは、別法として、ハウジングの後部、側部、前部または頂部にあり得る。こうした変形により、空気および／または酸素入口もまた、要求通りに異なるように配置することができる。
【０５０６】
別の例として、液体チャンバおよびチャンバ区画が、液体チャンバがハウジングの前部からチャンバ区画内に挿入されかつチャンバ区画から取り外されるように構成されるのではなく、構成は、液体チャンバがハウジングの側部、後部または頂部からチャンバ区画内に挿入されかつチャンバ区画から取り外されるようなものであり得る。
【０５０７】
他の例として、フィルタモジュールはハウジングに上から挿入され、バルブモジュールはハウジングに下から挿入されるように説明したが、これらの構成要素のいずれかまたは両方をハウジングのいずれの適所にも、たとえば上部、下部、側部、前部、または後部に挿入できる。
【０５０８】
バルブモジュールは、フィルタモジュールと一緒にフィルタ・バルブアセンブリとして使用できる。別法として、フィルタモジュールだけを装置で使用することも、バルブモジュールだけを装置で使用することもできる。たとえば、バルブモジュールは、使用者が補助酸素は必要としないが、依然としてハイフローセラピーの恩恵を受けられる場合には使用しなくてよい。使用者は依然として、フィルタモジュールへの直接接続により、外部酸素供給源を接続する選択肢を有し得る。
【０５０９】
フィルタモジュールとバルブモジュールは、加熱および加湿されたガスを患者または使用者に送達することのできるフローセラピー装置に関して説明される。装置は、慢性閉塞性肺疾患（ＣＯＰＤ：ｃｈｒｏｎｉｃ  ｏｂｓｔｒｕｃｔｉｖｅ  ｐｕｌｍｏｎａｒｙ  ｄｉｓｅａｓｅ）の治療に好適であり得る。装置は、高流量でガスを患者インタフェースに送達するように（ハイフローセラピー）、特にネーザルハイフローセラピー用として構成できる。
【０５１０】
別法として、フィルタモジュールおよび／またはバルブモジュールは、別の目的の装置にも使用できる。装置はハイフローセラピー装置であっても、ローフローセラピー装置であってもよい。特徴はまた、ガス（加湿されている、またはその他）を陽圧で送達できる持続的気道陽圧（ＣＰＡＰ：ｃｏｎｔｉｎｕｏｕｓ  ｐｏｓｉｔｉｖｅ  ａｉｒｗａｙ  ｐｒｅｓｓｕｒｅ）を提供する装置にも提供し得る。
【０５１１】
フィルタモジュールおよび／またはバルブモジュールは、別法として、加湿器が不要であり、したがって、液体チャンバ３００またはチャンバ区画１０８の特徴が不要である装置で使用することができる。たとえば、電気部品および電子部品からモータおよびガス流路を隔離する構成は、他のタイプのガス送達装置において広く応用されることが理解されよう。
【０５１２】
「フローセラピー装置」という文言は、こうしたすべての変形を包含するように意図されている。
【０５１３】
本明細書におけるいかなる先行技術に対する言及も、その先行技術が、世界中のいかなる国においても努力傾注分野において共通の一般知識の一部を形成するという承認またはいかなる形態の示唆でもなく、そのように解釈されるべきではない。
【０５１４】
本明細書において「上」、「下」、「前」、「後」、「水平」、「垂直」等の方向を示す用語に言及する場合、それらの用語は、装置が典型的な使用中の位置にあるときを指し、相対的な方向または向きを示しかつ／または記載するために用いられている。
【０５１５】
本開示は、いくつかの実施形態に関して記載しているが、当業者には明らかな他の実施形態もまた本開示の範囲内にある。したがって、本開示の趣旨および範囲から逸脱することなく、さまざまな変形および変更を行うことができる。たとえば、さまざまな構成要素を要求通りに再配置することができる。記載した実施形態のうちの任意のものからの特徴を互いに結合することができ、かつ／または、装置は、上述した実施形態の特徴のうちの１つ、複数またはすべてを含むことができる。さらに、本開示を実施するために、特徴、態様および利点のすべてが必ずしも必要ではない。したがって、本開示の範囲は、以下の特許請求の範囲によってのみ定義されるように意図されている。
【図１】
2019531152.tif 000003
【図２Ａ】
2019531152.tif 000004
【図２Ｂ】
2019531152.tif 000005
【図３Ａ】
2019531152.tif 000006
【図３Ｂ】
2019531152.tif 000007
【図４】
2019531152.tif 000008
【図５】
2019531152.tif 000009
【図６】
2019531152.tif 000010
【図７】
2019531152.tif 000011
【図８】
2019531152.tif 000012
【図９】
2019531152.tif 000013
【図１０】
2019531152.tif 000014
【図１１Ａ】
2019531152.tif 000015
【図１１Ｂ】
2019531152.tif 000016
【図１１Ｃ】
2019531152.tif 000017
【図１１Ｄ】
2019531152.tif 000018
【図１２】
2019531152.tif 000019
【図１２Ａ】
2019531152.tif 000020
【図１３】
2019531152.tif 000021
【図１４】
2019531152.tif 000022
【図１５】
2019531152.tif 000023
【図１６】
2019531152.tif 000024
【図１７】
2019531152.tif 000025
【図１８】
2019531152.tif 000026
【図１９】
2019531152.tif 000027
【図２０Ａ】
2019531152.tif 000028
【図２０Ｂ】
2019531152.tif 000029
【図２０Ｃ】
2019531152.tif 000030
【図２０Ｄ】
2019531152.tif 000031
【図２１】
2019531152.tif 000032
【図２２】
2019531152.tif 000033
【図２３】
2019531152.tif 000034
【図２４】
2019531152.tif 000035
【図２５】
2019531152.tif 000036
【図２６】
2019531152.tif 000037
【図２７】
2019531152.tif 000038
【図２８】
2019531152.tif 000039
【図２９】
2019531152.tif 000040
【図３０】
2019531152.tif 000041
【図３１】
2019531152.tif 000042
【図３２】
2019531152.tif 000043
【図３３】
2019531152.tif 000044
【図３４】
2019531152.tif 000045
【図３５】
2019531152.tif 000046
【図３６】
2019531152.tif 000047
【図３７Ａ】
2019531152.tif 000048
【図３７Ｂ】
2019531152.tif 000049
【図３７Ｃ】
2019531152.tif 000050
【図３７Ｄ】
2019531152.tif 000051
【図３８】
2019531152.tif 000052
【図３９】
2019531152.tif 000053
【図４０】
2019531152.tif 000054
【図４１】
2019531152.tif 000055
【図４２】
2019531152.tif 000056
【図４３】
2019531152.tif 000057
【図４４】
2019531152.tif 000058
【図４５】
2019531152.tif 000059
【図４６】
2019531152.tif 000060
【図４７】
2019531152.tif 000061
【図４８】
2019531152.tif 000062
【図４９】
2019531152.tif 000063
【図５０】
2019531152.tif 000064
【図５１】
2019531152.tif 000065
【図５２】
2019531152.tif 000066
【図５３】
2019531152.tif 000067
【図５４】
2019531152.tif 000068
【図５５】
2019531152.tif 000069
【図５６】
2019531152.tif 000070
【図５７】
2019531152.tif 000071
【図５８】
2019531152.tif 000072
【国際調査報告】
2019531152.tif 000073
2019531152.tif 000074
2019531152.tif 000075
2019531152.tif 000076
2019531152.tif 000077
2019531152.tif 000078
2019531152.tif 000079
2019531152.tif 000080
2019531152.tif 000081
2019531152.tif 000082
2019531152.tif 000083